(57)【要約】      （修正有）【課題】マクロセル対フェムトセルハンドインをサポートする。【解決手段】フェムトセルの近傍にモバイルデバイスがあることを検出するために、帯域外（ＯＯＢ）リンクが使用される。モバイルデバイスを検出すると、モバイルデバイスをフェムトコンバージェンスシステムに効果的に事前登録するために、マクロネットワークと通信しているコアネットワーク中に配設されたフェムトセルゲートウェイにＯＯＢ近傍検出が通信される。フェムトセルゲートウェイが、事前登録されたモバイルデバイスを示唆するハンドオーバ要求をマクロネットワークから受信したとき、あるいは適切なターゲットフェムトセルの識別情報が信頼できない場合でも、事前登録に従ってハンドインのために使用すべき適切なターゲットフェムトセルを確実に判断する。また、ハンドオーバ要求が生じた後にモバイルデバイスを登録することを、段階的アプローチを含めて処理する。【選択図】図５
2015008503.tif 000002
【特許請求の範囲】
【請求項１】
マクロセル対フェムトセルハンドインのための方法であって、
帯域外（ＯＯＢ）通信リンクを使用してフェムトセルの近傍にあるユーザ機器を検出することと、
前記ＯＯＢ通信リンクを使用して前記フェムトセルの近傍で検出された前記ユーザ機器に対応するユーザ機器識別子を識別することと、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録することと
を備える、方法。
【請求項２】
前記ユーザ機器識別子を識別することが、前記ＯＯＢ通信リンクを介して前記ユーザ機器識別子と関連付けられたＯＯＢ識別子を受信することを備える、請求項１に記載の方法。
【請求項３】
前記ユーザ機器識別子を識別することが、前記ＯＯＢ通信リンクを介して前記ユーザ機器識別子と関連付けられたマクロ識別子を受信することを備える、請求項１に記載の方法。
【請求項４】
前記マクロセルから前記フェムトセルにハンドインするための前記ユーザ機器を登録することが、前記フェムトセルから前記フェムトセルゲートウェイに登録メッセージを送信することを備える、請求項１に記載の方法。
【請求項５】
前記マクロセルから前記フェムトセルにハンドインするための前記ユーザ機器を登録することが、前記フェムトセルから前記フェムトセルゲートウェイにＯＯＢ指示メッセージを送信することを備える、請求項１に記載の方法。
【請求項６】
前記ユーザ機器識別子を判断するために、前記ユーザ機器のマクロ識別子と前記ＯＯＢ識別子との間のユーザ機器マッピングを利用することをさらに備える、請求項２に記載の方法。
【請求項７】
前記フェムトセルの近傍にある前記ユーザ機器を検出することが、
前記ＯＯＢ通信リンクを介して前記ユーザ機器をページングすることと、
前記ＯＯＢ通信リンクを介して前記ユーザ機器からの前記ページングへの応答を検出することとを備え、前記応答が前記ユーザ機器の前記ＯＯＢ識別子を備える、請求項２に記載の方法。
【請求項８】
前記フェムトセルゲートウェイから前記フェムトセルにおける前記ユーザ機器に対するハンドオーバ要求を受信することをさらに備え、前記ハンドオーバ要求が、マクロネットワークとのアクティブ通信を前記マクロセルから前記フェムトセルにハンドオフするように前記ユーザ機器に指示するように構成される、請求項１に記載の方法。
【請求項９】
前記ハンドオーバ要求が、前記マクロセルから前記フェムトセルにハンドインするための前記ユーザ機器を登録した後に受信される、請求項８に記載の方法。
【請求項１０】
前記ハンドオーバ要求が、前記マクロセルから前記フェムトセルにハンドインするための前記ユーザ機器を登録する前に受信され、
前記ユーザ機器を検出することが、前記ハンドオーバ要求を受信したことに応答して前記ユーザ機器を検出することを備える、請求項８に記載の方法。
【請求項１１】
前記ハンドオーバ要求を受信したことに応答して前記ユーザ機器を検出することが、
前記ユーザ機器のＯＯＢ識別子を利用して前記ＯＯＢ通信リンクを介して前記ユーザ機器を検出することを備える、請求項１０に記載の方法。
【請求項１２】
前記ユーザ機器と前記フェムトセルとの間の前記ＯＯＢ通信リンクの損失を検出することと、
前記ＯＯＢ通信リンクの前記損失を検出したことに従って前記ユーザ機器を登録解除することとをさらに備える、請求項１に記載の方法。
【請求項１３】
前記ユーザ機器を登録することが、前記ハンドオーバ要求を受け付けるハンドオーバ応答を送信することをさらに備える、請求項１０に記載の方法。
【請求項１４】
前記フェムトセルが、マクロネットワーク上の複数のフェムトセルのうちの１つであり、各フェムトセルが、その識別子に従って前記フェムトセルが前記マクロネットワークによって非一意にアドレス指定可能である第１のフェムトセル識別子と、その識別子に従って前記フェムトセルが前記フェムトセルゲートウェイによって一意にアドレス指定可能である第２のフェムトセル識別子とを有する、請求項１に記載の方法。
【請求項１５】
前記ＯＯＢ通信リンクがＢｌｕｅｔｏｏｔｈリンクを備える、請求項１に記載の方法。
【請求項１６】
各該当フェムトセルの前記第１のフェムトセル識別子が、前記該当フェムトセルのプライマリスクランブリングコード（ＰＳＣ）を備える、請求項１４に記載の方法。
【請求項１７】
前記ユーザ機器識別子が、前記ユーザ機器と関連付けられたマクロ識別子を備える、請求項１に記載の方法。
【請求項１８】
前記マクロ識別子が、前記ユーザ機器と関連付けられた国際モバイル加入者識別情報（ＩＭＳＩ）を備える、請求項１７に記載の方法。
【請求項１９】
フェムトセルゲートウェイを介してマクロネットワークに通信可能に結合され、ユーザ機器へのセルラーネットワークアクセスを与えるように構成された、帯域内周波数モジュールと、
前記帯域内周波数モジュールに通信可能に結合され、ＯＯＢ通信リンクを介して前記ユーザ機器と通信するように構成された、帯域外（ＯＯＢ）周波数モジュールと、
前記帯域内周波数モジュールと前記ＯＯＢ周波数モジュールとに通信可能に結合された通信管理サブシステムであって、
帯域外（ＯＯＢ）通信リンクを使用してフェムトセルの近傍にあるユーザ機器を検出し、
前記ＯＯＢ通信リンクを使用して前記フェムトセルの近傍で検出された前記ユーザ機器に対応するユーザ機器識別子を識別し、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録する
ように構成された、通信管理サブシステムとを備える、フェムトセル。
【請求項２０】
前記ユーザ機器識別子を識別するように構成された前記通信管理サブシステムが、前記ＯＯＢ通信リンクを介して前記ユーザ機器識別子と関連付けられたマクロ識別子を受信するための構成を備える、請求項１９に記載のフェムトセル。
【請求項２１】
前記ユーザ機器識別子を識別するように構成された前記通信管理サブシステムが、前記ＯＯＢ通信リンクを介して前記ユーザ機器識別子と関連付けられたＯＯＢ識別子を受信するための構成を備える、請求項１９に記載のフェムトセル。
【請求項２２】
前記ユーザ機器を登録するように構成された前記通信管理サブシステムが、前記フェムトセルから前記フェムトセルゲートウェイに登録メッセージを送信するための構成を備える、請求項１９に記載のフェムトセル。
【請求項２３】
前記ユーザ機器を登録するように構成された前記通信管理サブシステムが、前記フェムトセルから前記フェムトセルゲートウェイにＯＯＢ指示メッセージを送信するための構成を備える、請求項１９に記載のフェムトセル。
【請求項２４】
前記通信管理サブシステムが、
前記ユーザ機器識別子を判断するために、前記ユーザ機器のマクロ識別子と前記ＯＯＢ識別子との間のユーザ機器マッピングを利用するようにさらに構成される、請求項２１に記載のフェムトセル。
【請求項２５】
前記フェムトセルの近傍にある前記ユーザ機器を検出するように構成された前記通信管理サブシステムが、
前記ＯＯＢ通信リンクを介して前記ユーザ機器をページングし、
前記ＯＯＢ通信リンクを介して前記ユーザ機器からの前記ページングへの応答を検出するようにさらに構成され、前記応答が前記ユーザ機器の前記マクロ識別子を備える、請求項２０に記載のフェムトセル。
【請求項２６】
前記通信管理サブシステムが、
前記フェムトセルゲートウェイから前記フェムトセルにおける前記ユーザ機器に対するハンドオーバ要求を受信するようにさらに構成され、前記ハンドオーバ要求が、前記マクロネットワークとのアクティブ通信を前記マクロセルから前記フェムトセルにハンドオフするように前記ユーザ機器に指示するように構成される、請求項１９に記載のフェムトセル。
【請求項２７】
前記ハンドオーバ要求が、前記マクロセルから前記フェムトセルにハンドインするための前記ユーザ機器を登録した後に受信される、請求項２６に記載のフェムトセル。
【請求項２８】
前記ハンドオーバ要求が、前記マクロセルから前記フェムトセルにハンドインするための前記ユーザ機器を登録する前に受信され、
前記ユーザ機器を検出するように構成された前記通信管理サブシステムが、前記ハンドオーバ要求を受信したことに応答して前記ユーザ機器を検出することを備える、請求項２６に記載のフェムトセル。
【請求項２９】
前記ハンドオーバ要求を受信したことに応答して前記ユーザ機器を検出するように構成された前記通信管理サブシステムが、
前記ユーザ機器のＯＯＢ識別子を利用して前記ＯＯＢ通信リンクを介して前記ユーザ機器を検出するための構成を備える、請求項２８に記載のフェムトセル。
【請求項３０】
前記通信管理サブシステムが、
前記ユーザ機器と前記フェムトセルとの間の前記ＯＯＢ通信リンクの損失を検出し、
前記ＯＯＢ通信リンクの前記損失を検出したことに従って前記ユーザ機器を登録解除するようにさらに構成される、請求項１９に記載のフェムトセル。
【請求項３１】
前記通信管理サブシステムが、
前記ユーザ機器を登録することの一部として前記ハンドオーバ要求を受け付けることのハンドオーバ応答を送信するようにさらに構成される、請求項２８に記載のフェムトセル。
【請求項３２】
前記フェムトセルが、セルラーネットワーク上の複数のフェムトセルのうちの１つであり、各フェムトセルが、その識別子に従って前記フェムトセルが前記マクロネットワークによって非一意にアドレス指定可能である第１のフェムトセル識別子と、その識別子に従って前記フェムトセルがフェムトゲートウェイによって一意にアドレス指定可能である第２のフェムトセル識別子とを有する、請求項１９に記載のフェムトセル。
【請求項３３】
マクロセル対フェムトセルハンドインのためのプロセッサであって、
帯域外（ＯＯＢ）通信リンクを使用して前記フェムトセルの近傍にあるユーザ機器を検出し、
前記ＯＯＢ通信リンクを使用して前記フェムトセルの近傍で検出された前記ユーザ機器に対応するユーザ機器識別子を識別し、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録する
ように構成された、通信管理コントローラとを備える、プロセッサ。
【請求項３４】
プロセッサ可読媒体上に常駐し、プロセッサ可読命令を備える、マクロセル対フェムトセルハンドインのためのコンピュータプログラム製品であって、前記命令が実行されると、プロセッサに、
帯域外（ＯＯＢ）通信リンクを使用してフェムトセルの近傍にあるユーザ機器を検出するステップと、
前記ＯＯＢ通信リンクを使用して前記フェムトセルの近傍で検出された前記ユーザ機器に対応するユーザ機器識別子を識別するステップと、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録するステップと
を備えるステップを実行させる、コンピュータプログラム製品。
【請求項３５】
マクロセル対フェムトセルハンドインのためのシステムであって、
帯域外（ＯＯＢ）通信リンクを使用して前記フェムトセルの近傍にあるユーザ機器を検出するための手段と、
前記ＯＯＢ通信リンクを使用して前記フェムトセルの近傍で検出された前記ユーザ機器に対応するユーザ機器識別子を識別するための手段と、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録するための手段と
を備える、システム。
【請求項３６】
マクロセル対フェムトセルハンドインのための方法であって、
マクロネットワークとのアクティブ通信をマクロセルから、第１のフェムトセル識別子を有する指定されたフェムトセルにハンドオフするようにユーザ機器に指示するように構成されたハンドオーバ要求を、フェムトセルゲートウェイにおいて前記マクロネットワークから受信することと、
前記フェムトセルゲートウェイにおいて、前記ハンドオーバ要求を受信する前に複数のフェムトセルのいずれかが前記ユーザ機器を前記フェムトセルゲートウェイに登録したかどうかを判断することと、
前記フェムトセルゲートウェイから、前記ハンドオーバ要求を前記指定されたフェムトセルに通信することとを備える、方法。
【請求項３７】
前記フェムトセルゲートウェイにおいて、前記ハンドオーバ要求を受信する前に前記複数のフェムトセルのいずれかが前記ユーザ機器を前記フェムトセルゲートウェイに登録したかどうかを判断することが、
前記ハンドオーバ要求を受信する前に、前記複数のフェムトセルから、前記ユーザ機器を登録した１つの登録フェムトセルを判断することと、
前記登録フェムトセルが、前記第１のフェムトセル識別子を有する前記指定されたフェムトセルであると判断することとを備える、請求項３６に記載の方法。
【請求項３８】
前記登録フェムトセルから肯定応答メッセージを受信することをさらに備える、請求項３７に記載の方法。
【請求項３９】
前記フェムトセルゲートウェイにおいて、前記リロケーション要求を受信する前に前記複数のフェムトセルのいずれかが前記ユーザ機器を前記フェムトセルゲートウェイに登録したかどうかを判断することが、
前記ハンドオーバ要求を受信する前に前記複数のフェムトセルのいずれも前記ユーザ機器を登録しなかったと判断することを備える、請求項３６に記載の方法。
【請求項４０】
前記フェムトゲートウェイにおいて登録された前記複数のフェムトセルから、少なくとも前記第１のフェムトセル識別子によって識別された候補フェムトセルのセットを判断することと、
前記候補フェムトセルのセットの各々に、それの近傍に前記ユーザ機器があるかどうかを検出するように指示することと、
前記候補フェムトセルのうちの成功したフェムトセルから、それの近傍に前記ユーザ機器があるという指示を受信することと、
前記成功したフェムトセルが前記指定されたフェムトセルであると判断することとをさらに備える、請求項３９に記載の方法。
【請求項４１】
前記候補フェムトセルのセットに、それの近傍に前記ユーザ機器があるかどうかを検出するように指示した後の経過時間を監視することと、
前記候補フェムトセルのうちの１つからの、それの近傍に前記ユーザ機器があるという前記指示が、前記経過時間が所定の制限時間内にある間に受信されたかどうかを判断することとをさらに備える、請求項４０に記載の方法。
【請求項４２】
前記フェムトセルゲートウェイにおいて、前記ハンドオーバ要求を受信する前に前記複数のフェムトセルのいずれかが前記ユーザ機器を登録したかどうかを判断することが、
前記ハンドオーバ要求を受信する前に前記複数のフェムトセルのいずれかからＯＯＢ近傍指示が受信されたかどうかを判断することを備え、前記ＯＯＢ近傍指示が前記ユーザ機器のマクロ識別子を備える、請求項３６に記載の方法。
【請求項４３】
前記フェムトセルゲートウェイにおいて、前記ハンドオーバ要求を受信する前に前記複数のフェムトセルのいずれかが前記ユーザ機器を登録したかどうかを判断することが、
前記ハンドオーバ要求を受信する前に前記複数のフェムトセルのいずれかから、前記ユーザ機器のＯＯＢ識別子を備えるＯＯＢ近傍指示が受信されたかどうかを判断することと、
前記ユーザ機器の前記ＯＯＢ識別子に対応する前記ユーザ機器のマクロ識別子を判断することとを備える、請求項３６に記載の方法。
【請求項４４】
前記第１のフェムトセル識別子に従って前記フェムトセルゲートウェイによって、前記指定されたフェムトセルが一意にアドレス指定可能であるかどうかを判断することをさらに備え、
前記フェムトセルゲートウェイから、前記ハンドオーバ要求を指定されたフェムトセルに通信することが、前記第１のフェムトセル識別子を利用する、請求項３６に記載の方法。
【請求項４５】
前記フェムトセルゲートウェイにおいて、前記ハンドオーバ要求を受信する前に前記複数のフェムトセルのいずれかが前記ユーザ機器を登録したかどうかを判断することが、
前記第１のフェムトセル識別子に従って前記フェムトセルゲートウェイによって前記複数のフェムトセルのうちの２つ以上のフェムトセルがアドレス指定可能であるかどうかを判断することと、
第２のフェムトセル識別子を使用して、前記指定されたフェムトセルが、前記第１のフェムトセル識別子に従ってアドレス指定可能な前記２つ以上のフェムトセルのうちの１つであるかどうかを判断することとを備える、請求項３６に記載の方法。
【請求項４６】
前記複数のフェムトセルから候補フェムトセルのセットを判断することと、
前記ハンドオーバ要求の中のＯＯＢハンドイン原因値を使用して、前記候補フェムトセルのセットの各々に、それの近傍に前記ユーザ機器があるかどうかを検出するように指示することとをさらに備える、請求項３９に記載の方法。
【請求項４７】
前記候補フェムトセルのうちの１つから、それの近傍にある前記ユーザ機器を前記候補フェムトセルのうちの前記１つが検出したことを示すＯＯＢ受付けメッセージを受信することと、
前記ＯＯＢ受付けメッセージと関連付けられた前記候補セルのうちの１つを前記指定されたフェムトセルとして識別することとをさらに備える、請求項４６に記載の方法。
【請求項４８】
少なくとも前記候補フェムトセルのうちの１つまたは複数からのＯＯＢ拒絶メッセージ、または前記候補フェムトセルのうちの１つまたは複数からのエラー指示メッセージを受信し、かつＯＯＢ受付けメッセージを受信しないことと、
正常原因値を有するハンドオーバ要求を、前記候補フェムトセルの各々に送信することとをさらに備える、請求項４６に記載の方法。
【請求項４９】
前記候補フェムトセルのうちの１つまたは複数から、少なくともブラインド受付けまたはブラインド拒絶を受信することと、
ブラインド受付けと関連付けられた前記候補フェムトセルのうちの１つを前記指定されたフェムトセルとして識別することとをさらに備える、請求項４８に記載の方法。
【請求項５０】
マクロネットワークのコアノードと通信するように構成され、前記マクロネットワークから通信を受信するように構成されたマクロネットワークインターフェースサブシステムと、
複数のフェムトセルと通信するように構成されたフェムトセルインターフェースサブシステムと、
前記マクロネットワークインターフェースサブシステムと前記フェムトセルインターフェースサブシステムとに通信可能に結合された通信管理サブシステムであって、
前記マクロネットワークとのアクティブ通信をマクロセルから、第１のフェムトセル識別子を有する指定されたフェムトセルにハンドオフするようにユーザ機器に指示するように構成されたハンドオーバ要求を前記マクロネットワークから受信し、
前記ハンドオーバ要求を受信する前に前記複数のフェムトセルのいずれかが前記ユーザ機器を前記フェムトセルゲートウェイに登録したかどうかを判断し、
前記ハンドオーバ要求を指定されたフェムトセルに通信する
ように構成された、通信管理サブシステムとを備える、フェムトセルゲートウェイ。
【請求項５１】
前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルから前記ユーザ機器を登録した１つの登録フェムトセルを判断し、
前記登録フェムトセルが、前記第１のフェムトセル識別子を有する前記指定されたフェムトセルであると判断するように構成される、請求項５０に記載のフェムトセルゲートウェイ。
【請求項５２】
前記通信管理サブシステムが、
前記登録フェムトセルから肯定応答メッセージを受信するようにさらに構成される、請求項５１に記載のフェムトセルゲートウェイ。
【請求項５３】
前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルのいずれも前記ユーザ機器を登録しなかったと判断するように構成される、請求項５０に記載のフェムトセルゲートウェイ。
【請求項５４】
前記通信管理サブシステムが、
前記複数のフェムトセルから、少なくとも前記第１のフェムトセル識別子によって識別された候補フェムトセルのセットを判断し、
前記候補フェムトセルの各々に、それの近傍に前記ユーザ機器があるかどうかを検出するように指示し、
前記候補フェムトセルのうちの成功したフェムトセルから、それの近傍に前記ユーザ機器があるという指示を受信し、
前記成功したフェムトセルが前記指定したフェムトセルであると判断するようにさらに構成される、請求項５３に記載のフェムトセルゲートウェイ。
【請求項５５】
前記通信管理サブシステムが、
前記候補フェムトセルのセットに、それの近傍に前記ユーザ機器があるかどうかを検出するように指示した後の経過時間を監視し、
前記候補フェムトセルのうちの１つからの、それの近傍に前記ユーザ機器があるという前記指示が、前記経過時間が所定の制限時間内にある間に受信されたかどうかを判断するようにさらに構成される、請求項５４に記載のフェムトセルゲートウェイ。
【請求項５６】
前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルのいずれかからＯＯＢ近傍指示が受信されたかどうかを判断するようにさらに構成され、前記ＯＯＢ近傍指示が前記ユーザ機器のマクロ識別子を備える、請求項５０に記載のフェムトセルゲートウェイ。
【請求項５７】
前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルのいずれかから、前記ユーザ機器のＯＯＢ識別子を備えるＯＯＢ近傍指示が受信されたかどうかを判断し、
前記ユーザ機器の前記ＯＯＢ識別子に対応する前記ユーザ機器のマクロ識別子を判断するようにさらに構成される、請求項５０に記載のフェムトセルゲートウェイ。
【請求項５８】
前記通信管理サブシステムが、
前記第１のフェムトセル識別子に従って前記フェムトセルゲートウェイによって、前記指定されたフェムトセルが一意にアドレス指定可能であるかどうかを判断するようにさらに構成され、
前記ハンドオーバ要求を指定されたフェムトセルに通信することが、前記第１のフェムトセル識別子を利用する、請求項５０に記載のフェムトセルゲートウェイ。
【請求項５９】
前記ハンドオーバ要求を受信する前に前記複数のフェムトセルのいずれかが前記ユーザ機器を登録したかどうかを判断するように構成された前記通信管理サブシステムが、
前記第１のフェムトセル識別子に従って前記フェムトセルゲートウェイによって前記複数のフェムトセルのうちの２つ以上のフェムトセルがアドレス指定可能であるかどうかを判断し、
第２のフェムトセル識別子を使用して、前記指定されたフェムトセルが、前記第１のフェムトセル識別子に従ってアドレス指定可能な前記２つ以上のフェムトセルのうちの１つであるかどうかを判断するための構成を備える、請求項５０に記載のフェムトセルゲートウェイ。
【請求項６０】
前記通信管理サブシステムが、
前記複数のフェムトセルから候補フェムトセルのセットを判断し、
前記ハンドオーバ要求の中のＯＯＢハンドイン原因値を使用して、前記候補フェムトセルの各々に、それの近傍に前記ユーザ機器があるかどうかを検出するように指示するようにさらに構成される、請求項５３に記載のフェムトセルゲートウェイ。
【請求項６１】
前記通信管理サブシステムが、
前記候補フェムトセルのうちの１つから、それの近傍にある前記ユーザ機器を前記候補フェムトセルのうちの前記１つが検出したことを示すＯＯＢ受付けメッセージを受信し、
前記候補フェムトセルのうちの前記１つを前記指定されたフェムトセルとして識別するようにさらに構成される、請求項６０に記載のフェムトセルゲートウェイ。
【請求項６２】
前記通信管理サブシステムが、
少なくとも前記候補フェムトセルのうちの１つもしくは複数からのＯＯＢ拒絶メッセージ、または前記候補フェムトセルのうちの１つもしくは複数からのエラー指示メッセージを受信し、かつＯＯＢ受付けメッセージを受信せず、
正常原因値を有するハンドオーバ要求を、前記候補フェムトセルの各々に送信するようにさらに構成される、請求項６０に記載のフェムトセルゲートウェイ。
【請求項６３】
前記通信管理サブシステムが、
前記候補フェムトセルのうちの１つまたは複数から、少なくともブラインド受付けまたはブラインド拒絶を受信し、
ブラインド受付けと関連付けられた前記候補フェムトセルのうちの１つを前記指定されたフェムトセルとして識別するようにさらに構成される、請求項６２に記載のフェムトセルゲートウェイ。
【請求項６４】
フェムトセルゲートウェイ内のマクロセル対フェムトセルハンドインのためのプロセッサであって、
マクロネットワークとのアクティブ通信をマクロセルから、第１のフェムトセル識別子を有する指定されたフェムトセルにハンドオフするようにユーザ機器に指示するように構成されたハンドオーバ要求を前記マクロネットワークから受信し、
前記ハンドオーバ要求を受信する前に複数のフェムトセルのいずれかが前記ユーザ機器を前記フェムトセルゲートウェイに登録したかどうかを判断し、
前記ハンドオーバ要求を前記指定されたフェムトセルに通信する
ように構成された通信管理コントローラを備える、プロセッサ。
【請求項６５】
フェムトセルゲートウェイに配設されたプロセッサ可読媒体上に常駐し、プロセッサ可読命令を備える、マクロセル対フェムトセルハンドインのためのコンピュータプログラム製品であって、命令が実行されると、プロセッサに、
マクロネットワークとのアクティブ通信をマクロセルから、第１のフェムトセル識別子を有する指定されたフェムトセルにハンドオフするようにユーザ機器に指示するように構成されたハンドオーバ要求を前記マクロネットワークから受信するステップと、
前記ハンドオーバ要求を受信する前に複数のフェムトセルのいずれかが前記ユーザ機器を前記フェムトセルゲートウェイに登録したかどうかを判断するステップと、
前記ハンドオーバ要求を前記指定されたフェムトセルに通信するステップと
を備えるステップを実行させる、コンピュータプログラム製品。
【請求項６６】
マクロセル対フェムトセルハンドインのためのシステムであって、
マクロネットワークとのアクティブ通信をマクロセルから、第１のフェムトセル識別子を有する指定されたフェムトセルにハンドオフするようにユーザ機器に指示するように構成されたハンドオーバ要求をマクロネットワークから受信するための手段と、
前記ハンドオーバ要求を受信する前に複数のフェムトセルのいずれかが前記ユーザ機器を前記フェムトセルゲートウェイに登録したかどうかを判断するための手段と、
前記ハンドオーバ要求を前記指定されたフェムトセルに通信するための手段と
を備える、システム。
【発明の詳細な説明】
【背景技術】
【０００１】
通信ネットワークは今日、広く使用されており、しばしば、音声およびデータを搬送するためにワイヤレスリンクを介する通信において複数のデバイスを有する。セルラー電話、スマートフォン、ラップトップおよびタブレットなど、これらのデバイスの多くはモバイルであり、基地局、アクセスポイント、ワイヤレスルータ、またはノードＢ（本明細では集合的に「アクセスポイント」と呼ぶ）を介してワイヤレスにネットワークと接続し得る。モバイルデバイスは、比較的長い時間期間の間そのようなアクセスポイントのサービスエリア内にとどまる（これにより、アクセスポイントに「キャンプオン」している）ことがあり、またはアクセスポイントサービスエリアを通って比較的迅速に進むことがあり、アクセスポイントとの関連付けが変更されたとき、通信セッションを維持するためまたはアイドルモード動作のために、セルラーハンドオーバ技法または再選択技法が使用される。
【０００２】
利用可能なスペクトル、帯域幅、または容量などに関する問題により、特定のモバイルデバイスとアクセスポイントとの間で、アクセスが利用不可能または不適切になり得る。同様に、ワイヤレス信号伝搬に関する問題（例えば、シャドーイング、マルチパスフェージング、干渉など）が、特定のモバイルデバイスに対してアクセスが利用不可能となる結果をもたらす可能性がある。
【０００３】
セルラーネットワークは、サービスエリア内で所望の帯域幅と容量とワイヤレス通信カバレージとを与えるために、マクロセル、マイクロセル、ピコセル、およびフェムトセルなど、様々なセルタイプの使用を採用した。フェムトセルは、ネットワークカバレージが不十分なエリア（例えば、建築物の内部）においてワイヤレス通信を行うこと、増加したネットワーク容量を与えること、およびバックホールのためにブロードバンドネットワーク容量を利用することのために使用され得る。マクロセルからフェムトセルにハンドインするためにフェムトセルを正確に識別するための新規の機能に対するニーズが、当技術分野で存在する。
【発明の概要】
【０００４】
本開示は、モバイルデバイスのためのアクティブマクロ通信のマクロセル対フェムトセルハンドインをサポートするためのシステムおよび方法を対象とする。フェムトセルが、（例えば、フェムトプロキシシステムの一部としてフェムトセルに統合された帯域外無線によって確立される帯域外リンクを使用して）それの近傍にあるモバイルデバイスを検出する。フェムトセルは、それの近傍にあるモバイルデバイスを検出すると、モバイルデバイスを、マクロネットワークと通信しているコアネットワーク中に配設されたフェムトセルゲートウェイ（例えば、別のタイプのインターフェースゲートウェイ）に事前登録するためにＯＯＢ存在インジケータを通信する。フェムトセルゲートウェイが、マクロネットワークから事前登録されたモバイルデバイスを示唆するハンドオーバ要求を受信したとき、フェムトセルゲートウェイは、ＯＯＢ存在指示に従ってハンドインのために使用すべき適切なフェムトセルを確実に判断することが可能である。ＯＯＢ存在指示が、登録メッセージ、ハンドオーバ応答メッセージなど、フェムトセルとフェムトセルゲートウェイとの間の既存のメッセージの中で搬送され得、またはＯＯＢ存在メッセージが、この指示を通信するために定義され得る。
【０００５】
いくつかの実施形態は、マクロセル対フェムトセルハンドインのための方法を含む。ユーザ機器が、帯域外（ＯＯＢ）通信リンクを使用してフェムトセルの近傍に存在し得る。ユーザ機器識別子が、ＯＯＢ通信リンクを使用してフェムトセルの近傍で検出されたユーザ機器に対応して識別され得る。ユーザ機器識別子をフェムトセルからフェムトセルゲートウェイに通信してフェムトセルにおいてユーザ機器のＯＯＢ近傍検出を示すことによって、マクロセルからフェムトセルにハンドインするために、ユーザ機器が登録され得る。
【０００６】
ユーザ機器識別子を識別することは、ＯＯＢ通信リンクを介してユーザ機器識別子と関連付けられたＯＯＢ識別子を受信することを含み得る。ユーザ機器識別子を識別することは、ＯＯＢ通信リンクを介してユーザ機器識別子と関連付けられたマクロ識別子を受信することを含み得る。マクロセルからフェムトセルにハンドインするためのユーザ機器を登録することは、フェムトセルからフェムトセルゲートウェイに登録メッセージを送信することを含み得る。マクロセルからフェムトセルにハンドインするためのユーザ機器を登録することは、フェムトセルからフェムトセルゲートウェイにＯＯＢ指示メッセージを送信することを含み得る。
【０００７】
いくつかの実施形態では、マクロセル対フェムトセルハンドインのための方法は、ユーザ機器識別子を判断するために、ユーザ機器のマクロ識別子とＯＯＢ識別子との間のユーザ機器マッピングを利用することをさらに含み得る。フェムトセルの近傍にあるユーザ機器を検出することは、ＯＯＢ通信リンクを介してユーザ機器をページングすることと、ＯＯＢ通信リンクを介してユーザ機器からページングに対する応答を検出することとを含み得る。応答は、ユーザ機器のＯＯＢ識別子を含み得る。いくつかの実施形態では、応答は、ユーザ機器に対するマクロ識別子を含み得る。
【０００８】
いくつかの実施形態では、マクロセル対フェムトセルハンドインのための方法は、フェムトセルゲートウェイからフェムトセルにおけるユーザ機器に対するハンドオーバ要求を受信することをさらに含み得、ハンドオーバ要求は、マクロネットワークとのアクティブ通信をマクロセルからフェムトセルにハンドオフするようにユーザ機器に指示するように構成される。マクロセルからフェムトセルにハンドインするためのユーザ機器を登録するのに続いて、ハンドオーバ要求が受信され得る。ハンドオーバ要求は、マクロセルからフェムトセルにハンドインするためのユーザ機器を登録する前に受信され得、ユーザ機器を検出することは、ハンドオーバ要求を受信したことに応答してユーザ機器を検出することを含み得る。ハンドオーバ要求を受信することに応答してユーザ機器を検出することは、ユーザ機器のＯＯＢ識別子を利用してＯＯＢ通信リンクを介してユーザ機器を検出することを含み得る。いくつかの実施形態では、ハンドオーバ要求を受信することに応答してユーザ機器を検出することは、ユーザ機器のマクロ識別子を利用してＯＯＢ通信リンクを介してユーザ機器を検出することを含み得る。ユーザ機器を登録することは、ハンドオーバ要求を受け付けるハンドオーバ応答を送信することをさらに含み得る。
【０００９】
いくつかの実施形態では、マクロセル対フェムトセルハンドインのための方法は、ユーザ機器とフェムトセルとの間のＯＯＢ通信リンクの損失(loss)を検出することをさらに含み得る。ＯＯＢ通信リンクの損失を検出したことに従って、ユーザ機器が登録解除され得る。
【００１０】
いくつかの実施形態では、フェムトセルは、マクロネットワーク上の複数のフェムトセルのうちの１つであり、各フェムトセルは、第１のフェムトセル識別子を有し、それに従ってフェムトセルはマクロネットワークによって非一意にアドレス指定可能であり、かつ第２のフェムトセル識別子を有し、それに従ってフェムトセルはフェムトセルゲートウェイによって一意にアドレス指定可能である。いくつかの実施形態では、ＯＯＢ通信リンクはＢｌｕｅｔｏｏｔｈ（登録商標）リンクを含む。各該当フェムトセルの第１のフェムトセル識別子は、該当フェムトセルのプライマリスクランブリングコード（ＰＳＣ）を含み得る。ユーザ機器識別子は、ユーザ機器と関連付けられたマクロ識別子を含み得る。マクロ識別子は、ユーザ機器と関連付けられた国際モバイル加入者識別情報（ＩＭＳＩ）を含み得る。
【００１１】
いくつかの実施形態は、フェムトセルゲートウェイを介してマクロネットワークに通信可能に結合され、ユーザ機器へのセルラーネットワークアクセスを与えるように構成された、帯域内周波数モジュールを含み得るフェムトセルを含む。フェムトセルは、帯域内周波数モジュールに通信可能に結合され、ＯＯＢ通信リンクを介してユーザ機器と通信するように構成された、帯域外（ＯＯＢ）周波数モジュールを含み得る。フェムトセルは、帯域内周波数モジュールとＯＯＢ周波数モジュールとに通信可能に結合された通信管理サブシステムを含み得、帯域外（ＯＯＢ）通信リンクを使用してフェムトセルの近傍にあるユーザ機器を検出し；ＯＯＢ通信リンクを使用してフェムトセルの近傍で検出されたユーザ機器に対応するユーザ機器識別子を識別し、かつ／またはユーザ機器識別子をフェムトセルからフェムトセルゲートウェイに通信してフェムトセルにおけるユーザ機器のＯＯＢ近傍検出を示すことによって、マクロセルからフェムトセルにハンドインするためのユーザ機器を登録するように構成され得る。
【００１２】
通信管理サブシステムは、ＯＯＢ通信リンクを介してユーザ機器識別子と関連付けられたマクロ識別子を受信するための構成を使用して、ユーザ機器識別子を識別するように構成され得る。通信管理サブシステムは、ＯＯＢ通信リンクを介してユーザ機器識別子と関連付けられたＯＯＢ識別子を受信するための構成を使用して、ユーザ機器識別子を識別するように構成され得る。通信管理サブシステムは、フェムトセルからフェムトセルゲートウェイに登録メッセージを送信するための構成を使用して、ユーザ機器を登録するように構成され得る。通信管理サブシステムは、フェムトセルからフェムトセルゲートウェイにＯＯＢ指示メッセージを送信するための構成を使用して、ユーザ機器を登録するように構成され得る。
【００１３】
通信管理サブシステムは、ユーザ機器識別子を判断するために、ユーザ機器のマクロ識別子とＯＯＢ識別子との間のユーザ機器マッピングを利用するようにさらに構成され得る。フェムトセルの近傍にあるユーザ機器を検出するように構成された通信管理サブシステムは、ＯＯＢ通信リンクを介してユーザ機器をページングし、かつ／またはＯＯＢ通信リンクを介してユーザ機器からページングに対する応答を検出するように構成され得る。応答は、マクロ識別子および／またはユーザ機器のＯＯＢ識別子を含み得る。
【００１４】
通信管理サブシステムは、フェムトセルゲートウェイからフェムトセルにおけるユーザ機器に対するハンドオーバ要求を受信するようにさらに構成され得、ハンドオーバ要求は、マクロネットワークとのアクティブ通信をマクロセルからフェムトセルにハンドオフするようにユーザ機器に指示するように構成される。マクロセルからフェムトセルにハンドインするためのユーザ機器を登録するのに続いて、ハンドオーバ要求が受信され得る。マクロセルからフェムトセルにハンドインするためのユーザ機器を登録する前に、ハンドオーバ要求が受信され得る。通信管理サブシステムは、ハンドオーバ要求を受信したことに応答してユーザ機器を検出することによって、ユーザ機器を検出するように構成され得る。通信管理サブシステムは、ユーザ機器のＯＯＢ識別子を利用してＯＯＢ通信リンクを介してユーザ機器を検出するための構成を使用して、ハンドオーバ要求を受信したことに応答してユーザ機器を検出するように構成され得る。いくつかの実施形態では、ユーザ機器のマクロ識別子が利用され得る。
【００１５】
いくつかの実施形態では、通信管理サブシステムは、ユーザ機器とフェムトセルとの間のＯＯＢ通信リンクの損失(loss)を検出するようにさらに構成され得る。ＯＯＢ通信リンクの損失を検出したことに従って、ユーザ機器が登録解除され得る。いくつかの実施形態では、通信管理サブシステムは、ユーザ機器を登録することの一部としてハンドオーバ要求を受け付けるハンドオーバ応答を送信するようにさらに構成され得る。いくつかの実施形態では、フェムトセルはセルラーネットワーク上の複数のフェムトセルのうちの１つであり、各フェムトセルは、第１のフェムトセル識別子を有し、それに従ってフェムトセルはマクロネットワークによって非一意にアドレス指定可能であり、かつ第２のフェムトセル識別子を有し、それに従ってフェムトセルはフェムトゲートウェイによって一意にアドレス指定可能である。
【００１６】
いくつかの実施形態は、マクロセル対フェムトセルハンドインのためのプロセッサを含む。プロセッサは、帯域外（ＯＯＢ）通信リンクを使用してフェムトセルの近傍にあるユーザ機器を検出し、ＯＯＢ通信リンクを使用してフェムトセルの近傍で検出されたユーザ機器に対応するユーザ機器識別子を識別し、かつ／またはユーザ機器識別子をフェムトセルからフェムトセルゲートウェイに通信してフェムトセルにおけるユーザ機器のＯＯＢ近傍検出を示すことによって、マクロセルからフェムトセルにハンドインするためのユーザ機器を登録するように構成され得る、通信管理コントローラを含み得る。
【００１７】
いくつかの実施形態は、プロセッサ可読媒体上に常駐し、プロセッサ可読命令を含む、マクロセル対フェムトセルハンドインのためのコンピュータプログラム製品を含み、命令は、実行されると、プロセッサに、帯域外（ＯＯＢ）通信リンクを使用してフェムトセルの近傍にあるユーザ機器を検出するステップ、ＯＯＢ通信リンクを使用してフェムトセルの近傍で検出されたユーザ機器に対応するユーザ機器識別子を識別するステップ、および／またはユーザ機器識別子をフェムトセルからフェムトセルゲートウェイに通信してフェムトセルにおけるユーザ機器のＯＯＢ近傍検出を示すことによって、マクロセルからフェムトセルにハンドインするためのユーザ機器を登録するステップを含み得るステップを実行させる。
【００１８】
いくつかの実施形態は、マクロセル対フェムトセルハンドインのためのシステムを含む。システムは、帯域外（ＯＯＢ）通信リンクを使用してフェムトセルの近傍にあるユーザ機器を検出するための手段、ＯＯＢ通信リンクを使用してフェムトセルの近傍で検出されたユーザ機器に対応するユーザ機器識別子を識別するための手段、および／またはユーザ機器識別子をフェムトセルからフェムトセルゲートウェイに通信してフェムトセルにおけるユーザ機器のＯＯＢ近傍検出を示すことによって、マクロセルからフェムトセルにハンドインするためのユーザ機器を登録するための手段を含み得る。
【００１９】
いくつかの実施形態は、マクロセル対フェムトセルハンドインのための方法を含む。方法は、マクロネットワークとのアクティブ通信をマクロセルから、第１のフェムトセル識別子を有する指定されたフェムトセルにハンドオフするようにユーザ機器に指示するように構成されたハンドオーバ要求を、マクロネットワークからフェムトセルゲートウェイにおいて受信することを含み得る。フェムトセルゲートウェイにおいて、ハンドオーバ要求を受信する前に複数のフェムトセルのいずれかがユーザ機器をフェムトセルゲートウェイに登録したかどうかが判断され得る。ハンドオーバ要求は、フェムトセルゲートウェイから指定されたフェムトセルに通信され得る。
【００２０】
フェムトセルゲートウェイにおいて、ハンドオーバ要求を受信する前に複数のフェムトセルのいずれかがユーザ機器をフェムトセルゲートウェイに登録したかどうかを判断することは、ハンドオーバ要求を受信する前にユーザ機器を登録している複数のフェムトセルから１つの登録フェムトセルを判断すること、および／または登録フェムトセルが第１のフェムトセル識別子を有する指定されたフェムトセルであると判断することを含み得る。マクロセル対フェムトセルハンドインのための方法は、登録フェムトセルから肯定応答メッセージを受信することをさらに含み得る。
【００２１】
フェムトセルゲートウェイにおいて、リロケーション要求を受信する前に複数のフェムトセルのいずれかがユーザ機器をフェムトセルゲートウェイに登録したかどうかを判断することは、ハンドオーバ要求を受信する前に複数のフェムトセルのいずれもユーザ機器を登録しなかったと判断することを含み得る。方法は、フェムトゲートウェイにおいて登録された複数のフェムトセルから候補フェムトセルのセットを判断することをさらに含み得る。候補フェムトセルのセットは、少なくとも第１のフェムトセル識別子によって識別され得る。候補フェムトセルのセットの各々は、それの近傍にユーザ機器があるかどうかを検出するように指示され得る。候補フェムトセルのうちの成功したフェムトセルから、それの近傍にユーザ機器があるという指示が受信され得る。成功したフェムトセルが指定されたフェムトセルであることが、判断され得る。いくつかの実施形態では、方法は、ユーザ機器がそれの近傍にあるかどうかを検出するように、候補フェムトセルのセットに指示した後の経過時間を監視することと、候補フェムトセルのうちの１つからの、それの近傍にユーザ機器があるという指示が、経過時間が所定の制限時間内にある間に受信されたかどうかを判断することとをさらに含み得る。
【００２２】
フェムトセルゲートウェイにおいて、ハンドオーバ要求を受信する前に複数のフェムトセルのいずれかがユーザ機器を登録したかどうかを判断することは、ハンドオーバ要求を受信する前にＯＯＢ近傍検出が複数のフェムトセルのいずれかから受信されたかどうかを判断することを含み得る。ＯＯＢ近傍指示は、ユーザ機器のマクロ識別子を含み得る。
【００２３】
フェムトセルゲートウェイにおいて、ハンドオーバ要求を受信する前に複数のフェムトセルのいずれかがユーザ機器を登録したかどうかを判断することは、ハンドオーバ要求を受信する前にＯＯＢ近傍指示が複数のフェムトセルのいずれかから受信されたかどうかを判断することを含み得る。ＯＯＢ近傍指示は、ユーザ機器のＯＯＢ識別子を含み得る。ユーザ機器のＯＯＢ識別子に対応するユーザ機器のマクロ識別子が、判断され得る。
【００２４】
マクロセル対フェムトセルハンドインの方法は、指定されたフェムトセルが、第１のフェムトセル識別子に従ってフェムトセルゲートウェイによって一意にアドレス指定可能であるかどうかを判断することをさらに含み得る。フェムトセルゲートウェイから、ハンドオーバ要求を指定されたフェムトセルに通信することは、第１のフェムトセル識別子を利用し得る。
【００２５】
フェムトセルゲートウェイにおいて、ハンドオーバ要求を受信する前に複数のフェムトセルのいずれかがユーザ機器を登録したかどうかを判断することは、複数のフェムトセルのうちの２つ以上のフェムトセルが、第１のフェムトセル識別子に従ってフェムトセルゲートウェイによってアドレス指定可能であるかどうかを判断することを含み得る。指定されたフェムトセルが、第１のフェムトセル識別子に従ってアドレス指定可能な２つ以上のフェムトセルのうちの１つであるかどうかを判断することは、第２のフェムトセル識別子を利用し得る。
【００２６】
いくつかの実施形態では、マクロセル対フェムトセルハンドインの方法は、複数のフェムトセルから候補フェムトセルのセットを判断することと、ハンドオーバ要求の中のＯＯＢハンドイン原因値を使用して、候補フェムトセルのセットの各々に、それの近傍にユーザ機器があるかどうかを検出するように指示することとをさらに含み得る。方法は、候補フェムトセルのうちの１つからＯＯＢ受付けメッセージを受信することをさらに含み得る。ＯＯＢ受付けメッセージは、候補フェムトセルのうちの１つがそれの近傍にユーザ機器を検出したことを示し得る。方法は、ＯＯＢ受付けメッセージと関連付けられた候補セルのうちの１つを指定されたフェムトセルとして識別することとを含み得る。いくつかの実施形態では、方法は、少なくとも候補フェムトセルのうちの１つもしくは複数からのＯＯＢ拒絶メッセージ、または候補フェムトセルのうちの１つもしくは複数からのエラー指示メッセージを受信し、かつＯＯＢ受付けメッセージを受信しないこと、および／または正常原因値を有するハンドオーバ要求を、候補フェムトセルの各々に送信することをさらに含み得る。方法は、候補フェムトセルのうちの１つまたは複数から、少なくともブラインド受付けまたはブラインド拒絶を受信すること、および／またはブラインド受付けと関連付けられた候補フェムトセルのうちの１つを指定されたフェムトセルとして識別することをさらに含み得る。
【００２７】
いくつかの実施形態は、マクロネットワークのコアノードと通信するように構成され、マクロネットワークから通信を受信するように構成されたマクロネットワークインターフェースサブシステムを含み得るフェムトセルゲートウェイを含む。フェムトセルゲートウェイは、複数のフェムトセルと通信するように構成されたフェムトセルインターフェースサブシステムを含み得る。フェムトセルゲートウェイは、マクロネットワークインターフェースサブシステムとフェムトセルインターフェースサブシステムとに通信可能に結合された通信管理サブシステムを含み得、マクロネットワークとのアクティブ通信をマクロセルから、第１のフェムトセル識別子を有する指定されたフェムトセルにハンドオフするようにユーザ機器に指示するように構成されたハンドオーバ要求をマクロネットワークから受信し、ハンドオーバ要求を受信する前に複数のフェムトセルのいずれかがユーザ機器をフェムトセルゲートウェイに登録したかどうかを判断し、かつ／またはハンドオーバ要求を指定されたフェムトセルに通信するように構成され得る。
【００２８】
ハンドオーバ要求を受信する前に複数のフェムトセルのいずれかがユーザ機器をフェムトセルゲートウェイに登録したかどうかを判断するために、通信管理サブシステムは、ハンドオーバ要求を受信する前にユーザ機器を登録した複数のフェムトセルから１つの登録フェムトセルを判断し、かつ／または登録フェムトセルが、第１のフェムトセル識別子を有する指定されたフェムトセルであると判断するように構成され得る。通信管理サブシステムは、登録フェムトセルから肯定応答メッセージを受信するようにさらに構成され得る。
【００２９】
ハンドオーバ要求を受信する前に複数のフェムトセルのいずれかがユーザ機器をフェムトセルゲートウェイに登録したかどうかを判断するために、通信管理サブシステムは、ハンドオーバ要求を受信する前に複数のフェムトセルのいずれもユーザ機器を登録しなかったと判断するように構成され得る。通信管理サブシステムは、複数のフェムトセルから候補フェムトセルのセットを判断するようにさらに構成され得る。候補フェムトセルは、少なくとも第１のフェムトセル識別子によって識別され得る。候補フェムトセルの各々は、それの近傍にユーザ機器があるかどうかを検出するように指示され得る。候補フェムトセルのうちの成功したフェムトセルから、それの近傍にユーザ機器があるという指示が受信され得る。成功したフェムトセルが指定されたフェムトセルであることが判断され得る。通信管理サブシステムは、候補フェムトセルのセットに、それの近傍にユーザ機器があるかどうかを検出するように指示した後の経過時間を監視し、かつ／または候補フェムトセルのうちの１つからの、それの近傍にユーザ機器があるという指示が、経過時間が所定の制限時間内にある間に受信されたかどうかを判断するようにさらに構成され得る。
【００３０】
ハンドオーバ要求を受信する前に複数のフェムトセルのいずれかがユーザ機器をフェムトセルゲートウェイに登録したかどうかを判断するために、通信管理サブシステムは、ハンドオーバ要求を受信する前に複数のフェムトセルのいずれかから、ユーザ機器のマクロ識別子を備えるＯＯＢ近傍指示が受信されたかどうかを判断するようにさらに構成され得る。ハンドオーバ要求を受信する前に複数のフェムトセルのいずれかがユーザ機器をフェムトセルゲートウェイに登録したかどうかを判断するために、通信管理サブシステムは、ハンドオーバ要求を受信する前に複数のフェムトセルのいずれかから、ユーザ機器のＯＯＢ識別子を備えるＯＯＢ近傍指示が受信されたかどうかを判断し、かつ／またはユーザ機器のＯＯＢ識別子に対応するユーザ機器のマクロ識別子を判断するようにさらに構成され得る。
【００３１】
いくつかの実施形態では、通信管理サブシステムは、指定されたフェムトセルが、第１のフェムトセル識別子に従ってフェムトセルゲートウェイによって一意にアドレス指定可能であるかどうかを判断するようにさらに構成され得る。ハンドオーバ要求を指定されたフェムトセルに通信することは、前記第１のフェムトセル識別子を利用し得る。
【００３２】
いくつかの実施形態では、ハンドオーバ要求を受信する前に複数のフェムトセルのいずれかがユーザ機器を登録したかどうかを判断するように構成された通信管理サブシステムは、複数のフェムトセルのうちの２つ以上のフェムトセルが、第１のフェムトセル識別子に従ってフェムトセルゲートウェイによってアドレス指定可能であるかどうかを判断し、かつ／または指定されたフェムトセルが、第２のフェムトセル識別子を利用して、第１のフェムトセル識別子に従ってアドレス指定可能な２つ以上のフェムトセルのうちの１つであるかどうかを判断するための構成を含み得る。
【００３３】
いくつかの実施形態では、通信管理サブシステムは、複数のフェムトセルから候補フェムトセルのセットを判断し；ハンドオーバ要求の中のＯＯＢハンドイン原因値を使用して、候補フェムトセルの各々に、それの近傍にユーザ機器があるかどうかを検出するように指示するようにさらに構成され得る。通信管理サブシステムは、候補フェムトセルのうちの１つが、それの近傍でユーザ機器を検出したことを示すＯＯＢ受付けメッセージを、候補フェムトセルのうちの１つから受信し、かつ／または候補セルのうちの１つを指定されたフェムトセルとして識別するようにさらに構成され得る。通信管理サブシステムは、少なくとも候補フェムトセルのうちの１つもしくは複数からのＯＯＢ拒絶メッセージ、または候補フェムトセルのうちの１つもしくは複数からのエラー指示メッセージを受信し、かつＯＯＢ受付けメッセージを受信せず；正常原因値を有するハンドオーバ要求を候補フェムトセルの各々に送信するようにさらに構成され得る。通信管理サブシステムは、候補フェムトセルのうちの１つまたは複数から、少なくともブラインド受付けまたはブラインド拒絶を受信し、かつ／またはブラインド受付けと関連付けられた候補フェムトセルのうちの１つを指定されたフェムトセルとして識別するようにさらに構成され得る。
【００３４】
いくつかの実施形態は、フェムトセルゲートウェイの中に、マクロセル対フェムトセルハンドインのためのプロセッサを含む。プロセッサは、マクロネットワークとのアクティブ通信をマクロセルから、第１のフェムトセル識別子を有する指定されたフェムトセルにハンドオフするようにユーザ機器に指示するように構成されたハンドオーバ要求をマクロネットワークから受信し、ハンドオーバ要求を受信する前に複数のフェムトセルのいずれかがユーザ機器をフェムトセルゲートウェイに登録したかどうかを判断し、かつ／またはハンドオーバ要求を指定されたフェムトセルに通信するように構成された、通信管理コントローラを含み得る。
【００３５】
いくつかの実施形態は、フェムトセルゲートウェイにおいて配設されたプロセッサ可読媒体上に常駐し、プロセッサ可読命令を含む、マクロセル対フェムトセルハンドインのためのコンピュータプログラム製品を含み、命令は、実行されると、プロセッサに、マクロネットワークとのアクティブ通信をマクロセルから、第１のフェムトセル識別子を有する指定されたフェムトセルにハンドオフするようにユーザ機器に指示するように構成されたハンドオーバ要求をマクロネットワークから受信するステップ、ハンドオーバ要求を受信する前に複数のフェムトセルのいずれかがユーザ機器をフェムトセルゲートウェイに登録したかどうかを判断するステップ、および／またはハンドオーバ要求を指定されたフェムトセルに通信するステップを含み得るステップを実行させる。
【００３６】
いくつかの実施形態は、マクロネットワークとのアクティブ通信をマクロセルから、第１のフェムトセル識別子を有する指定されたフェムトセルにハンドオフするようにユーザ機器に指示するように構成されたハンドオーバ要求をマクロネットワークから受信するための手段、ハンドオーバ要求を受信する前に複数のフェムトセルのいずれかがユーザ機器をフェムトセルゲートウェイに登録したかどうかを判断するための手段、および／またはハンドオーバ要求を指定されたフェムトセルに通信するための手段を含み得る、マクロセル対フェムトセルハンドインのためのシステムを含む。
【００３７】
上記では、以下の詳細な説明がより良く理解され得るように、開示による例についてやや広く概説した。以下で、追加の特徴について説明する。開示する概念および具体例は、本開示の同じ目的を実行するために他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲の制限を定めるものではない。
【００３８】
本明細書の残りの部分および図面を参照すれば、本開示によって提供される例の性質および利点がさらに理解され得る。複数の図面全体にわたって同様の構成要素を指すのに同様の参照番号を使用する。場合によっては、複数の同様の構成要素のうちの１つを示すためにサブラベルを参照番号に関連付ける。既存のサブラベルの特定なしに参照番号を参照するとき、参照番号はすべてのそのような同様の構成要素を指す。
【図面の簡単な説明】
【００３９】
【図１】様々な実施形態によるワイヤレス通信システムのブロック図。
【図２Ａ】様々な実施形態による、フェムトセルを含むワイヤレス通信システムのブロック図。
【図２Ｂ】様々な実施形態による、別のフェムトセルを含むワイヤレス通信システムのブロック図。
【図３】様々な実施形態による、通信管理サブシステムの機能を実装するためのプロセッサモジュールの一例のブロック図。
【図４】様々な実施形態によるモバイルユーザ機器の一例のブロック図。
【図５】様々な実施形態による、フェムトセルを使用するアクティブハンドインを可能にするための通信システムの簡素化されたネットワーク図。
【図６Ａ】様々な実施形態による、フェムトセルゲートウェイを含むワイヤレス通信システムのブロック図。
【図６Ｂ】様々な実施形態による別のフェムトセルゲートウェイのブロック図。
【図７Ａ】様々な実施形態による、ユーザ機器のフェムトセルへの登録を処理するための方法の流れ図。
【図７Ｂ】様々な実施形態による、帯域外近傍検出のためにＢｌｕｅｔｏｏｔｈ無線を使用してユーザ機器のフェムトセルへの登録を処理するための方法の流れ図。
【図８】様々な実施形態による、フェムトセルとのアクティブハンドインを処理するための方法の流れ図。
【図９】図９および図１０の方法など、様々な実施形態によるアクティブハンドインを示すコールフロー図。
【図１０】様々な実施形態による、ユーザ機器のフェムトセルとの登録解除を処理するための方法の流れ図。
【図１１】様々な実施形態による、ＯＯＢ近傍検出なしに一定のアクティブハンドイン機能を実装するための方法の流れ図。
【図１２】様々な実施形態による、フェムトセルゲートウェイにおいてフェムトセル支援のアクティブハンドインを処理するための方法の流れ図。
【図１３Ａ】様々な実施形態による、フェムトセルゲートウェイにおいてフェムトセル支援のアクティブハンドインを処理するための方法の流れ図。
【図１３Ｂ】様々な実施形態による、段階的アプローチを用いてフェムトセルゲートウェイにおいてフェムトセル支援のアクティブハンドインを処理するための方法の流れ図。
【図１４Ａ】図１１、図１２および／または図１３の方法のような様々な実施形態によるアクティブハンドインを示すコールフロー図。
【図１４Ｂ】図１１、図１２および／または図１３の方法のような様々な実施形態によるアクティブハンドインを示すコールフロー図。
【図１５Ａ】様々な実施形態による、「段階的」アプローチが使用され、ＯＯＢ検出が成功するときの、ハンドオーバ要求の受付けを処理するための方法のコールフロー図。
【図１５Ｂ】様々な実施形態による、「段階的」アプローチが使用され、ＯＯＢ検出が成功しないときの、ハンドオーバ要求の受付けを処理するための方法のコールフロー図。
【発明を実施するための形態】
【００４０】
以下の説明は、一般に、モバイルデバイスのためのアクティブマクロ通信のマクロセル対フェムトセルハンドインのサポートに関する。フェムトセルが、（例えば、フェムトプロキシシステムの一部であり得るフェムトセルに統合された帯域外無線によって確立される帯域外リンクを使用して）それの近傍にあるモバイルデバイスを検出し得る。フェムトセルは、それの近傍にあるモバイルデバイスを検出すると、モバイルデバイスを、マクロネットワークと通信しているコアネットワーク中に配設されたフェムトセルゲートウェイ（または、他のタイプのインターフェースゲートウェイ）に事前登録するために、ＯＯＢ近傍検出またはＯＯＢ存在指示を通信し得る。フェムトセルゲートウェイが、事前登録されたモバイルデバイスを示唆するハンドオーバ要求をマクロネットワークから受信したとき、フェムトセルゲートウェイは、ＯＯＢ近傍検出に従ってハンドインのために使用すべき適切なフェムトセルを確実に判断することが可能であり得る。いくつかの実施形態はまた、ハンドオーバ要求が生じた後にモバイルデバイスを登録することを提供する。加えて、いくつかの実施形態は、ハンドオーバ要求の受付けを処理するための「段階的」アプローチを提供し得る。
【００４１】
以下の説明は、例を与えるものであり、特許請求の範囲において記載される範囲、適用性、または構成を限定するものではない。本開示の趣旨および範囲から逸脱することなく、説明される要素の機能および構成において変更が行われ得る。様々な例は、適宜に様々なプロシージャまたは構成要素を省略、置換、または追加し得る。例えば、説明される方法は、説明される順序とは異なる順序で実行され得、様々な動作が追加、省略、または組み合わせられ得る。また、いくつかの例に関して説明される特徴は、他の例において組み合わせられ得る。
【００４２】
最初に図１を参照すると、ブロック図が、ワイヤレス通信システム１００の例を示している。システム１００は、マクロセル基地局１０５と、ユーザ機器（ＵＥ）１１５と、基地局コントローラ１２０と、フェムトセル１２５と、コアネットワーク１３０とを含む（コントローラ１２０はコアネットワーク１３０に統合され得る）。システム１００は、複数のキャリア（異なる周波数の波形信号）上での動作をサポートし得る。マルチキャリア送信機は、複数のキャリア上で同時に被変調信号を送信し得る。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（例えば、パイロット信号）、オーバーヘッド情報、データなどを搬送し得る。システム１００は、ネットワークリソースを効率的に割り振ることが可能なマルチキャリアＬＴＥネットワークであり得る。
【００４３】
ＵＥ  １１５は、移動局、モバイルデバイス、アクセス端末、加入者ユニットまたはユーザ機器のうちの任意のタイプであってよい。ＵＥ  １１５は、セルラー電話とワイヤレス通信デバイスとを含み得るが、携帯情報端末（ＰＤＡ）、スマートフォン、他のハンドヘルドデバイス、ネットブック、ノートブックコンピュータなどをも含み得る。従って、ユーザ機器（ＵＥ）という用語は、任意のタイプのワイヤレスまたはモバイルの通信デバイスを含むために、特許請求の範囲を含めて以下に広く解釈されるべきである。
【００４４】
マクロセル基地局１０５は、基地局アンテナを介してＵＥ  １１５とワイヤレス通信し得る。マクロセル基地局１０５は、複数のキャリアを介してコントローラ１２０の制御下でＵＥ  １１５と通信するように構成され得る。基地局１０５のサイトの各々は、通信カバレージを該当の地理的エリアに与え得る。いくつかの実施形態では、マクロセル基地局１０５は、ノードＢと呼ばれ得る。ここでは、各マクロセル基地局１０５に対するカバレージエリアは、１１０−ａ、１１０−ｂまたは１１０−ｃとして識別される。基地局のためのカバレージエリアは、セクタ（図示しないが、カバレージエリアの一部だけを構成する）に分割され得る。システム１００は、異なるタイプの基地局１０５（例えば、マクロ基地局、マイクロ基地局、および／またはピコ基地局）を含み得る。本明細で使用する「セル」という用語は、１）セクタ、または２）サイト（例えば、基地局１０５）に言及し得る。従って、「マクロセル」という用語は、１）マクロセルセクタ、２）マクロセル基地局（例えば、マクロセル基地局１０５）、および／または３）マクロセルコントローラに言及し得る。従って、「フェムトセル」という用語は、１）フェムトセルセクタ、または２）フェムトセル基地局（例えば、フェムトセルアクセスポイント）に言及し得る。
【００４５】
以下の説明のために、ＵＥ  １１５は、複数のマクロセル基地局１０５によって可能にされるマクロネットワークまたは同様のネットワーク上で動作する（「キャンプオン」する）。各マクロセル基地局１０５は、比較的大きい地理的エリア（例えば、半径数百メートルから数キロメートル）をカバーし得、サービスに加入している端末による無制限のアクセスを可能にし得る。ＵＥ  １１５の一部分はまた、マクロセル１１０−ａのカバレージエリア内のフェムトセルカバレージエリア１１０−ｄ（例えば、場合によってはフェムトセルアクセスポイント（ＦＡＰ）と呼ばれ得るフェムトセル１２５と通信している）内で動作するように登録され得る（または場合によっては動作することを可能にされ得る）。ＵＥ  １１５がフェムトセルに接近するにつれて、ＵＥ  １１５がマクロセル基地局１０５からフェムトセル１２５に移行し得るように、ＵＥ  １１５がフェムトセル１２５の存在を認識するための新規なメカニズムの必要性が存在する。
【００４６】
モバイルデバイスは、一般に、高度なモバイル動作を可能にするために、小さなバッテリーなどの内部電源を使用して動作するので、モバイルデバイスの電力消費を軽減するために、フェムトセルの戦略的配備が使用され得る。フェムトセルはトラフィックをオフロードして、マクロセルにおけるスペクトル使用を低減するために使用され得る。フェムトセルはまた、（例えば、容量制限、帯域幅制限、信号フェージング、信号シャドーイングなどのために）場合によっては十分なサービスまたはいかなるサービスをも経験しないことがあるエリア内でサービスを提供するために利用され得、これによりモバイルデバイスが探索時間を低減し、送信電力を低減し、送信時間を短縮することなどが可能になる。フェムトセル１２５は、比較的小さいサービスエリア内（例えば、家屋または建築物の中）でサービスを提供し得る。従って、ＵＥ  １１５は、一般に、サービスされているときにフェムトセル１１０−ｄの近くに配設され、ＵＥ  １１５が低減された送信電力を用いて通信することをしばしば可能にする。
【００４７】
例として、フェムトセルは、ホームノードＢ（「ＨＮＢ」）またはホームｅノードＢ（ＨｅＮＢ）として実装され得、レジデンス、オフィスビルなどのユーザ構内に配置され得る。フェムトセル１２５は、以下に一般的に、任意のフェムトセルアクセスポイントを説明するために使用され、制限として解釈されるべきではない。フェムトセル１２５のロケーションは、（例えば、窓の近くでの）地球測位衛星（ＧＰＳ）信号へのアクセス、または他のロケーションにおけるアクセスを可能にするために、（例えば、集中型ロケーションにおける）最大カバレージのために選定され得る。ＵＥ  １１５のセットは、実質的にユーザ構内全体にわたるカバレージを与える単一のフェムトセル１２５上に（例えば、ホワイトリスト上に）登録され得る。「ホーム」フェムトセル１２５は、ＵＥ  １１５に、マクロセル通信ネットワークへの接続を介して通信サービスへのアクセスを与える。本明細書で使用するマクロセル通信マクロネットワークは、ワイヤレスワイドエリアネットワーク（ＷＷＡＮ）であるものと仮定する。従って、「マクロセルネットワーク」および「ＷＷＡＮネットワーク」のような用語は交換可能である。同様の技法は、本開示または特許請求の範囲から逸脱することなく他のタイプのネットワーク環境、フェムトセルカバレージトポロジーなどに適用され得る。
【００４８】
ターゲットフェムトセルを識別してフェムト支援アクティブハンドインを可能にするために、システム、方法、デバイスおよびコンピュータプログラム製品を説明する。例示的な構成では、フェムトセル１２５は、１つまたは複数のＯＯＢトランシーバに統合され得る。フェムトセル１２５は、フェムトセルおよびデバイスの情報の交換を可能にするために、ＵＥ  １１５との間のＯＯＢ発見信号（例えば、Ｂｌｕｅｔｏｏｔｈページまたは問合せ信号）を送信または受信し得る。もちろん、フェムトセル１２５はまた、帯域内信号を介してＵＥ  １１５と接続するように構成され得る。フェムトセル１２５は、ＯＯＢ通信リンクを使用してフェムトセル１２５の近傍にあるＵＥ  １１５を検出し得る。フェムトセル１２５は、ＵＥ  １１５の識別子を識別し得る。フェムトセル１２５は、例えばマクロセル基地局１０５からフェムトセル１２５にハンドインするためのＵＥ  １１５を登録し得る。登録プロセスは、ＵＥ識別子と、フェムトセル１２５へのＵＥ  １１５のＯＯＢ近傍検出を示すこととを、フェムトセル１２５からフェムトセルゲートウェイ（図示せず）に通信することを含み得る。
【００４９】
本明細書で使用する「周波数レンジ」という用語は、特定のマクロセルもしくはフェムトセルに割り振られた、またはＯＯＢシグナリングのための、周波数スペクトルを指すために使用され得る。マクロセル周波数レンジは、ＷＷＡＮ通信に割り振られた周波数のセットの中の第１の周波数チャネルであり得、フェムトセル周波数レンジは、ＷＷＡＮ通信に割り振られた周波数のセットの中の第２の周波数チャネルであり得る。マクロセル周波数レンジおよびフェムトセル周波数レンジは、同じでも異なってもよい（それゆえ、フェムトセルに対するイントラ周波数探索またはインター周波数探索があり得る。）追加のマクロセル周波数レンジは、ＷＷＡＮ通信に割り振られた周波数のセットの中の他の周波数チャネルを占有し得る。
【００５０】
本明細書で使用する「帯域外」または「ＯＯＢ」は、マクロセル通信ネットワークまたはフェムトセル通信ネットワークに関して帯域外である任意のタイプ通信を含む。例えば、フェムトセル１２５および／またはＵＥ  １１５は、Ｂｌｕｅｔｏｏｔｈ（例えば、クラス１、クラス１．５、および／またはクラス２）、ＺｉｇＢｅｅ（登録商標）（例えば、ＩＥＥＥ８０２．１５．４−２００３ワイヤレス規格による）、近距離通信（ＮＦＣ）、ＷｉＦｉ、ウルトラワイドバンド（ＵＷＢ）リンク、および／またはマクロセルネットワーク帯域外の任意の他の有用なタイプの通信を使用して動作するように構成され得る。
【００５１】
フェムトセル１２５へのＯＯＢ統合は、いくつかの特徴を提供し得る。例えば、ＯＯＢシグナリングは、低減された干渉、低電力のフェムトセル登録、マクロセルオフローディングなどを可能にし得る。さらに、ＯＯＢ機能のフェムトセル１２５への統合は、フェムトセル１２５と関連付けられたＵＥ  １１５が、ＯＯＢピコネットの一部になることも可能にし得る。ピコネットは、拡張されたＨＮＢ機能、他の通信サービス、電力管理機能、および／またはＵＥ  １１５に対する他の特徴を可能にし得る。これらおよび他の特徴は、以下の説明からさらに諒解されよう。
【００５２】
図２Ａは、ＯＯＢ機能（capability）を含むワイヤレス通信システム２００−ａのブロック図を示す。このシステム２００−ａは、図１に示すシステム１００の態様の一例であり得る。フェムトセル１２５−ａは、ＯＯＢ周波数モジュール２４０−ａ、帯域内周波数モジュール２３０−ａ、および／または通信管理サブシステム２５０を含み得る。帯域内周波数モジュール２３０−ａは、図１を参照して説明するように、フェムトノードＢおよび／または無線ネットワークコントローラであり得る。フェムトセル１２５−ａはまた、アンテナ２０５と、トランシーバモジュール２１０と、メモリ２１５と、プロセッサモジュール２２５とを含み得、その各々は（例えば、１つまたは複数のバスを介して）互いに直接または間接的に通信中であり得る。トランシーバモジュール２１０は、アンテナ２０５を介してＵＥ  １１５と双方向に通信するように構成され得る。トランシーバモジュール２１０（および／またはフェムトセル１２５−ａの他の構成要素）はまた、マクロ通信ネットワーク１００−ａ（例えば、ＷＷＡＮ）と双方向に通信するように構成され得る。例えば、トランシーバモジュール２１０は、バックホールネットワークを介してマクロ通信ネットワーク１００−ａと通信するように構成され得る。マクロ通信ネットワーク１００−ａは図１の通信システム１００であり得る。
【００５３】
メモリ２１５は、ランダムアクセスメモリ（ＲＡＭ）と読取り専用メモリ（ＲＯＭ）とを含み得る。いくつかの実施形態では、メモリ２１５は、ＵＥマッピング２１９を記憶するように構成されたデータストア２１７を含む（またはデータストア２１７と通信している）。以下でより十分に説明するように、これらのＵＥマッピング２１９は、一定のフェムトセル支援ハンドイン機能を可能にするために使用され得る。一般に、ＵＥマッピング２１９は、各ＵＥ  １１５の識別子（例えば、ＵＥ  １１５のＳＩＭカードに関連する国際モバイル加入者識別情報（ＩＭＳＩ：International Mobile Subscriber Identity））をＵＥ  １１５のＯＯＢ無線に対応するＯＯＢ識別子（例えば、ＵＥ  １１５のＢｌｕｅｔｏｏｔｈアドレス）とマッピングする。いくつかの実施形態では、例えばパブリックロングコードマスクを含めて、さらなるマッピングがＵＥマッピング２１９によって各ＵＥ  １１５について維持される。
【００５４】
メモリ２１５はまた、実行されると、プロセッサモジュール２２５に本明細書で説明する様々な機能（例えば、呼処理、データベース管理、メッセージルーティングなど）を実行させるように構成された命令を含んでいるコンピュータ可読、コンピュータ実行可能ソフトウェアコード２２０を記憶し得る。代替的に、ソフトウェア２２０は、プロセッサモジュール２２５によって直接的に実行可能でないことがあるが、例えば、コンパイルされ実行されると、コンピュータに本明細書で説明する機能を実行させるように構成され得る。
【００５５】
プロセッサモジュール２２５は、例えば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール２２５は、マイクロフォンを介してオーディオを受信し、そのオーディオを、受信したオーディオを表す（例えば、長さ３０ｍｓの）パケットに変換し、そのオーディオパケットをトランシーバモジュール２１０に供給し、ユーザが話しているかどうかの指示を与えるように構成された音声エンコーダ（図示せず）を含み得る。代替的に、エンコーダはパケットのみをトランシーバモジュール２１０に供給し、パケット自体の供給または抑制／抑圧が、ユーザが話しているかどうかの指示を与え得る。
【００５６】
トランシーバモジュール２１０は、パケットを変調し、変調されたパケットを送信のためにアンテナ２０５に供給し、アンテナ２０５から受信されたパケットを復調するように構成されたモデムを含み得る。フェムトセル１２５−ａのいくつかの例は単一のアンテナ２０５を含み得るが、フェムトセル１２５−ａは、好ましくは複数のリンクのための複数のアンテナ２０５を含む。例えば、ＵＥ  １１５とのマクロ通信をサポートするために１つまたは複数のリンクが使用され得る。また、１つまたは複数の帯域外リンクが同じアンテナ２０５または異なるアンテナ２０５によってサポートされ得る。
【００５７】
特に、フェムトセル１２５−ａは、帯域内周波数モジュール２３０−ａとＯＯＢ周波数モジュール２４０−ａの両方の機能を与えるように構成され得る。例えば、ＵＥ  １１５がフェムトセルカバレージエリアに接近すると、ＵＥ  １１５のＯＯＢ無線が、ＯＯＢ周波数モジュール２４０−ａの探索を開始し得る。ある場合には、ＯＯＢ周波数モジュール２４０−ａは、ＵＥのＯＯＢ無線をページングし得る。発見されると、ＵＥ  １１５は、それがフェムトセルカバレージエリアの近傍にあるという高いレベルの確信を有し得、帯域内周波数モジュール２３０−ａの走査が始まり得る。同様に、ＯＯＢ周波数モジュール２４０−ａは、ＵＥ  １１５がフェムトセル１２５−ａの近傍にあると判断するために、フェムトセル１２５−ａによって利用され得る。
【００５８】
帯域内周波数モジュール２３０−ａの走査は、異なる方法で実装され得る。例えば、ＵＥ  １１５のＯＯＢ無線によるＯＯＢ周波数モジュール２４０−ａの発見に起因して、ＵＥ  １１５とフェムトセル１２５−ａの両方は互いの近接性を認識し得る。ＵＥ  １１５は、帯域内周波数モジュール２３０−ａを走査し得る。代替的に、帯域内周波数モジュール２３０−ａは、ＵＥ  １１５を、（例えば、個別に、またはすべての登録されたＵＥ  １１５のラウンドロビンポーリングの一部として）ポーリングし得、ＵＥ  １１５はポーリングをリッスンし得る。帯域内周波数モジュール２３０−ａの走査が成功すると、ＵＥ  １１５は、帯域内周波数モジュール２３０−ａに接続し得る。
【００５９】
ＵＥ  １１５がフェムトセルカバレージエリア内にあり、通信リンクを介して帯域内周波数モジュール２３０−ａにリンクされているとき、ＵＥ  １１５は、帯域内周波数モジュール２３０−ａを介してマクロ通信ネットワーク１００−ａと通信中であり得る。上記で説明したように、ＵＥ  １１５はまた、ＯＯＢ周波数モジュール２４０−ａがマスターとして働くピコネットのスレーブであり得る。例えば、ピコネットは、Ｂｌｕｅｔｏｏｔｈを使用して動作し得、帯域内周波数モジュール２３０−ａ中の（例えば、トランシーバモジュール２１０の一部として実装される）Ｂｌｕｅｔｏｏｔｈ無線によって可能にされるＢｌｕｅｔｏｏｔｈ通信リンクを含み得る。
【００６０】
帯域内周波数モジュール２３０−ａの例は、基地局またはワイヤレスアクセスポイント機器の様々な構成を有する。本明細書で使用するように、帯域内周波数モジュール２３０−ａは、様々な端末（例えば、クライアントデバイス（ＵＥ  １１５など）、近傍エージェントデバイスなど）と通信するデバイスであり得、基地局、ノードＢ、ホームノードＢ、および／または他の同様のデバイスと呼ばれることもあり、それらの機能の一部または全部を含み得る。本明細書では帯域内周波数モジュール２３０−ａと呼ぶが、本明細書でのその概念は、フェムトセル構成以外のアクセスポイント構成（例えば、ピコセル、マイクロセルなど）に適用可能である。帯域内周波数モジュール２３０−ａの例は、帯域内周波数モジュール２３０−ａに関連付けられたフェムトセルカバレージエリア内での通信を可能にするため（例えば、改善されたエリアのカバレージを与えるために、増加された容量を与えるため、増加された帯域幅を与えるためなど）に対応するセルラーネットワーク（例えば、マクロ通信ネットワーク１００−ａ、またはその一部分）に対してネイティブな通信周波数およびプロトコルを利用する。
【００６１】
帯域内周波数モジュール２３０−ａは、図２Ａに明示的に示していない他のインターフェースと通信中であり得る。例えば、帯域内周波数モジュール２３０−ａは、ネイティブセルラーワイヤレスリンク（例えば、「帯域内」通信リンク）を介して、ＵＥ  １１５など、様々な適切に構成されたデバイスと通信するためのトランシーバモジュール２１０の一部としてのネイティブセルラーインターフェース（例えば、動作中に比較的大きい電力量を消費し得るセルラーネットワーク通信技法を利用する特殊なトランシーバ）と通信中であり得る。そのような通信インターフェースは、限定はしないが、広帯域符号分割多元接続（Ｗ−ＣＤＭＡ）、ＣＤＭＡ２０００、ｇｌｏｂａｌ  ｓｙｓｔｅｍ  ｆｏｒ  ｍｏｂｉｌｅ  ｔｅｌｅｃｏｍｍｕｎｉｃａｔｉｏｎ（ＧＳＭ）（登録商標）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａｘ）、およびワイヤレスＬＡＮ（ＷＬＡＮ）を含む、様々な通信規格に従って動作し得る。同じくまたは代替的に、帯域内周波数モジュール２３０−ａは、様々なデバイスまたは他のネットワークと通信するためのトランシーバモジュール２１０の一部としての１つまたは複数のバックエンドネットワークインターフェース（例えば、インターネット、パケット交換ネットワーク、交換ネットワーク、無線ネットワーク、制御ネットワーク、ワイヤードリンクなどを介して通信を行うバックホールインターフェース）と通信中であり得る。
【００６２】
上記で説明したように、帯域内周波数モジュール２３０−ａは、さらに、トランシーバモジュール２１０および／またはＯＯＢ周波数モジュール２４０−ａの一部としての１つまたは複数のＯＯＢインターフェースと通信中であり得る。例えば、ＯＯＢインターフェースは、動作中に比較的低い電力量を消費するトランシーバを含み得、かつ／または帯域内トランシーバに対して帯域内スペクトルにおいてより少ない干渉を発生し得る。そのようなＯＯＢインターフェースは、ＵＥ  １１５のＯＯＢ無線など、様々な適切に構成されたデバイスに対して低電力ワイヤレス通信を行うために、実施形態に従って利用され得る。ＯＯＢインターフェースは、例えば、Ｂｌｕｅｔｏｏｔｈリンク、超広帯域（ＵＷＢ）リンク、ＩＥＥＥ８０２．１１（ＷＬＡＮ）リンクなどを与え得る。
【００６３】
本明細書で使用する「高電力」と「低電力」という用語は相対的な用語であり、特定のレベルの電力消費を暗示しない。従って、ＯＯＢデバイス（例えば、ＯＯＢ周波数モジュール２４０−ａ）は、所与の動作時間の間、（例えば、マクロＷＷＡＮ通信のための）ネイティブセルラーインターフェースよりも消費電力が少なくなり得るにすぎない。いくつかの実装形態では、ＯＯＢインターフェースはまた、マクロ通信インターフェースと比較して、比較的より低い帯域幅の通信、比較的より短い距離の通信を行い、および／または比較的より低い電力を消費する。ＯＯＢデバイスおよびインターフェースが低電力、短距離、および／または低帯域幅であるという制限はない。デバイスは、ＩＥＥＥ８０２．１１、Ｂｌｕｅｔｏｏｔｈ、ＰＥＡＮＵＴ、ＵＷＢ、ＺｉｇＢｅｅ、ＩＰトンネル、ワイヤードリンクなど、ワイヤレスまたはそれ以外にかかわらず、任意の好適な帯域外リンクを使用し得る。その上、デバイスは、仮想ＯＯＢリンクとして働くワイヤレスワイドエリアネットワーク（ＷＷＡＮ）リンク上のＩＰベースの機構（例えば、ＷＷＡＮリンク上のＩＰトンネル）などの使用によって、仮想ＯＯＢリンクを利用し得る。
【００６４】
ＯＯＢ周波数モジュール２４０−ａは、様々なタイプのＯＯＢ機能を与え得、様々な方法で実装され得る。ＯＯＢ周波数モジュール２４０−ａは、スタンドアロンプロセッサベースシステム、ホストデバイスに統合されたプロセッサベースシステム（例えば、アクセスポイント、ゲートウェイ、ルータ、スイッチ、リピータ、ハブ、コンセントレータなど）など、様々な構成のいずれかを有し得る。例えば、ＯＯＢ周波数モジュール２４０−ａは、様々なタイプの通信を可能にするための様々なタイプのインターフェースを含み得る。いくつかの実施形態では、ＯＯＢ周波数モジュール２４０−ａは、フェムトプロキシモジュールと呼ばれ得る。
【００６５】
いくつかのＯＯＢ周波数モジュール２４０−ａは、本明細書ではワイヤレスリンクを介して干渉緩和および／またはフェムトセル選択を行うために、他の適切に構成されたデバイス（例えば、ＵＥ  １１５）と通信するためのトランシーバモジュール２１０の一部としての１つまたは複数のＯＯＢインターフェース（例えば、動作中に比較的低い電力量を消費し得、かつ／または帯域内スペクトル中よりも生じる干渉が少なくなり得るトランシーバ）を含む。好適な通信インターフェースの一例は、時分割複信（ＴＤＤ）方式を使用するＢｌｕｅｔｏｏｔｈ対応トランシーバである。
【００６６】
ＯＯＢ周波数モジュール２４０−ａはまた、様々なデバイスまたはネットワークと通信するために、トランシーバモジュール２１０の一部として１つまたは複数のバックエンドネットワークインターフェース（例えば、パケット交換ネットワークインターフェース、交換ネットワークインターフェース、無線ネットワークインターフェース、制御ネットワークインターフェース、ワイヤードリンクなど）を含み得る。帯域内周波数モジュール２３０−ａなどとともに、ホストデバイス内に統合されたＯＯＢ周波数モジュール２４０−ａは、所望される場合、ＯＯＢ周波数モジュール２４０−ａと他のデバイスとの間の通信を行うために、バックエンドネットワークインターフェースの代替として内部バスまたは他のそのような通信インターフェースを利用し得る。追加または代替として、ＯＯＢ周波数モジュール２４０−ａと帯域内周波数モジュール２３０−ａおよび／または他のデバイスもしくはネットワークとの間の通信を行うために、ＯＯＢインターフェース、ネイティブセルラーインターフェースなど、他のインターフェースが利用され得る。
【００６７】
様々な通信機能（例えば、帯域内周波数モジュール２３０−ａおよび／またはＯＯＢ周波数モジュール２４０−ａの通信機能を含む）は、通信管理サブシステム２５０を使用して管理され得る。例えば、通信管理サブシステム２５０は、マクロ（例えば、ＷＷＡＮ）ネットワーク、１つまたは複数のＯＯＢネットワーク（例えば、ピコネット、ＵＥ  １１５のＯＯＢ無線、他のフェムトプロキシ、ＯＯＢビーコンなど）、１つまたは複数の他のフェムトセル（例えば、帯域内周波数モジュール２３０−ａ）、ＵＥ  １１５などとの通信を少なくとも部分的に処理し得る。例えば、通信管理サブシステム２５０は、バスを介してフェムトセル１２５−ａの他の構成要素の一部または全部と通信しているフェムトセル１２５−ａの構成要素であり得る。
【００６８】
図２Ａで示すアーキテクチャ以外の様々な他のアーキテクチャが可能である。帯域内周波数モジュール２３０−ａおよび／またはＯＯＢ周波数モジュール２４０−ａは、共設、単一のデバイスへの統合、構成要素を共有するための構成、などがなされてもよく、またはなされなくてもよい。例えば、図２Ａのフェムトセル１２５−ａは、アンテナ２０５と、トランシーバモジュール２１０と、メモリ２１５と、プロセッサモジュール２２５とを含む構成要素を少なくとも部分的に共有する、統合された帯域内周波数モジュール２３０−ａとＯＯＢ周波数モジュール２４０−ａとを有する。
【００６９】
フェムトセル１２５−ａの構成要素は、全体的にまたは部分的に、１つまたは複数の汎用プロセッサまたは特定用途向けプロセッサによって実行されるようにフォーマットされ、メモリに組み込まれた命令を用いて、個別にまたは集合的に実装され得る。これらの構成要素はまた、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。
【００７０】
図２Ｂは、図２Ａに示したアーキテクチャとは異なるフェムトセル１２５−ｂのアーキテクチャを含むワイヤレス通信システム２００−ｂのブロック図を示す。図２Ａのフェムトセル１２５−ａと同様に、フェムトセル１２５−ｂは、ＯＯＢ周波数モジュール２４０−ｂと帯域内周波数モジュール２３０−ｂとを含む。しかしながら、図２Ａのシステム１２５−ａとは異なり、ＯＯＢ周波数モジュール２４０−ｂおよび帯域内周波数モジュール２３０−ｂの各々は、それ自体のアンテナ２０５と、トランシーバモジュール２１０と、メモリ２１５と、プロセッサモジュール２２５とを有する。両方のトランシーバモジュール２１０は、それらの該当アンテナ２０５を介してＵＥ  １１５と双方向に通信するように構成される。マクロ通信ネットワーク１００−ｂと（例えば、一般にバックホールネットワークを介して）双方向通信している帯域内周波数モジュール２３０−ｂのトランシーバモジュール２１０−１が示されている。
【００７１】
説明のために、フェムトセル１２５−ｂは、別個の通信管理サブシステム２５０なしに示されている。いくつかの構成では、通信管理サブシステム２５０は、ＯＯＢ周波数モジュール２４０−ｂと帯域内周波数モジュール２３０−ｂの両方において与えられる。他の構成では、通信管理サブシステム２５０は、ＯＯＢ周波数モジュール２４０−ｂの一部として実装される。さらに他の構成では、通信管理サブシステム２５０の機能は、ＯＯＢ周波数モジュール２４０−ｂと帯域内周波数モジュール２３０−ｂの一方または両方のコンピュータプログラム製品として実装される（例えば、ソフトウェア２２０としてメモリ２１５に記憶される）。
【００７２】
フェムトセル１２５−ｂの構成要素は、全体的にまたは部分的に、１つまたは複数の汎用プロセッサまたは特定用途向けプロセッサによって実行されるようにフォーマットされ、メモリに組み込まれた命令を用いて、個別にまたは集合的に実装され得る。これらの構成要素はまた、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。
【００７３】
さらに他の構成では、システム２００−ａの通信管理サブシステム２５０の機能の一部または全部が、プロセッサモジュール２２５の構成要素として実装され得る。図３は、通信管理サブシステム２５０の機能を実装するためのプロセッサモジュール２２５−ａのブロック図３００を示す。プロセッサモジュール２２５−ａは、ＷＷＡＮ通信コントローラ３１０とユーザ機器コントローラ３２０とを含み得る。プロセッサモジュール２２５−ａは、（例えば、図２Ａおよび図２Ｂに示したように）ＯＯＢ周波数モジュール２４０および／または帯域内周波数モジュール２３０と通信中であり得る。ＷＷＡＮ通信コントローラ３１０は、指定されたＵＥ  １１５のためのＷＷＡＮ通信（例えば、ページ）を受信するように構成され得る。ユーザ機器コントローラ３２０は、ＯＯＢ周波数モジュール２４０および／または帯域内周波数モジュール２３０の動作に影響を及ぼすことを含めて、通信をどのように処理すべきかを判断し得る。
【００７４】
図２Ａの帯域内周波数モジュール２３０−ａと図２Ｂの帯域内周波数モジュール２３０−ｂの両方が、マクロ通信ネットワーク１００−ａにのみ通信リンクを与えるように示されている。しかしながら、帯域内周波数モジュール２３０は、多くの異なるタイプのネットワークおよび／またはトポロジーを介して通信機能を提供し得る。例えば、帯域内周波数モジュール２３０は、セルラー電話網、セルラーデータネットワーク、ローカルエリアネットワーク（ＬＡＮ）、メトロポリタンエリアネットワーク（ＭＡＮ）、ワイドエリアネットワーク（ＷＡＮ）、公衆交換電話網（ＰＳＴＮ）、インターネットなどのためのワイヤレスインターフェースを与え得る。
【００７５】
上記で説明したように、フェムトセル１２５は、ＵＥ  １１５を含むクライアントデバイスと通信するように構成され得る。図４は、図１〜図３の通信システムおよびネットワークのコンテキストにおいて図２Ａおよび／または図２Ｂのフェムトセル１２５とともに使用するモバイルユーザ機器（ＵＥ）１１５−ａのブロック図４００を示す。ＵＥ  １１５−ａは、パーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。明快のために、ＵＥ  １１５−ａは、モバイル動作を可能にするために、小さいバッテリーなど、内部電源（図示せず）を有するモバイル構成で与えられるものと仮定する。
【００７６】
ＵＥ  １１５−ａは、アンテナ４４５と、帯域内トランシーバモジュール４１０と、ＯＯＢトランシーバモジュール４０５と、メモリ４１５と、プロセッサモジュール４２５とを含み得、その各々は、（例えば、１つまたは複数のバスを介して）互いに直接または間接的に通信中であり得る。トランシーバモジュール４０５、４１０は、アンテナ４４５を介してフェムトセルおよびマクロセルと双方向に通信するように構成され得る。例えば、帯域内トランシーバモジュール４１０は、図１のマクロセルのマクロセル基地局１０５と、ならびに図１、図２Ａまたは図２Ｂのフェムトセル１２５と双方向に通信するように構成され得る。ＯＯＢトランシーバモジュール４０５は、図１、図２Ａまたは図２Ｂのフェムトセル１２５と双方向に通信するように構成され得る。各トランシーバモジュール４０５、４１０は、パケットを変調し、変調されたパケットを送信のためにアンテナ４４５に供給し、アンテナ４４５から受信されたパケットを復調するように構成されたモデムを含み得る。ＵＥ  １１５−ａは単一のアンテナを含み得るが、ＵＥ  １１５−ａは、一般に、複数のリンクのための複数のアンテナ４４５を含む。
【００７７】
上記で概括的に参照されるように、ＯＯＢトランシーバモジュール４０５は、以下により詳細に説明するように、１つまたは複数のＯＯＢ通信リンクを介してフェムトセルと通信するように構成され得る。モバイルデバイス１１５−ａにおけるＯＯＢトランシーバモジュール４０５は、例えばＢｌｕｅｔｏｏｔｈトランシーバを含み得る。
【００７８】
メモリ４１５は、ランダムアクセスメモリ（ＲＡＭ）と読取り専用メモリ（ＲＯＭ）とを含み得る。メモリ４１５は、実行されると、プロセッサモジュール４２５に本明細書で説明する様々な機能（例えば、呼処理、データベース管理、メッセージルーティングなど）を実行させるように構成された命令を含んでいるコンピュータ可読、コンピュータ実行可能ソフトウェアコード４２０を記憶し得る。代替的に、ソフトウェア４２０は、プロセッサモジュール４２５によって直接的に実行され得ないが、（例えば、コンパイルされ実行されると）コンピュータに本明細書で説明する機能を実行させるように構成され得る。
【００７９】
プロセッサモジュール４２５は、例えば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール３２５は、マイクロフォンを介してオーディオを受信し、そのオーディオを、受信したオーディオを表す（例えば、長さ３０ｍｓの）パケットに変換し、そのオーディオパケットをトランシーバモジュール４１０に供給し、ユーザが話しているかどうかの指示を与えるように構成された音声エンコーダ（図示せず）を含み得る。代替的に、エンコーダはパケットのみを帯域内トランシーバモジュール４１０に供給し、パケット自体の供給または抑制／抑圧が、ユーザが話しているかどうかの指示を与え得る。
【００８０】
図４のアーキテクチャによれば、ＵＥ  １１５−ａは通信管理モジュール４４０をさらに含む。通信管理モジュール４４０は、マクロセル、フェムトセル、他のＵＥ  １１５（例えば、セカンダリピコネットのマスターとして働く）などとの通信を管理し得る。例として、通信管理モジュール４４０は、バスを介してＵＥ  １１５−ａの他の構成要素の一部または全部と通信しているＵＥ  １１５−ａの１構成要素であり得る。代替的に、通信管理モジュール４４０の機能は、トランシーバモジュール４０５、４１０の構成要素として、コンピュータプログラム製品として、および／またはプロセッサモジュール４２５の１つまたは複数のコントローラ要素として実装され得る。
【００８１】
ＵＥ  １１５−ａのいくつかの構成要素は、全体的にまたは部分的に、１つまたは複数の汎用プロセッサまたは特定用途向けプロセッサによって実行されるようにフォーマットされ、メモリに組み込まれた命令を用いて、個別にまたは集合的に実装され得る。これらの構成要素はまた、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。
【００８２】
多くの場合、アクティブユーザ（アクティブＵＥ  １１５）にシームレスなボイスおよびデータサービスを提供するために、ハンドオーバを使用して、マクロセル（例えば、図１のマクロセル基地局１０５）からフェムトセル１２５へのアクティブハンドイン、および／またはフェムトセル１２５からマクロセル基地局１０５へのアクティブハンドアウトをサポートすることが望ましい。アクティブハンドアウトは、比較的実装するのが簡単であり得、レガシーマクロネットワーク１００およびＵＥ  １１５を有するたいていの事業者によってサポートされる。しかしながら、アクティブハンドインは難しく、一般に事業者によってサポートされ得ない。
【００８３】
例えば、ＵＥ  １１５が、マクロネットワーク１００とのアクティブ通信の過程の間に（例えば、ボイス呼、アクティブデータ転送、などの間に）移動するとき、ハンドオーバが必要である（例えば、現在のマクロセル基地局１０５信号が弱くなり得る）という判断がなされ得る。ハンドオーバの必要性は、アクティブＵＥ  １１５によって送られる測定報告に従って判断され得る。特に、「測定報告」という句は、概して３ＧＰＰネットワークに関連し得るが、本明細書では、任意の同様のタイプのネットワークにおける任意の同様のタイプの測定報告を含む（例えば、３ＧＰＰ２ネットワークでは「ＰＳＭＭ」またはパイロット強度測定値を含む）ものとする。
【００８４】
測定報告は、ＵＥ  １１５によって観測されたパイロットの強度の測定値と、ターゲットセルの順方向リンクセル識別子とを含み得る。セル識別子は、特定のセルを識別するためにマクロネットワーク１００によって使用される任意の識別子であり得る。例えば、セル識別子は、３ＧＰＰネットワークにおける「ＰＳＣ」（プライマリスクランブリングコード）、３ＧＰＰ２ネットワークにおける「ＰＮオフセット」、などであり得る。典型的なマクロネットワーク１００上では、マクロセル基地局１０５の地理的分布が与えられれば、各マクロセル基地局１０５が、それのセル識別子によって（例えば、マクロネットワーク１００中の無線ネットワークコントローラ（ＲＮＣ）１２０、ネットワークのコアの中のサービングＧＰＲＳサポートノード（ＳＧＳＮ：Serving GPRS Support Node）などによって）効果的に一意に識別され得ることを実質的に保証するのに十分なセル識別子（例えば、ＰＳＣ）が利用可能であり得る。
【００８５】
マクロセル基地局１０５は、マクロネットワーク１００によって効率的に一意に識別され得るが、フェムトセル１２５およびとりわけネットワークに追加された帯域内周波数モジュール２３０など、すべてのフェムトセルを一意に識別するためには、残りのセル識別子は、一般に十分に存在しない。例えば、典型的なマクロネットワーク１００は、それのネットワーク中のすべてのセルに割り当てるのに利用可能な５１２個のＰＳＣ値を有し得る。ＰＮオフセットは、混乱なしに効果的に識別され得るセルの数を拡張するために異なるキャリア上で、異なる地理的領域中などで再利用され得る。しかしながら、ＰＳＣ値の小部分のみ（すなわち、マクロセル基地局１０５による使用のために予約された値以外）が、フェムトセル１２５によって、それらの帯域内周波数モジュール２３０を介して使用するために利用可能であり得、フェムトセル１２５の数および密度は一部のエリア中で比較的大きくなり得る。例えば、場合によってはマクロセクタ当たり数百個のフェムトセル１２５の間で少数のＰＳＣ値のみが再利用されなければならない。
【００８６】
アクティブＵＥ  １１５についてマクロセル基地局１０５へのハンドオーバが（別のマクロセル基地局１０５からのハンドオーバとして、またはフェムトセル１２５からのハンドアウトとして）要求されるとき、測定報告中で与えられたセル識別子は、ハンドオフのための適切なマクロセル基地局１０５を確実に判断するのに十分であり得る。アクティブ通信は、あいまいさなしに正しいターゲットセルにハンドオフされ得る。しかしながら、アクティブＵＥ  １１５についてフェムトセル１２５へのハンドオーバが（マクロセル基地局１０５からのハンドインとして）必要とされたとき、測定報告中で与えられた同じセル識別子は、同じマクロセクタ中の複数のフェムトセル１２５によって共有され得る。従って、すべての場合においてハンドインのための適切なフェムトセル１２５を確実に判断するのに、セル識別子のみでは不十分なことがある。例えば、ＵＥ  １１５はそれのフェムトセル１２５の近くにあり得、そのフェムトセル１２５にハンドインすることが望ましいことがあるが、マクロセクタ中の別のフェムトセル１２５が同じセル識別子に関連付けられ得ることがある。
【００８７】
いくつかのより新しいネットワークでは、この問題を緩和または解決し得る追加の識別子が利用可能である。例えば、ＵＭＴＳネットワークでは、セルは、システム情報（ＳＩ）、ロケーション情報、および／またはそれの（１つまたは複数の）セル識別子のみに基づく特定のフェムトセル１２５の識別をより一意で信頼できるものにし得る他の情報を、ブロードキャストするようにアップグレードされ得る。アップグレードされたＵＥ  １１５は、例えば、近隣セルのシステム情報を復号し、アクティブ通信中に測定報告中の識別子を報告することによって、（１つまたは複数の）新しいセル識別子を活用し得る。次いで、コントローラ（図５の下方に示す、マクロ無線ネットワーク制御（ＲＮＣ：macro radio network controls）１２０および／またはサービングＧＰＲＳサポートノード（ＳＧＳＮ：Serving GPRS Support Node）５５０を含み得る）は、ターゲットフェムトセル１２５（例えば、フェムトセルゲートウェイに対する）を一意に識別するためにハンドオーバメッセージの中にＳＩ（例えば、ＣＥＬＬ＿ＩＤ、Ｃ）を含み得る。この技法は、アップグレードされたネットワークとアップグレードされたＵＥ  １１５との間の通信に対してのみ利用可能であり得る。エアインターフェースをアップグレードすることを希望しない事業者には、この技法は利用可能となり得ない。同様に、ＳＩをフェムトセルゲートウェイに転送するために彼らのネットワーク（例えば、図６Ａの下方に示す、ＲＮＣ  １２０およびＳＧＳＮ  ６５０）をアップグレードすることを希望する事業者には、この技法は利用可能となり得ない。
【００８８】
レガシーネットワークの事業者（レガシーＵＥ  １１５と通信することを望んでいる事業者を含む）は、異なる方法でアクティブハンドインのこの困難に対処し得る。いくつかの典型的なネットワークはアクティブハンドインをまったくサポートし得ない。ハンドインがＵＥ  １１５とのアクティブ通信を維持するための唯一の方法であり得る場合、アクティブ通信が単に失われ得る（例えば、マクロセル基地局１０５からの信号が失われたときに、ＵＥ  １１５が場合によってはフェムトセルカバレージエリア内にあるときでさえ、呼が中断され得る）。
【００８９】
レガシーネットワークにおけるアクティブハンドインの困難に対処するための少なくとも１つの技法によれば、一部の事業者はブラインドハンドオーバを実装し得る。例えば、測定報告が、同じマクロセクタ中の複数のフェムトセル１２５によって共有されるセル識別子を含むとき、ネットワークは、ハンドインのためのそのセル識別子を有するフェムトセル１２５のいずれかを無作為に（blindly）選択し得る。ブラインド選択が適切なフェムトセル１２５へのハンドインを生じる場合、ハンドインは、成功であり得る。しかしながら、ブラインド選択が、不適切なフェムトセル１２５（例えば、ＵＥ  １１５のレンジ外にあるフェムトセル１２５、ＵＥ  １１５が接続することを許可されないフェムトセル１２５など）へのハンドインを生じる場合、アクティブ通信が失われ得る。
【００９０】
ここで、レガシーシステムの事業者が、既存の技法を使用してフェムトセル１２５へのアクティブハンドインを確実にサポートすることが不可能であり得ることが諒解されよう。実施形態は、レガシーネットワークおよび／またはレガシーＵＥ  １１５のためのアクティブハンドインをサポートするための新規の技法を含む。図５を参照すると、アクティブハンドインを可能にするための通信システム５００の簡略化されたネットワーク図が示されている。
【００９１】
通信システム５００は、マクロネットワーク１００と、ユーザローカルネットワーク５１０と、コアネットワーク５３０とを含み得る。コアネットワーク５３０は、とりわけ、フェムトセルゲートウェイ５４０および／またはＳＧＳＮ  ５５０を含み得る。フェムトセルゲートウェイ５４０は、いくつかのフェムトセル１２５（明快のために、ただ１つのフェムトセル１２５を示す）と通信中であり得、ＳＧＳＮ  ５５０は、１つまたは複数のマクロＲＮＣ  １２０を介して複数のマクロセル基地局１０５（明快のために、ただ１つのマクロセル基地局１０５を示す）と通信している。セルラー通信が、フェムトセルゲートウェイ５４０および／またはＳＧＳＮ  ５５０の機能を使用してフェムトセル１２５によって可能にされ得るように、フェムトセル１２５は、帯域内周波数モジュール２３０を介し、コアネットワーク５３０の要素を介してマクロネットワーク１００と通信している。
【００９２】
マクロセル基地局１０５と（マクロ通信リンク５６０−ｂを介して）アクティブ通信中のＵＥ  １１５は、フェムトセル１２５のカバレージエリアに接近し得る。上記で説明したように、マクロネットワーク１００（例えば、マクロＲＮＣ  １２０）は、ＵＥ  １１５からの測定報告に基づいてハンドオーバが必要とされることを判断し得る。測定報告は、ターゲットフェムトセル１２５を、それのセル識別子（例えば、それのＰＳＣ）によって識別し得る。次いで、ハンドインのための適切なフェムトセル１２５を識別するために、ハンドオーバ要求が、ＳＧＳＮ  ５５０によってターゲットフェムトセルゲートウェイ５４０に送られ得る。
【００９３】
説明したように、特に複数のフェムトセル１２５がセル識別子を共有する場合、フェムトセルゲートウェイ５４０が、セル識別子のみを使用してハンドインのための適切なターゲットフェムトセル１２５を確実に判断することは、困難または不可能であり得る。いくつかの実施形態は、フェムトセル１２５の特徴を活用し得る。図示のように、ユーザローカルネットワーク５１０は、フェムトセル１２５の一部としてＯＯＢ周波数モジュール２４０のＯＯＢ機能に統合された帯域内周波数モジュール２３０機能を含む。このＯＯＢ機能は、ＵＥ  １１５とＯＯＢ周波数モジュール２４０との間に確立され得るＯＯＢ通信リンク５７０を介して可能にされ得る。この帯域内機能は、ＵＥ  １１５と帯域内周波数モジュール２３０との間に確立され得る帯域内通信リンク５５０−ａを介して可能にされ得る。帯域内通信リンク５５０−ａは、例えば、マクロセル１０５からフェムトセル１２５へのハンドインが生じるときに確立され得る。
【００９４】
多くの異なるタイプの帯域外通信が、ここで説明された機能を（例えば、上記で論じられたように）可能にするために使用され得るが、以下の議論では、これらの実施形態のＯＯＢ通信を可能にするものとして、Ｂｌｕｅｔｏｏｔｈに焦点を当てる。他の実施形態は、他のタイプの帯域外通信を利用し得る。Ｂｌｕｅｔｏｏｔｈは、いくつかの特徴を与え得る。１つの特徴は、Ｂｌｕｅｔｏｏｔｈ機能が、それらの既存のＵＥ  １１５を修正することなしに多くのユーザのために活用され得るように、Ｂｌｕｅｔｏｏｔｈ無線が多くのＵＥ  １１５中に統合され得ることである。別の特徴は、２つの「クラス１．５」Ｂｌｕｅｔｏｏｔｈデバイス間の許容経路損失が、フェムトセル１２５とＵＥ  １１５との間と同等、またはそれよりもさらに高くなり得ることである。任意の所与の環境では、このより高い許容経路損失は、（例えば、本明細書で説明するように、フェムトセル１２５発見、ハンドオーバ、および／または干渉緩和を可能にする）より高い有効レンジにつながり得る。
【００９５】
Ｂｌｕｅｔｏｏｔｈのさらに別の特徴は、Ｂｌｕｅｔｏｏｔｈアドレス（ＢＤ＿ＡＤＤＲ）が、各Ｂｌｕｅｔｏｏｔｈ対応デバイスを識別するために使用される一意の４８ビットアドレスを与え得ることである。Ｂｌｕｅｔｏｏｔｈアドレスは、デバイスが別のデバイスと通信するときに使用され得、２４ビットＬＡＰ（下位アドレス部）と、１６ビットＮＡＰ（非有意アドレス部：Non-significant Address Part）と、８ビットＵＡＰ（上位アドレス部）とに分割される。ＬＡＰは製造業者によって割り当てられ得、各Ｂｌｕｅｔｏｏｔｈデバイスに対して一意であり得るが、ＵＡＰおよびＮＡＰはＯｒｇａｎｉｚａｔｉｏｎａｌｌｙ  Ｕｎｉｑｕｅ  Ｉｄｅｎｔｉｆｉｅｒ（ＯＵＩ）の一部であり得る。Ｂｌｕｅｔｏｏｔｈアドレスを使用して、任意のデバイスにおける各Ｂｌｕｅｔｏｏｔｈアダプターは、グローバル一意値に従って識別され得る。
【００９６】
以下でより十分に説明するように、実施形態は、レガシーマクロネットワーク１００および／またはレガシーＵＥ  １１５への変更が最小またはなしでアクティブハンドインをサポートするために、図５の通信システム５００のようなシステムのコンテキストにおいて動作し得る。そのような実施形態の１セットは、アクティブハンドインを可能にするために、ＵＥ  １１５およびフェムトセルゲートウェイ５４０に対する修正を使用する。詳細には、フェムトセルゲートウェイ５４０によってターゲットフェムトセル１２５の識別を可能にするために、フェムトセル１２５のＯＯＢ識別子が、ＵＥ  １１５によって検出され得、測定報告の一部として通信され得る。
【００９７】
ＵＥ  １１５および（例えば、ＯＯＢ周波数モジュール２４０を介する）フェムトセル１２５の各々は、他のデバイスをページングする（例えば、ＵＥ  １１５がフェムトセル１２５をページングし、またはフェムトセル１２５がＵＥ  １１５をページングする）ために使用され得る一意のＢｌｕｅｔｏｏｔｈデバイスアドレス（ＢＤ＿ＡＤＤＲ）を有し得る。他のデバイスのＢＤ＿ＡＤＤＲがページングデバイスによって知られ得ることを理解されたい。特に、同じまたは同様の技法は、他のタイプの帯域外アドレス指定のために使用され得る。例えば、デバイスは、互いのＷｉＦｉ  ＭＡＣアドレスなどを知り得る。ＵＥ  １１５は、その場合、マクロネットワーク１００がアクティブハンドインを実施するのを支援し得る。
【００９８】
いくつかの実施形態では、フェムトセル１２５のＯＯＢ周波数モジュール２４０とのＯＯＢ通信リンク５７０が確立された後、ＵＥ  １１５は、それの測定報告の一部としてターゲットフェムトセル１２５のセル識別子（例えば、ＰＳＣ）とＯＯＢ識別子（例えば、Ｂｌｕｅｔｏｏｔｈデバイスアドレス）とをＳＧＳＮ  ５５０に通信し得る。フェムトセルゲートウェイ５４０は、セル識別子とＯＯＢ識別子との間のマッピングを維持し得、次いで、そのマッピングは、アクティブハンドインのためにターゲットフェムトセル１２５を一意に識別するために使用され得る。
【００９９】
一技法は、ＵＥ  １１５「エアインターフェース」におけるアップグレードに関与し得る（すなわち、新しいメッセージ、または既存のメッセージの修正が関連する）。また、新しいＵＥ  １１５メッセージングの適切な通信は、マクロＲＮＣ  １２０、ＳＧＳＮ  ５５０、フェムトセルゲートウェイ５４０およびフェムトセル１２５（および詳細には、フェムトセル１２５の帯域内周波数モジュール２３０）への変更を伴い得る。レガシーマクロネットワーク１００へのこれらの変更は、大部分は（ハードウェアアップグレードではなく）ソフトウェアアップグレードであり得るが、事業者は、依然として変更を実装したがらないことがある。
【０１００】
実施形態の別のセットは、マクロネットワーク１００とＵＥ  １１５の両方に対するアクティブハンドインをサポートし、それらは、場合によっては、レガシーマクロネットワーク１００および／またはレガシーＵＥ  １１５であってよい。詳細には、フェムトセル１２５および／またはフェムトセルゲートウェイ５４０への変更は、フェムトセル１２５支援のアクティブハンドインを可能にし得る。フェムトセル１２５支援のハンドインの実施形態は、エアインターフェース、マクロＲＮＣ  １２０、またはＳＧＳＮ  ５５０への変更なしに実装され得る。フェムトセル１２５支援ハンドインは、（例えば、ＵＥ  １１５をフェムトセルゲートウェイ５４０に効果的に事前登録するためにＯＯＢ近傍検出を使用して）フェムトセルゲートウェイ５４０におけるＵＥ  １１５のフェムトセル１２５による登録を活用し得る。ＵＥ  １１５を示唆するハンドオーバ指令（directive）がフェムトセルゲートウェイ５４０において受信されると、ハンドインのための適切なターゲットフェムトセル１２５を判断するのを助けるために、ＵＥ  １１５の登録がフェムトセルゲートウェイ５４０によって使用され得る。
【０１０１】
図２Ａを参照しながら上記で説明したように、フェムトセル１２５の実施形態は、ＵＥマッピング２１９を維持し得る。一般に、ＵＥマッピング２１９は、各ＵＥ  １１５のマクロ識別子（例えば、国際モバイル加入者識別情報（ＩＭＳＩ）、モバイル機器識別子（ＭＥＩＤ：Mobile Equipment Identifier）、電子シリアル番号（ＥＳＮ：Electronic Serial Number）など）をＵＥ  １１５のＯＯＢ無線に対応するＯＯＢ識別子（例えば、Ｂｌｕｅｔｏｏｔｈデバイスアドレス、ＷｉＦｉ  ＭＡＣアドレスなど）とマッピングする。フェムトセル１２５が制限付きアクセスフェムトセルであるとき、ＵＥマッピング２１９は許可されたユーザのためにのみ維持され得る。例えば、アクセス制御リストは、ＵＥマッピング２１９を含むか、またはＵＥマッピング２１９に関連付けられたフェムトセル１２５において維持され得る。
【０１０２】
特に、ＵＥマッピング２１９を確立するための様々な方法があり得る。１つの例示的な技法によれば、ＵＥ  １１５はＵＥ  １１５とフェムトセル１２５との間のＯＯＢペアリング（例えば、Ｂｌｕｅｔｏｏｔｈペアリング）を自動的にトリガし得る特定の番号に発呼する。このようにして、ＵＥマクロ識別子とＯＯＢ識別子との間のマッピングが確立され得る。別の例示的な技法によれば、ユーザは、ＵＥ  １１５のマクロ識別子（例えば、ＩＭＳＩ）とＯＯＢ識別子（例えば、ＢＤ＿ＡＤＤＲ）とをフェムトセル１２５におけるユーザインターフェースに手動で入力する。さらに別の例示的な技法によれば、ユーザは、ポータル（例えば、ウェブページ）を介してマッピング情報を入力し、フェムトセル１２５は、その情報をダウンロードする（例えば、またはフェムトセル１２５はウェブサーバを含み、ポータルはフェムトセル１２５を直接アドレス指定する）。さらに別の例示的な技法では、ＵＥのＯＯＢ識別子は、ＯＯＢ識別子をワイヤレスに取得してそれをポータルに報告するＯＯＢ対応デバイスであるスニファ（sniffer）を使用することによってポータルの中に入れられ得る。
【０１０３】
本明細で説明するアクティブハンドイン機能は、ＯＯＢ周波数モジュール２４０に統合された帯域内周波数モジュール２３０を有するフェムトセル１２５の使用を伴い得る。図５に示すように、また、上記のいくつかの例示的な構成で説明したように、ＯＯＢ周波数モジュール２４０は、帯域内周波数モジュール２３０に通信可能に結合されたＯＯＢデバイス（例えば、ＯＯＢ無線）を含む。例えば、帯域内周波数モジュール２３０とＯＯＢ周波数モジュール２４０とは、単一のハウジングまたはアセンブリ中に物理的に統合され得る（例えば、かつバスまたは何らかの他の内部接続を介して通信中であり得る）か、またはＯＯＢ周波数モジュール２４０は別個に格納され得、ワイヤード接続またはワイヤレス接続を使用して帯域内周波数モジュール２３０と通信中であり得る。一般に、ＯＯＢ周波数モジュール２４０による近傍検出が帯域内周波数モジュール２３０の近傍をも示すように、ＯＯＢ周波数モジュール２４０は帯域内周波数モジュール２３０に十分近く配置される。
【０１０４】
いくつかの他の構成では、ＯＯＢ周波数モジュール２４０は、物理的にではなく、論理的に帯域内周波数モジュール２３０に統合される（例えば、構成要素は、場合によってはネットワークによって論理的に互いに関連付けられ得る）。例えば、ＯＯＢ周波数モジュール２４０が帯域内周波数モジュール２３０から物理的に分離されても、ＯＯＢ周波数モジュール２４０による近傍検出が、帯域内周波数モジュールの近傍に関連付けられ得るように、構成要素は共通のサブネットの一部であり得る。
【０１０５】
図５で説明する構成は、単なる例であり、限定的ではないことが意図されている。ＯＯＢ周波数モジュール２４０と帯域内周波数モジュール２３０との間の同じかまたは同様のタイプの統合的な機能を提供するために、他の構成が考えられる。例えば、様々な実施形態によれば、多くの構成は、特定のフェムトセル１２５への信頼できるアクティブハンドインを可能にするために、ＯＯＢ近傍検出が使用されることを可能にし得る。
【０１０６】
フェムトセル１２５支援ハンドインを可能にするために、例えば図２Ａにおいて説明したようなフェムトセル１２５は、図６Ａおよび図６Ｂにおいて説明するようなフェムトセルゲートウェイ５４０の実施形態と対話し得る。図６Ａは、フェムトセルゲートウェイ５４０−ａを含むワイヤレス通信システム６００−ａのブロック図を示す。フェムトセルゲートウェイ５４０−ａは、通信管理サブシステム６１０、フェムトインターフェースサブシステム６３０、および／またはマクロインターフェースサブシステム６４０を含み得る。フェムトセルゲートウェイ５４０−ａはまた、メモリ６１５とプロセッサモジュール６２５とを含み得る。フェムトセルゲートウェイ５４０−ａのすべての構成要素は、（例えば、１つまたは複数のバスを介して）直接または間接的に互いに通信中であり得る。
【０１０７】
コンテキストおよび明快のために、フェムトインターフェースサブシステム６３０はフェムトセル１２５（帯域内周波数モジュール２３０とＯＯＢ周波数モジュール２４０とを含む）と通信しているように示され、マクロインターフェースサブシステム６４０はマクロセル基地局１０５と（ＳＧＳＮ  ５５０および／または１つまたは複数のＲＮＣ  １２０を介して）通信しているように示される。フェムトセル１２５支援ハンドインを可能にすることに関与するものを含む、様々な通信機能は、通信管理サブシステム６１０を使用して実装および／または管理される。例えば、通信管理サブシステム６１０は、マクロインターフェースサブシステム６４０の機能を使用してマクロネットワーク要素との通信を少なくとも部分的に処理し得、フェムトインターフェースサブシステム６３０の機能を使用してフェムトセル１２５との通信を少なくとも部分的に処理し得る。例えば、通信管理サブシステム６１０は、バスを介してフェムトセルゲートウェイ５４０の他の構成要素の一部または全部と通信しているフェムトセルゲートウェイ５４０−ａの構成要素であり得る。
【０１０８】
メモリ６１５は、ランダムアクセスメモリ（ＲＡＭ）と読取り専用メモリ（ＲＯＭ）とを含み得る。いくつかの実施形態では、メモリ６１５は、登録関連情報を維持するように構成される。以下でより十分に説明するように、登録関連情報は、フェムトセル１２５、ＵＥ  １１５などのための識別子マッピング、ならびに登録メッセージ、フラグなどを含み得る。
【０１０９】
メモリ６１５はまた、実行されると、プロセッサモジュール６２５に本明細書で説明する様々な機能（例えば、呼処理、データベース管理、メッセージルーティングなど）を実行させるように構成された命令を含んでいるコンピュータ可読、コンピュータ実行可能ソフトウェアコード６２０を記憶し得る。代替的に、ソフトウェア６２０は、プロセッサモジュール６２５によって直接的に実行され得ないが、例えば、コンパイルされ実行されると、コンピュータに本明細書で説明する機能を実行させるように構成され得る。
【０１１０】
プロセッサモジュール６２５は、例えば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール６２５の実施形態は、タイマー機能などの機能を可能にするように構成され得る。さらに、プロセッサモジュール６２５の実施形態は、通信管理サブシステム６１０、フェムトインターフェースサブシステム６３０、またはマクロインターフェースサブシステム６４０の機能の一部または全部を含むかまたは可能にする。
【０１１１】
例えば、図６Ｂは、図６Ａのフェムトセルゲートウェイ５４０−ａの代替構成であるフェムトセルゲートウェイ５４０−ｂを含むワイヤレス通信システム６００−ｂのブロック図を示す。図６Ａのフェムトセルゲートウェイ５４０−ａの場合と同様に、図６Ｂのフェムトセルゲートウェイ５４０−ｂは、フェムトインターフェースサブシステム６３０、マクロインターフェースサブシステム６４０、メモリ６１５、および／またはプロセッサモジュール６２５を含み得、そのすべては、（例えば、１つまたは複数のバスを介して）直接または間接的に互いに通信中であり得る。図６Ａのフェムトセルゲートウェイ５４０−ａとは異なり、図６Ｂのフェムトセルゲートウェイ５４０−ｂは、通信管理コントローラ６１０を含み得る。通信管理コントローラ６１０の実施形態は、図６Ａに示す通信管理サブシステム６１０の機能と実質的に同じ機能を与えるために、プロセッサモジュール６２５の一部として実装され得る。
【０１１２】
上記で説明したように、図６Ａおよび図６Ｂで説明したものなど、フェムトセルゲートウェイ５４０の実施形態は、フェムトセル１２５支援ハンドインを可能にするために、図２Ａで説明したものと同様のフェムトセル１２５と対話し得る。例えば、ＵＥ  １１５がフェムトセル１２５に接近すると、フェムトセル１２５は、ＯＯＢリンク（例えば、Ｂｌｕｅｔｏｏｔｈページングプロシージャ）を使用して、それの近傍にあるＵＥ  １１５を検出し得、または逆の場合もあり得る。ＯＯＢ検出プロシージャに加えて、またはそれの一部として、フェムトセル１２５は、ＵＥ  １１５が許可されたユーザであるかどうかを判断し得る。例えば、フェムトセル１２５は、ＵＥ  １１５が、フェムトセル１２５を介してマクロ通信サービスにアクセスすることを許可されているかどうかを判断するためにアクセス制御リストを検査し得る。
【０１１３】
互いに発見すると（また、フェムトセル１２５が、許可されたユーザとしてＵＥ  １１５を確認すると）、フェムトセル１２５はＵＥ  １１５をフェムトセルゲートウェイ５４０に登録し得る。例えば、フェムトセル１２５は、検出プロシージャ中に検出されたＵＥ  １１５のＯＯＢ識別子（例えば、Ｂｌｕｅｔｏｏｔｈデバイスアドレス）と、ＵＥ  １１５のＩＭＳＩのようなＵＥ  １１５のマクロ識別子との間のＵＥマッピング２１９を維持し得る。フェムトセル１２５は、ＵＥ  １１５のセル識別子に従ってＵＥ  １１５をフェムトセルゲートウェイ５４０に登録し得る。
【０１１４】
いくつかの実施形態では、ＵＥ  １１５がフェムトセル１２５を検出する前にＵＥ  １１５の検出および登録が実行され得るように、ＯＯＢ無線レンジ（例えば、Ｂｌｕｅｔｏｏｔｈカバレージのエッジ）はフェムトセル１２５カバレージレンジ（例えば、帯域内周波数モジュール２３０のレンジ）よりも大きくてよい。従って、多くの場合、任意のハンドオーバがＵＥ  １１５の測定報告によってトリガされる前に、ＯＯＢの近傍検出またはＯＯＢ近傍指示がフェムトセル１２５によってＵＥ  １１５に対するフェムトセルゲートウェイ５４０に通信され得る（すなわち、ＵＥ  １１５を示唆するハンドオーバ要求を受信すると、ＵＥ  １１５は効果的に「事前登録」され得る）。
【０１１５】
特に、様々なタイプの登録または事前登録は、マクロネットワーク１００および／またはフェムトセル１２５のコンテキストにおいて利用可能であり得る。本明細書で使用する「登録」および「事前登録」は、マクロネットワーク内に存在するＵＥ登録に言及する（およびフェムトセル１２５とフェムトセルゲートウェイ５４０との間のこのメッセージの通信は、ＯＯＢ近傍検出によってトリガされ得る）ことを意図し得る。別の実施形態では、登録は、具体的にはＵＥ  １１５をフェムトセルゲートウェイ５４０に登録するために、ＯＯＢ近傍検出を搬送するメッセージに言及する。ハンドオーバがトリガされ、リロケーション要求がフェムトセルゲートウェイ５４０において（例えば、ＳＧＳＮ  ６５０から）受信されると、フェムトセルゲートウェイ５４０は、（例えば、ＵＥ  １１５のマクロ識別子に従って）ＵＥ登録をハンドオーバ要求と相関させることが可能であり得る。この情報を用いて、フェムトセルゲートウェイ５４０は、適切なターゲットフェムトセル１２５を一意に識別し得、確実にハンドインに進み得る。マクロネットワーク内に存在するＵＥ  １１５登録メッセージがフェムトセルゲートウェイ５４０に対するＯＯＢ近接性を示すために使用される場合、フェムトセルゲートウェイ５４０は、ＵＥ  １１５および登録データベース内の登録フェムトセル１２５に対するエントリを、ＯＯＢ近接性を示さない通常のＵＥ登録に対して行うのと同様に、生成し得る。その後、ハンドオーバがトリガされ、リロケーション要求がフェムトセルゲートウェイ５４０において（例えば、ＳＧＳＮ  ６５０から）受信されると、フェムトセルゲートウェイ５４０は、（例えば、ＵＥ  １１５のマクロ識別子に従って）データベース内に登録を有するＵＥ  １１５をハンドオーバ要求と相関させるためにデータベース内のエントリを使用し得る。この情報を用いて、フェムトセルゲートウェイ５４０は、適切なターゲットフェムトセル１２５を一意に識別し得、ハンドインを確実に進め得る。
【０１１６】
場合によっては、フェムトセルゲートウェイ５４０は、ハンドオーバ要求を、ＵＥ  １１５のマクロ識別子（例えば、ＩＭＳＩ）を有するフェムトセル１２５の前の登録に基づいてＵＥ  １１５がフェムトセル１２５の近傍にあるとフェムトセルゲートウェイ５４０が考えていることを示すフラグとともに、フェムトセル１２５に通信する。フラグを受信すると、フェムトセル１２５は、（例えば、ＯＯＢ周波数モジュール２４０を使用してＯＯＢチャネルを介して）再びＵＥ  １１５を検出しようと試み得る。ＵＥ  １１５がもはやフェムトセル１２５の近傍にない場合、フェムトセル１２５はフェムトセルゲートウェイ５４０からのハンドオーバ要求を拒絶し得る。さらに、以下で説明するように、いくつかのタイプの登録解除技法が使用され得る。
【０１１７】
１つの登録解除技法によれば、ＵＥ  １１５は、ＯＯＢ不在指示をフェムトセルゲートウェイ５４０に通信することによって明示的に登録解除される。例えば、ＯＯＢ周波数モジュール２４０および／または帯域内周波数モジュール２３０は、ＵＥ  １１５とのリンク損失を検出し、ＯＯＢ不在指示の形態で登録解除要求をフェムトセルゲートウェイ５４０に送り得る。別の登録解除技法によれば、対応するハンドオーバ要求を受信することなく、登録後に一定の時間が経過した場合、ＵＥ  １１５は登録解除され得る。さらに別の登録解除技法によれば、ＵＥ  １１５は、ターゲットフェムトセル１２５へのハンドオーバの肯定応答時に、明示的または暗黙的に登録解除され得る。
【０１１８】
いくつかの実施形態では、登録は、アクティブＵＥ  １１５についてのみ実行される。１つの例示的なシナリオでは、上記で説明したように、登録は、ＯＯＢ通信リンクを介して検出することと、それに続いてＯＯＢの近傍検出またはＯＯＢ近傍指示をフェムトセルゲートウェイ５４０に通信することとに基づく。このシナリオでは、フェムトセル１２５は、ＵＥ  １１５がＷＷＡＮアイドル状態にあるのかアクティブ状態にあるのか（例えば、ボイス呼中であるのか）を知り得ない。アイドルハンドオーバの場合、ＵＥ  １１５のマクロ識別子（例えば、ＩＭＳＩ）を有するフェムトセルゲートウェイ５４０への、フェムトセル１２５の事前登録は無視される。例えば、ハンドオーバ要求メッセージがタイムアウトより前にフェムトセルゲートウェイ５４０に到着しない場合、暗黙的登録解除が行われ得る。
【０１１９】
別の例示的なシナリオでは、ＵＥ  １１５を示唆するハンドオーバ要求メッセージが（例えば、図１のコアネットワーク１３０からのリロケーション要求メッセージとして）フェムトセルゲートウェイ５４０に到着する。ＵＥ  １１５が事前登録されている場合でさえ、フェムトセルゲートウェイ５４０は、ハンドオーバ要求を、事前登録に基づいてＵＥ  １１５がその特定のフェムトセル１２５の近傍にあるものとフェムトセルゲートウェイ５４０が考えていることを示すフラグとともに、フェムトセル１２５に送り得る。いくつかの実施形態では、フェムトセル１２５は、ＯＯＢ通信リンクを介して再びＵＥ  １１５を検出しようと試みる。それが失敗した場合は、フェムトセル１２５はハンドオーバ要求を拒否し得、それが成功した場合は、フェムトセル１２５はハンドオーバ要求を受け付け得る。
【０１２０】
ＵＥ  １１５を示唆するハンドオーバ要求がフェムトセルゲートウェイ５４０において受信された後に、対応する登録要求がフェムトセルゲートウェイ５４０において受信された場合、フェムトセルゲートウェイ５４０は、（例えば、図１３−図１４のコールフロー図を参照しながら）以下でより十分に説明するように、様々な方法でハンドインを処理し得る。例えば、ハンドオーバ要求の後で、対応する登録要求が受信されたときでさえ、本明細で説明する技法は、アクティブハンドインを可能にするのを助けるために使用され得る。代替として、ハンドインが存在し得ないか、または上記で説明した、ブラインドハンドインなどのような技法が使用され得る。
【０１２１】
本明細書で説明するフェムトセル１２５支援ハンドイン技法は、いくつかの特徴を与えることが諒解されよう。１つの特徴は、本技法はアクティブハンドインのための適切なターゲットフェムトセル１２５を確実に判断するために使用され得ることであり得る。別の特徴は、ＯＯＢ近傍検出またはＯＯＢ近傍指示の通信を介する事前登録が、ブラインドハンドオフ技法に関連する待ち時間を低減または排除し得ることである。さらに別の特徴は、（例えば、測定要求および応答からの）コアネットワークシグナリングが低減され得ることである。また、別の特徴は、ＵＥ  １１５、エアインターフェース、またはレガシーインフラストラクチャにおいて変更が必要とされない可能性があることである。本技法は、フェムトセル１２５および／またはフェムトセルゲートウェイ５４０のみへの変更によって実装され得る。
【０１２２】
フェムトセル１２５支援ハンドイン技法の実施形態について、図７〜図１４の方法を参照しながら以下で説明する。  図７Ａを参照すると、様々な実施形態による、マクロセル対フェムトセルハンドインのための方法７００−ａの流れ図が示されている。方法７００−ａは、例えば、図１、図２Ａ、図２Ｂ、図５、図６Ａまたは図６Ｂのフェムトセル１２５によって実行され得る。方法７００−ａは、ＯＯＢ通信リンクを使用してフェムトセル１２５の近傍にあるＵＥ  １１５を検出することによって、ブロック７０５で開始し得る。フェムトセル１２５は、マクロセル基地局１０５を介してマクロネットワーク１００に通信可能に結合され得る。例えば、ＵＥ  １１５は、マクロセル基地局１２５上にキャンプオンされ得、アクティブセルラー通信中であってもよくなくてもよい。フェムトセル１２５は、ＯＯＢ周波数モジュール２４０と帯域内周波数モジュール２３０とを含み得る。帯域内周波数モジュール２３０はＨＮＢを含み得る。帯域内周波数モジュール２３０を介するフェムトセル１２５は、フェムトセルゲートウェイ５４０を介してマクロネットワーク１００に通信可能に結合され得る。いくつかの実施形態では、フェムトセルゲートウェイ５４０はＨＮＢゲートウェイであり得る。
【０１２３】
ブロック７１０で、マクロネットワーク１００上のＵＥ  １１５の識別子が、ＯＯＢ通信リンクを使用してフェムトセル１２５によって識別または判断され得る。例えば、ブロック７０５で、ＵＥ  １１５を検出することの一部として、ＵＥ  １１５に対応するＯＯＢ識別子（例えば、ＢＤ＿ＡＤＤＲ）が、ＯＯＢ通信リンクを介してＯＯＢ周波数モジュール２４０を使用して検出され得る。いくつかの実施形態では、ＵＥ  １１５に関係づけられたマクロ識別子（例えば、ＩＭＳＩ）が、識別され得る。上記で説明したように、フェムトセル１２５は、対応するＯＯＢ識別子と特定のＵＥ  １１５に対する識別子との間のＵＥマッピング２１９を維持し得る。
【０１２４】
いくつかの実施形態では、ＵＥ  １１５がフェムトセル１２５を介してマクロネットワーク１００にアクセスすることを許可されるかどうかに関する判断が行われる。例えば、フェムトセル１２５は、フェムトセル１２５に接続することを許可された（例えば、フェムトセル１２５を介してマクロ通信サービスにアクセスすることを許可された）ＵＥ  １１５を有するアクセス制御リスト（例えば、「ホワイトリスト」）を維持し得る。ＵＥ  １１５がフェムトセル１２５を介してマクロネットワーク１００にアクセスすることを許可されていないと判断された場合、方法７００−ａは中止し得る。例えば、方法７００−ａは、ＵＥ  １１５を無視し得る。いくつかの実施形態では、ＵＥ  １１５がフェムトセル１２５を介してマクロネットワーク１００にアクセスすることを許可されているかどうかを、フェムトセルゲートウェイ５４０が判断し得る。ＵＥ  １１５がフェムトセル１２５を介してマクロネットワーク１００にアクセスすることを許可されていると判断された場合、以下で説明するように、フェムトセル１２５はＵＥ  １１５を登録することを進め得る。
【０１２５】
ブロック７１５で、マクロセル基地局１０５からフェムトセル１２５にハンドインするために、ＵＥ  １１５が登録される。このことは、ユーザ機器識別子を、フェムトセル１２５からフェムトセルゲートウェイ５４０に通信することによってなされ得る。加えて、ＵＥ  １１５を登録することで、フェムトセル１２５に対するＵＥ  １１５のＯＯＢ近傍検出が示され得る例えば、フェムトセル１２５は、少なくともＵＥ  １１５のマクロ識別子を登録メッセージの一部としてフェムトセルゲートウェイ５４０に通信し得る。上記で説明したように、方法７００−ａのブロック（例えば、ブロック７０５における近傍検出からブロック７１５における登録方法の通信まで）が、場合によっては、ＵＥ  １１５がフェムトセルレンジに入る前に行われ得るように、ＯＯＢレンジはフェムトセルレンジよりも大きくなり得る（例えば、または少なくとも実質的に同じであり得る）。このようにして、ＵＥ  １１５の測定報告がフェムトセル１２５を示し得る前に、またフェムトセル１２５へのハンドオーバがマクロネットワーク１００によって判断される前に、登録は行われ得る。
【０１２６】
マクロセル１０５からフェムトセル１２５にハンドインするためのＵＥ  １１５を登録することは、フェムトセル１２５からフェムトセルゲートウェイ５４０に登録メッセージを送信することを含み得る。マクロセル１０５からフェムトセル１２５にハンドインするためのＵＥ  １１５を登録することは、フェムトセル１２５からフェムトセルゲートウェイ５４０にＯＯＢ指示メッセージを送信することを含み得る。いくつかの実施形態は、ユーザ機器識別子を判断するために、ＵＥ  １１５のマクロ識別子とＯＯＢ識別子との間のＵＥマッピングを利用し得る。
【０１２７】
図５を参照しながら上記で説明したように、様々な構成は、登録（例えば、ＯＯＢ近傍検出を使用する事前および／または事後登録）を可能にするために異なるタイプのＯＯＢ近傍検出を使用し得る。例えば、方法７００−ａの一部分は、図５に示すような構成を使用して（例えば、フェムトセル１２５に物理的に統合されたＯＯＢ周波数モジュール２４０としてＢｌｕｅｔｏｏｔｈ無線を使用して）ＯＯＢ近傍検出が実行されたかどうかに応じて異なり得る。さらなる明快のために、例示的なシナリオを図７Ｂで説明する。
【０１２８】
図７Ｂを参照すると、様々な実施形態による、フェムトセル１２５を使用するフェムトセルゲートウェイ５４０においてＵＥ  １１５登録を利用するマクロセル対フェムトセルハンドインのための方法７００−ｂの流れ図が示されている。方法７００−ｂは、例えば、図１、図２Ａ、図２Ｂ、図５、図６Ａまたは図６Ｂのフェムトセル１２５によって実行され得る。方法７００−ｂは、例えば、フェムトセル１２５に物理的に統合されたＯＯＢ周波数モジュール２４０として使用されるＢｌｕｅｔｏｏｔｈ無線のコンテキストにおいて実行され得る。さらなる明快のために、図７Ｂのコンテキストにおいて図７Ａからの対応するブロックの可能な例示的な実装形態を示すために、図７Ａからの参照番号が小文字「ａ」を追加して使用される。従って、方法７００−ｂはブロック７０５−ａで開始し、フェムトセル１２５に統合されたＯＯＢ周波数モジュール２４０として構成されるＢｌｕｅｔｏｏｔｈ無線が、フェムトセル１２５の近傍にあるＵＥ  １１５を検出するために使用される。
【０１２９】
ブロック７０５−ａはブロック７２０と７２５とを含む。ブロック７２５で、Ｂｌｕｅｔｏｏｔｈ無線（すなわち、ＯＯＢ周波数モジュール２４０）は、ＵＥ  １１５がそれの近傍にあるかどうかを確かめるためにＵＥ  １１５を周期的にページングする。本明細書で使用する「周期的に」は、非連続であるタイプのシグナリングを搬送することを広く意味する。例えば、「周期的に」は、特定のしきい値などに従って、あらかじめ定義された間隔におけるシグナリング（例えば、ページング）を含み得る。ブロック７２５で、フェムトセルのＢｌｕｅｔｏｏｔｈ無線は、Ｂｌｕｅｔｏｏｔｈリンクを介してＵＥ  １１５からの応答を検出する。より一般的には、フェムトセルは、ＯＯＢ通信リンクを介してＵＥ  １１５をページングし得、次いで、ＯＯＢ通信リンクを介してＵＥ  １１５からのページングへの応答を検出し得る。応答は、ＵＥ  １１５のＯＯＢ識別子を含み得る。いくつかの実施形態では、応答は、ＵＥ  １１５のマクロ識別子を含み得る。
【０１３０】
ＵＥ  １１５から応答を受信すると、フェムトセル１２５は、ＵＥ  １１５が近傍にあることを認識し得、フェムトセル１２５は、ＵＥ  １１５のＢｌｕｅｔｏｏｔｈデバイスアドレス（例えば、ＢＤ＿ＡＤＤＲ）を知り得る。上記で説明したように、Ｂｌｕｅｔｏｏｔｈデバイスアドレスは、ＵＥ  １１５に対する一意の帯域外識別子を効果的に与え得る。いくつかの構成では、フェムトセル１２５はさらなる判断を行う。例えば、上記で説明したように、フェムトセル１２５は、例えば帯域内周波数モジュール２３０を通してフェムトセル１２５を介してマクロネットワーク１００にアクセスすることをＵＥ  １１５が許可されているかどうかを判断し得る。
【０１３１】
ブロック７１０−ａで、マクロネットワーク１００上のＵＥ  １１５を識別するマクロ識別子（例えば、ＩＭＳＩ）が判断され得る。例えば、フェムトセル１２５がＵＥ  １１５のマクロ識別子を、それの対応するＢｌｕｅｔｏｏｔｈデバイスアドレスから判断し得るように、対応するＯＯＢ識別子と特定のＵＥ  １１５に対するマクロ識別子との間のＵＥマッピング２１９は、フェムトセル１２５によって維持され得る。代替的に、マッピングはフェムトセルゲートウェイ５４０において維持され得る。
【０１３２】
ブロック７１５−ａで、ＵＥ  １１５が、マクロセル基地局１０５からターゲットフェムトセル１２５へのハンドインのために登録され得る。詳細には、ＵＥ  １１５をフェムトセルゲートウェイ５４０に登録するために、フェムトセル１２５は、ＯＯＢ近傍検出またはＯＯＢ存在指示をＵＥ  １１５の識別子を有するフェムトセルゲートウェイ５４０に通信し得る。ＵＥマッピングがフェムトセル１２５において維持されるいくつかの構成では、ＯＯＢの近傍検出またはＯＯＢ近傍指示が、ＵＥ  １１５のマクロ識別子（例えば、およびいくつかの構成ではＯＯＢ識別子）を有するフェムトセルゲートウェイ５４０に通信され得る。ＵＥマッピングがフェムトセルゲートウェイ５４０において維持される他の構成では、ＯＯＢの近傍検出またはＯＯＢ近傍指示が、ＵＥ  １１５のＯＯＢ識別子を有するフェムトセルゲートウェイ５４０に通信され得、次いで、フェムトセルゲートウェイ５４０は対応するマクロ識別子へのマッピングを判断し得る。
【０１３３】
近接性のためにＢｌｕｅｔｏｏｔｈを使用することで、いくつかの特徴が提供され得る。例えば、Ｂｌｕｅｔｏｏｔｈは、比較的低電力のページング、フェムトセルカバレージエリアの範囲と同様であり得る範囲などを可能にし得る。さらに、本技法がほとんどまたはまったくＵＥ  １１５への変更なしに実装され得るように、多くのＵＥ  １１５はすでにＢｌｕｅｔｏｏｔｈ無線を装備していることがある。しかしながら、いくつかの構成ではいくつかの制限が現れ得る。例えば、フェムトセル１２５は、Ｂｌｕｅｔｏｏｔｈ無線に統合される必要がある可能性があり、いくつかのタイプのプロビジョニングは困難であり得る。さらに、オープンフェムトセル（例えば、アクセス制御リストがない）または企業タイプ構成を使用するときに、近傍にあり得るすべてのＵＥ  １１５に対応する多数のＢｌｕｅｔｏｏｔｈアドレスをページングすることは困難または非効率的であり得る。いくつかの実施形態は、これらの問題に対処するために、他の形態のＯＯＢ通信を利用するかまたは本明細で説明する他の方法を利用することができる。
【０１３４】
図８は、様々な実施形態による、フェムトセルを用いてアクティブハンドインを処理するための方法８００の流れ図を示す。方法８００は、例えば、図１、図２Ａ、図２Ｂ、図５、図６Ａまたは図６Ｂのフェムトセル１２５によって実行され得る。方法８００は、さらなる明快のために、図７Ａまたは図７Ｂのブロック７１５のコンテキストで示されている。例示のために、方法８００について、例えば図７Ａの方法７００−ａに従って、フェムトセル１２５によってフェムトセルゲートウェイ５４０に登録されたＵＥ  １１５に関して説明する。
【０１３５】
従って、方法８００は、ブロック８０５で、フェムトセルゲートウェイ５４０からの事前登録されたＵＥ  １１５（ＯＯＢ近傍検出が前にフェムトセルゲートウェイ５４０に通信されたＵＥ  １１５）に対するハンドオーバ要求を、フェムトセル１２５において受信することによって開始し得る。これらの場合、ハンドオーバ要求は、マクロセルからフェムトセルへのハンドインのためにＵＥ  １１５を登録した後に受信され得る。いくつかの実施形態では、ハンドオーバ要求が受信されたときにフェムトセル１２５がＵＥ  １１５の近接性を認識しているように、フェムトセル１２５は、それがＵＥ  １１５を登録したという認識（awareness）を維持する。他の実施形態では、ハンドオーバ要求は、関与するＵＥ  １１５がフェムトセル１２５の近傍にあるものと考えられるという（例えば、フェムトセル１２５がＯＯＢ近傍検出をフェムトセルゲートウェイ５４０に通信することによって、ＵＥ  １１５が事前登録されているという）フラグまたはフェムトセル１２５への他の指示を含む。
【０１３６】
ブロック８１０で、ハンドオーバ要求を受信したことに応答して、フェムトセル１２５からフェムトセルゲートウェイ５４０に肯定応答メッセージが通信され得る。フェムトセル１２５とフェムトセルゲートウェイ５４０との間のメッセージングは、１つまたは複数のネットワーク上に実装され得る。例えば、肯定応答メッセージは、フェムトセル１２５からインターネットプロトコルセキュリティ（ＩＰSｅｃ：Internet Protocol Security）トンネルを介してコアネットワークのエッジにあるセキュアゲートウェイに通信され、セキュアゲートウェイからコアネットワーク中のＩＰマルチメディアサブシステム（ＩＭＳ：IP Multimedia Subsystem）ネットワークに通信され、かつＩＭＳネットワークからコアネットワーク中のフェムトセルゲートウェイ５４０に通信され得る。
【０１３７】
ブロック８１５で、事前登録されたＵＥ  １１５は、それの現在接続されている（ソース）マクロセル１０５からターゲットフェムトセル１２５にアクティブ通信をハンドインするように指示される。特に、ＵＥ  １１５は、一般にフェムトセル１２５からはハンドオーバ指示を受信し得ない。そうではなく、フェムトセル１２５は、それが適切なハンドオーバターゲットであることを示すためにハンドオーバ要求を肯定応答し得、最終的に、マクロネットワーク１００要素（例えば、ソースマクロセル１０５）がハンドオーバ指令をＵＥ  １１５に通信し得る。
【０１３８】
単なる例として、図７の方法７００および図８の方法８００によるアクティブハンドインを示すコールフロー図９００を図９に示す。コールフロー図９００は、ＵＥ  １１５と、現在接続されている（ソース）マクロセル１０５と、ＲＮＣ  １２０と、ソースＳＧＳＮ  ６５０と、ターゲットフェムトセルゲートウェイ５４０と、２つの潜在的なターゲットフェムトセル１２５−ａおよび１２５−ｂとの間の通信を示す。過度の詳細を避けるために、マクロＲＮＣ  １２０と通信しているソースマクロセル１０５と、マクロＲＮＣ  １２０との間のシグナリングを図示していない。コールフロー図９００では、潜在的なターゲットフェムトセル１２５は共通のセル識別子を有する（例えば、それらは同じＰＳＣを有する）と仮定する。従って、アクティブハンドインの成功を保証するために、潜在的なターゲットフェムトセル１２５のうちの適切な１つを確実に判断することが必要であり得る。
【０１３９】
コールフロー図９００は、ブロック９０４で、ソースマクロセル１０５および／またはＲＮＣ  １２０を介してソースＳＧＳＮ  ６５０によって可能にされ得る、ボイス呼またはデータ呼のような、アクティブマクロ通信に現在関与しているＵＥ  １１５で開始する。ある時間に、ＵＥ  １１５は、潜在的ターゲットフェムトセル１２５−ａの第１のものと関連付けられたＯＯＢ周波数モジュール２４０の近傍に移動する（例えば、ＯＯＢ周波数モジュール２４０および帯域内周波数モジュール２３０がフェムトセル１２５−ａに統合され得る）。ブロック９０８で、ＯＯＢ周波数モジュール２４０は、（例えば、図７Ａのブロック７０５におけるように）それの近傍にあるＵＥ  １１５を検出し得る。ブロック９１２で、第１の潜在的なターゲットフェムトセル１２５−ａは、（例えば、図７Ａのブロック７１５によって）ＵＥ  １１５を事前登録するために、ＯＯＢの近傍検出またはＯＯＢの近傍指示（例えば、登録要求）をターゲットフェムトセルゲートウェイ５４０に送り得る。ブロック９１４で、ターゲットフェムトセルゲートウェイ５４０は、ターゲットフェムトセル１２５−ａからの登録要求の受付けを肯定応答する登録受付けで応答し得、次いで、ＵＥ  １１５および登録フェムトセル１２５−ａのエントリが登録データベース内に生成されたことを確認し得る。
【０１４０】
その後、ある時間に、ＵＥ  １１５は、フェムトセル１２５のフェムトセルカバレージエリアに移動し、フェムトセル１２５を検出し、ブロック９１６において、測定報告をソースマクロセル１０５および／またはＲＮＣ  １２０に送ることができる。測定報告は、ＵＥ  １１５によって観測されたフェムトセル１２５のパイロット強度とフェムトセル１２５のＰＳＣとを含み得る。ソースマクロセル１０５および／またはＲＮＣ  １２０は、測定報告に従ってハンドオーバが必要とされると判断し得、ブロック９２０でソースＳＧＳＮ  ６５０にリロケーション必要メッセージを通信し得る。ブロック９２４で、リロケーション必要メッセージは、ソースＳＧＳＮ  ６５０からターゲットフェムトセルゲートウェイ５４０に（例えば、コアネットワーク上でリロケーション要求メッセージとして）通信され得る。
【０１４１】
リロケーション要求を受信すると、次に、ターゲットフェムトセルゲートウェイ２４０は、どの潜在的ターゲットフェムトセル１２５がハンドインのために正しいターゲットであるかを判断し得る。例えば、ハンドオーバ要求は、ＵＥ  １１５のＩＭＳＩとターゲットフェムトセル１２５のＰＳＣとを含み得る。しかしながら、この例示的な事例では、２つの潜在的なターゲットフェムトセル１２５は同じＰＳＣを有し得、それゆえ、これらのフェムトセル１２５は、ＰＳＣのみでは一意に識別され得ない。従来の技法を使用して、上記で説明したように、ハンドオーバ要求は、例えば、ハンドインを無視すること、潜在的なターゲットフェムトセル１２５のうちの１つを無差別に選択すること、などによってアドレス指定され得る。しかしながら、ブロック９１２で、ＯＯＢ近傍指示またはＵＥ登録メッセージを受信すると、ターゲットフェムトセルゲートウェイ５４０は、第１の潜在的なターゲットフェムトセル１２５−ａをハンドインのための正しいターゲットフェムトセル１２５として確実に選択し得る。
【０１４２】
ブロック９２８で、ターゲットフェムトセルゲートウェイ５４０は、ハンドオーバ要求を第１のターゲットフェムトセル１２５−ａに送り得る。第１のターゲットフェムトセル１２５−ａは、ブロック９３２で、「受付け」メッセージを搬送するハンドオーバ応答でターゲットフェムトセルゲートウェイ５４０に応答し得る。次いで、ハンドオーバはコアネットワークおよび／またはマクロネットワーク１００を介してＵＥ  １１５に通信され得る。特に、本明細書では、いくつかの事例において簡単のために「ハンドオーバ要求」と一般的に呼ばれるが、関係する各メッセージは、実際は、異なる形態および／または目的であってよい。例えば、図示のように、ブロック９３６で、リロケーション応答メッセージとして、ターゲットフェムトセルゲートウェイ５４０からソースＳＧＳＮ  ６５０にハンドオーバ応答が通信され得、ブロック９４０で、ソースＳＧＳＮ  ６５０からソースマクロセル１０５および／またはＲＮＣ  １２０にリロケーションコマンドが通信され得、ブロック９４４で、物理的チャネル構成メッセージとして、ソースマクロセル１０５および／またはＲＮＣ  １２０からＵＥ  １１５にリロケーションコマンドが通信され得る。
【０１４３】
ブロック９４８で、ＵＥ  １１５は、ソースマクロセル１０５および／またはＲＮＣ  １２０に、肯定応答メッセージ、物理的チャネル再構成メッセージを通信し得る。ブロック９５２で、ＵＥ  １１５は、第１の潜在的フェムトセル１２５−ａを検出し、同期をとることを試み得、ブロック９５６で、ＵＥ  １１５は、ハンドオーバ完了メッセージを第１の潜在的ターゲットフェムトセル１２５−ａに通信し得、ブロック９６０で、第１の潜在的ターゲットフェムトセル１２５−ａは、ハンドオーバ完了メッセージをターゲットフェムトセルゲートウェイ５４０に通信し得る。図示しないが、ＵＥ  １１５に対する無線リンクセットアップが削除され得るように、ハンドオーバ完了メッセージは、ソースマクロセル１０５および／またはＲＮＣ  １２０に中継され得る。ハンドインを完了すると、ブロック９６４で、ソースマクロセル１０５および／またはＲＮＣ  １２０によるのではなく、適切に識別されたターゲットフェムトセル１２５（すなわち、前に第１の潜在的なターゲットフェムトセル１２５−ａ）によって可能にされた、ＵＥ  １１５のアクティブマクロ通信（例えば、ボイス呼）が続く。
【０１４４】
コールフロー図９００が、例示的なコールフローの一例を示すことを目的としており、明快にするために多くの方法で簡略化されていることは注目に値する。例えば、いくつかのブロックで「ハンドオーバ要求」について説明したが、各要素が、同様の形態または異なる形態の、同様の情報または異なる情報が含まれるメッセージを通信し得ることが諒解されよう。従って、コールフロー図９００は、本開示の範囲または特許請求の範囲を制限するものと解釈すべきでない。
【０１４５】
場合によっては、ＵＥ  １１５を登録解除することが必要であり得ること、または望まれ得ることは、さらに注目に値する。例えば、ＵＥ  １１５が第１のフェムトセル１２５−ａによって登録されるものと仮定する。その後、ＵＥ  １１５は、第１のフェムトセル１２５−ａの同じＰＳＣを有し得るが、第１のフェムトセル１２５−ａのレンジのかなり外に（例えば、数マイル離れて）配置され得る第２のフェムトセル１２５−ｂの近傍に移動し得る。ＵＥ  １１５は、共有ＰＳＣを有する測定報告を送り得、ハンドオーバ要求がトリガされる。このブロックで、フェムトセルゲートウェイ５４０は、第１のフェムトセル１２５−ａへのハンドオーバではなく、第２のフェムトセル１２５−ｂへのハンドオーバが望ましいと判断するために、１つまたは複数の技法を使用する必要があり得る。さもなければ、ＵＥ  １１５が第１のフェムトセル１２５−ａのレンジを十分に外れる場合であっても、第１のフェムトセル１２５−ａによる登録は、フェムトセルゲートウェイ５４０に、それの現在のマクロセル１０５から第１のフェムトセル１２５−ａへのＵＥ  １１５のアクティブ通信のハンドインを試行させ得、それは望ましくない結果を生じ得る（例えば、アクティブボイス呼がドロップし得る）。以下でより十分に説明するように、この問題に対処するために、登録タイムスタンプ、登録解除、および／または本明細書で説明する他の技法が使用され得る。
【０１４６】
図１０は、様々な実施形態による、ＵＥの登録解除を処理するための方法１０００の流れ図を示す。方法１０００は、例えば、図１、図２Ａ、図２Ｂ、図５、図６Ａまたは図６Ｂのフェムトセル１２５によって実行され得る。方法１０００は、明快にするために図７Ａのブロック７１５のコンテキストで示されている。説明のために、方法１０００について、フェムトセル１２５によってフェムトセルゲートウェイ５４０に登録されたＵＥ  １１５に関して、例えば、図７Ａの方法７００−ａによって説明する。
【０１４７】
方法１０００は、ブロック１００５で、ＯＯＢ周波数モジュール２４０と登録されたＵＥ  １１５との間のＯＯＢ通信リンクが失われたかどうかを判断することによって開始し得る。上記で（例えば、図７Ａのブロック７０５を参照して）説明したように、ＵＥ  １１５とターゲットフェムトセル１２５に関連付けられたＯＯＢ周波数モジュール２４０との間に、ＯＯＢ通信リンクが確立され得る。ＯＯＢ通信リンクが（例えば、すべて、所定の最小持続時間の間など）失われた場合、これはＵＥ  １１５がもはやフェムトセル１２５の近傍にないことを示し得る。
【０１４８】
ブロック１００５で、ＯＯＢ通信リンクが（例えば、ＵＥ  １１５の登録以来）失われていると判断された場合、ブロック１０１０で、ＵＥ  １１５はフェムトセルゲートウェイ５４０においてフェムトセル１２５によって登録解除され得る。ブロック１００５で、ＯＯＢ通信リンクが失われていないと判断された場合、ブロック１０１５で、フェムトセル１２５において登録されたＵＥ  １１５についてのハンドオーバ要求が受信されたかどうかに関するさらなる判断がなされ得る。ハンドオーバ要求が受信されていない場合、ＯＯＢ通信リンクが失われたものとブロック１００５で判断されるか、またはハンドオーバ要求がブロック１０１５で受信されるまで、方法１０００はブロック１００５とブロック１０１５とを通って反復し得る。登録されたＵＥ  １１５についてのハンドオーバ要求がフェムトセル１２５において受信された場合、登録されたＵＥ  １１５は（例えば、図８のブロック８１５によって）ハンドインするように指示され得る。
【０１４９】
いくつかの実施形態は他の方法で登録解除を処理し得る。例えば、一構成では、方法１０００は、ハンドインを完了（例えば、成功および／または失敗）した後、ＵＥ  １１５を明示的に登録解除し得る。しかしながら、特に、ＵＥ  １１５の近傍に関する知識および／または登録から獲得され得る他のタイプの情報をネットワークに提供するために、ハンドイン後も登録を維持する（すなわち、ＵＥ  １１５を登録解除しない）ことは有用であり得る。
【０１５０】
別の構成によれば、ＵＥ  １１５がフェムトセルゲートウェイ５４０に登録されるとき、登録はタイムスタンプに関連付けられる。例えば、登録フェムトセル１２５は、ＵＥ  １１５のマクロ識別子（例えば、またはＯＯＢ識別子）とタイムスタンプとを含むＯＯＢ近傍検出を通信し得る。その後、別のフェムトセル１２５が同じＵＥ  １１５についての登録要求をフェムトセルゲートウェイ５４０に送る場合、新しい登録要求は後のタイムスタンプを含み得る。次いで、フェムトセルゲートウェイ５４０は、任意の先行する登録要求を無効であると見なし得、後で要求したフェムトセル１２５へのハンドオーバを可能にし得る。例えば、ＵＥ  １１５は、フェムトセルゲートウェイ５４０において後続の登録要求を受信すると、前に要求したフェムトセル１２５から暗黙的に登録解除され得る。
【０１５１】
さらに別の構成によれば、タイマーベースの登録解除が実装される。例えば、ＵＥ  １１５を登録すると、フェムトセル１２５は、タイマーを開始（例えば、または場合によっては経過時間の追跡を開始）し得る。その後に登録解除が適切である一定の時間枠（例えば、１分）が決定され得る。例えば、時間枠をあまりに小さく設定すると、フェムトセル１２５はＵＥ  １１５を非効率的に再登録することを必要ならしめることがあり、時間枠をあまりに大きく設定すると、ＵＥ  １１５が、登録解除の前に同じＰＳＣを潜在的に共有する他のフェムトセル１２５のカバレージエリアに入ることを許容することがある。特に、タイマーベースの登録解除はいくつかの構成では望ましくないことがあり得る。例えば、登録後に、ＵＥ  １１５がアイドルであることにより、または何らかの他の状況により、ハンドオーバ要求が長時間受信されないことがある。ハンドオーバ要求を受信する前にＵＥ  １１５が暗黙的に登録解除された場合、登録の利点は失われ得る。
【０１５２】
図７〜図１０について、上記では主に事前登録の（すなわち、ＵＥ  １１５に対するハンドオーバ要求を受信する前に、ＵＥ  １１５に対するＯＯＢ近傍検出を通信する）コンテキストで説明した。ＵＥ  １１５を示唆するハンドオーバ要求を受信した後にＯＯＢ近傍検出が通信された場合、同様の技法が使用され得ることが諒解されよう。例えば、上記で説明したように、フェムトセルゲートウェイ５４０は、ＳＧＳＮ  ６５０からのハンドオーバ要求中に与えられたセル識別子のみに基づいてハンドインのための適切なターゲットフェムトセル１２５を判断することができないことがあり、すべての候補ターゲットフェムトセル１２５に（例えば、同時に）ハンドオーバ要求を通信することがある。
【０１５３】
図１１に、様々な実施形態による、事前登録なしに（すなわち、ＵＥ  １１５に対するハンドオーバ要求を受信する前にＵＥ  １１５に対するＯＯＢ近傍検出を通信されていない状態で）一定のアクティブハンドイン機能を実装するための方法１１００の流れ図を示す。方法１１００は、例えば、図１、図２Ａ、図２Ｂ、図５、図６Ａまたは図６Ｂのフェムトセル１２５によって実行され得る。方法１１００は、ブロック１１０５で、指定されたＵＥ  １１５に対するフェムトセルゲートウェイ５４０から、フェムトセル１２５において、それの帯域内周波数モジュール２３０を介してハンドオーバ要求を受信することによって開始し得る。フェムトセルゲートウェイ５４０は、ハンドオーバ要求を、同じＰＳＣを共有する候補フェムトセルのセットに送り得る。ハンドオーバ要求は、ターゲットフェムトセルマクロ識別子ではなく、「ダミーＩＤ」を有する各フェムトセルに送られ得ることに留意されたい。「ダミーＩＤ」は、ハンドオーバ要求が、複数の候補フェムトセル１２５が識別されているＰＳＣ混同シナリオに対するものであることをフェムトセル１２５に示し得、それゆえ、ＯＯＢ可能なフェムトセル１２５は、指定されたＵＥ  １１５（ＵＥマクロ識別子とフェムトセル内に記憶されたＯＯＢ識別子との間のマッピングを有するＵＥ）のＯＯＢ検出を使用し得る。そうでない場合、フェムトセル１２５は、ハンドオーバ要求に応答するために、ブラインドサポートかまたはサポートなしのようなレガシー技法を使用し得る。
【０１５４】
ブロック１１１０で、フェムトセル１２５は、ＵＥ  １１５が、ＵＥマクロ識別子とＯＯＢ識別子との間のＵＥマッピング２１９内にエントリを有することを確認し得る。例えば、フェムトセル１２５のＵＥマッピング２１９中に（例えば、フェムトセル１２５のアクセス制御リスト中に）ＵＥ  １１５がある場合、フェムトセル１２５はＵＥ  １１５のＯＯＢ識別子（例えば、ＢＤ＿ＡＤＤＲ）を判断するために、ＵＥ  １１５のＩＭＳＩなどを使用することが可能であり得る。次いで、フェムトセル１２５のＯＯＢ周波数モジュール２４０は、ＯＯＢ通信チャネルを介してＵＥ  １１５を検出するために使用され得る。ＵＥマッピング２１９内にＵＥに対するマッピングが発見されなかった場合、フェムトセル１２５は、ＯＯＢ検出を使用することができず、それゆえ、ブロック１１１５で示したようなブラインドサポートまたはサポートなしなど、他の技法に基づいてハンドオーバ応答を送り得る。
【０１５５】
ブロック１１２０で、ＵＥ  １１５を検出するためにＯＯＢ通信を使用すると、ブロック１１２５で、フェムトセル１２５の近傍でＵＥ  １１５が検出されたかどうかについて、判断がなされる。ブロック１１２５で、フェムトセル１２５の近傍でＵＥ  １１５が検出されないと判断された場合、ブロック１１３０で、フェムトセル１２５は、「拒絶」フラグを有するハンドオーバ応答を介して検出失敗応答をフェムトセルゲートウェイ５４０に通信し得る。ブロック１１２５で、フェムトセル１２５の近傍でＵＥ  １１５が検出されたと判断された場合、ブロック１１３５で、フェムトセル１２５は検出成功応答をフェムトセルゲートウェイ５４０に通信し得る。
【０１５６】
フェムトセル１２５は、それの近傍にあるＵＥ  １１５を成功裏に検出した場合、様々な方法でハンドインを処理し得る。１つの技法によれば、フェムトセル１２５は、フェムトセルゲートウェイ５４０へのハンドインのために（例えば、図７Ａのブロック７１５によるなど、登録メッセージの中で、ＵＥ  １１５のセル識別子をフェムトセル１２５からフェムトセルゲートウェイ５４０に通信することによって）ＵＥ  １１５を登録し、「受付け」フラグ１１４５を有するハンドオーバ応答が後続する。別の技法によれば、フェムトセル１２５は、「受付け」および「ＯＯＢインジケータ」のフラグ１１４０を有するハンドオーバ応答によって近傍検出の成功を通信する。ブロック１２２８でのハンドオーバ応答メッセージ内のＯＯＢインジケータの受信、またはブロック９０８での「受付け」フラグを有するハンドオーバ応答に先行するＵＥ  １１５登録は、ハンドオーバ応答がＯＯＢ検出に基づいており、ＵＥが成功裏に検出されたという事実を、フェムトセルゲートウェイ５４０にアラートする。フェムトセルゲートウェイは、ブラインドハンドオフまたはサポートなしのような他の技法に基づくハンドオーバ応答に勝る、そのような応答に対して優先権を与え得る。というのは、これらの技法は信頼性が低いからである。検出が成功したことをフェムトセルゲートウェイ５４０に通信すると、ＵＥ  １１５の通信が、確実な方式でフェムトセル１２５にハンドオーバされ得る。
【０１５７】
図７〜図１１は、フェムトセル１２５の観点からハンドイン機能の処理に主に焦点を当てている。上記で説明したように、また図９のコールフロー図９００によって示すように、アクティブハンドイン機能はフェムトセルゲートウェイ５４０のアクションによってさらに可能にされる。フェムトセルゲートウェイ５４０の観点からハンドイン機能を処理するための技法について、図１２〜図１４で説明する。
【０１５８】
図１２を参照すると、様々な実施形態による、フェムトセルゲートウェイにおいてフェムトセル支援のハンドインを処理するための方法１２００の流れ図が示されている。方法１２００は、例えば、図５、図６Ａまたは図６Ｂのフェムトセルゲートウェイ５４０によって実行され得る。方法１２００は、ブロック１２０５で開始し、マクロネットワーク１００からのハンドオーバ要求が、フェムトセルゲートウェイ５４０において受信され得る。ハンドオーバ要求は、マクロネットワーク１００とのアクティブ通信を、マクロセル１０５から第１のフェムトセル識別子を有する指定されたフェムトセル１２５にハンドオフするように、ＵＥ  １１５に指示するように構成され得る。
【０１５９】
ブロック１２１０で、ハンドオーバ要求を受信する前に複数のフェムトセル１２５のいずれかがＵＥ  １１５をフェムトセルゲートウェイ５４０に登録したかどうかが、フェムトセルゲートウェイ５４０において判断され得る。ブロック１２１０は、ハンドオーバ要求を受信する前に複数のフェムトセルのいずれかからＯＯＢ近傍検出が受信されたかどうかを判断することを含み得る。ＯＯＢ近傍検出は、ＩＭＳＩなど、ＵＥ  １１５のマクロ識別子を含み得る。ＯＯＢ近傍検出は、ＵＥ  １１５のＯＯＢ識別子を含み得る。ある場合には、フェムトセルゲートウェイ５４０は、ＵＥ  １１５のマクロ識別子がＵＥ  １１５のＯＯＢ識別子に対応するかどうかを判断し得る。いくつかの実施形態では、フェムトセルゲートウェイ５４０は、第１のフェムトセル識別子に従ってフェムトセルゲートウェイ５４０によって、複数のフェムトセルのうちの２つ以上のフェムトセルがアドレス指定可能であるかどうかを判断し得る。次いで、フェムトセルゲートウェイ５４０は、指定されたフェムトセルが、第２のフェムトセル識別子を利用して、第１のフェムトセル識別子に従ってアドレス指定可能な２つ以上のフェムトセルのうちの１つであるかどうかを判断し得る。
【０１６０】
ブロック１２１５で、フェムトセルゲートウェイ５４０は、指定されたフェムトセル１２５にハンドオーバ要求を通信し得る。方法１２００のいくつかの実施形態は、指定されたフェムトセル１２５が、第１のフェムトセル識別子に従ってフェムトセルゲートウェイ５４０によって一意にアドレス指定可能であるかどうかを判断することをさらに含み得る。フェムトセルゲートウェイ５４０から指定されたフェムトセルにハンドオーバ要求を通信することは、第１のフェムトセル識別子を利用し得る。
【０１６１】
図１３Ａを参照すると、様々な実施形態による、フェムトセルゲートウェイにおいてフェムトセル支援のアクティブハンドインを処理するための方法１３００−ａの流れ図が示されている。方法１３００−ａは、例えば、図５、図６Ａまたは図６Ｂのフェムトセルゲートウェイ５４０によって実行され得る。方法１３００−ａは、ブロック１２０５で、マクロネットワーク１００から（例えば、コアネットワーク上のＳＧＳＮ  ６５０から）フェムトセルゲートウェイ５４０においてハンドオーバ要求を受信することによって開始し得る。ハンドオーバ要求は、現在の（ソース）マクロセル１０５から指定されたフェムトセル１２５にアクティブマクロ通信をハンドオフするようにＵＥ  １１５に指示するように構成され得る。指定されたフェムトセル１２５は、フェムトセルゲートウェイ５４０と通信しているいくつかのフェムトセル１２５のうちの１つであり得、各フェムトセル１２５は、第１のフェムトセル識別子（例えば、ＰＳＣ）によって識別可能であり得る。各フェムトセル１２５はまた、フェムトセルゲートウェイ指向の（gateway-oriented）識別子（例えば、フェムトセルゲートウェイ５４０と通信しているすべてのフェムトセル１２５を一意にアドレス指定するためにフェムトセルゲートウェイ５４０によって使用される１識別子）であってよい、第２のフェムトセル識別子によって識別可能であり得る。このフェムトセルゲートウェイ識別子は、フェムトセル１２５のシステム情報の中でブロードキャストされた一意の識別子と類似し得ることに留意されたい。加えて、フェムトセルゲートウェイ５４０は、ハンドオーバ要求が、複数の候補フェムトセル１２５が識別されているＰＳＣ混同シナリオに対するものであることをフェムトセル１２５に示す「ダミーＩＤ」と呼ばれる識別子を有するハンドオーバ要求をフェムトセル１２５に送り得、それゆえ、ＯＯＢ周波数モジュール２４０を有するＯＯＢ可能なフェムトセル１２５は、指定されたＵＥ  １１５に対するＯＯＢ検出を使用し得る。そうでない場合、フェムトセル１２５は、ハンドオーバ要求に応答するために、ブラインドサポートかまたはサポートなしのようなレガシー技法を使用し得る。「ダミーＩＤ」は、フェムトセルゲートウェイ指向の識別子と同様のフォーマットを有し得るが、ダミーＩＤはいかなるフェムトセル１２５にも割り当てられていないことに留意されたい。
【０１６２】
上記で説明したように、第１のフェムトセル識別子は実質的に非一意であり得る。例えば、同じマクロセクタ中のいくつかのフェムトセル１２５が、同じ第１のフェムトセル識別子（例えば、ＰＳＣ）を共有し得る。反対に、第２のフェムトセル識別子は、実質的にまたは完全に一意であり得る。例えば、第２のフェムトセル識別子は、少なくともフェムトセルゲートウェイ５４０の観点から特定のフェムトセル１２５を確実に識別するために使用されるのに十分一意であり得る。指定されたフェムトセル１２５は、それの第１のフェムトセル識別子によってハンドオーバ要求の中で識別されるものと仮定し得る。例えば、第１のフェムトセル識別子は、フェムトセル１２５が、それの測定報告の一部としてＵＥ  １１５によっていかにして識別されるかであり得、測定報告は、次いで、ハンドオーバ要求をトリガするために使用される。
【０１６３】
ブロック１２１０で、フェムトセルゲートウェイ５４０においてハンドオーバ要求を受信する前に、いずれかのフェムトセル１２５がＵＥ  １１５のマクロ識別子（例えば、ＩＭＳＩ）をフェムトセルゲートウェイ５４０に登録したかどうかに関する判断がなされ得る。ブロック１２１０で、フェムトセルゲートウェイ５４０においてハンドオーバ要求を受信する前に、特定の（「登録」）フェムトセル１２５がＵＥ  １１５のマクロ識別子をフェムトセルゲートウェイ５４０に登録したと判断された場合、ブロック１３０５で、指定されたフェムトセル１２５が「登録」フェムトセル１２５であると判断され得る（すなわち、「登録」フェムトセル１２５がハンドインのためのターゲットフェムトセル１２５であると判断され得る）。従って、ブロック１２１５で、ハンドオーバ要求は、それの第２のフェムトセル識別子に従って、フェムトセルゲートウェイ５４０から指定されたフェムトセル１２５（すなわち、「登録」フェムトセル１２５）に通信され得る。例えば、フェムトセルゲートウェイ５４０は、該当する第１および第２の識別子間の、すべてのそれの接続されたフェムトセル１２５に対するマッピングを維持し得る。フェムトセルゲートウェイ５４０は、（実質的に非一意であり得る）受信された第１のフェムトセル識別子を（実質的に一意であり得る）維持されている第２のフェムトセル識別子にマッピングすることによって、ハンドオーバ要求を指定されたフェムトセル１２５に一意にアドレス指定し得る。ハンドオーバ要求がフェムトセル１２５に送られた後、ブロック１３１０で、肯定応答メッセージ（例えば、「受付け」を有するハンドオーバ要求メッセージ）が、フェムトセルゲートウェイ５４０によって指定されたフェムトセル１２５から受信され得る。
【０１６４】
ブロック１２１０で、フェムトセルゲートウェイ５４０においてハンドオーバ要求を受信する前に、フェムトセル１２５が（ＯＯＢ近傍検出またはＵＥ登録メッセージを使用して）ＵＥ  １１５のマクロ識別子をフェムトセルゲートウェイ５４０に登録しなかったと判断された場合、フェムトセルゲートウェイ５４０は、事前登録を活用することができずにハンドインを処理するための１つまたは複数の技法を使用し得る。例えば、ブロック１３１５で、候補ターゲットフェムトセル１２５のセットが、フェムトセルゲートウェイ５４０において登録されたそれらのフェムトセル１２５から判断され得る。例えば、フェムトセルゲートウェイ５４０は、関連するマクロセクタ中の、受信された第１のフェムトセル識別子に関連付けられたすべてのフェムトセル１２５を候補のセットの中に含み得る。上記で説明したように、フェムトセルゲートウェイ５４０は、指定されたＵＥ  １１５に対するハンドオーバ要求を、候補リスト内のフェムトセル１２５のいずれかまたは１セットに送り得る。
【０１６５】
いくつかの実施形態では、ブロック１３２０で、候補リストのフェムトセル１２５に送られたハンドオーバ要求は、ＵＥ  １１５を検出するように指示される。ある場合には、ハンドオーバ要求は、「ダミーＩＤ」を含み得るので、ＯＯＢ周波数モジュール２４０を有するフェムトセル１２５は、ＵＥ  １１５を検出するように指示され得る。例えば、フェムトセル１２５は、図１１を参照しながら説明した技法による近傍検出を関与し得る。候補フェムトセル１２５のいずれも、それの近傍においてＵＥ  １１５を検出しないか、または複数の候補フェムトセル１２５が、それらの近傍においてＵＥ  １１５を検出する可能性がある。検出が成功しなかった場合に方法１３００を中止するために、または複数成功した場合に「最良の」結果を選択するために、様々な技法が使用され得る。特に、実施形態はＯＯＢ検出だけを使用し得る。ＯＯＢ検出の使用は、複数の成功が生じる可能性をなくし得る。従って、明快のために、候補フェムトセル１２５のうちの１つは、それの近傍においてＵＥ  １１５を成功裏に検出したのでフェムトセルゲートウェイ５４０によって識別可能であると仮定する。
【０１６６】
ブロック１３２５で、候補フェムトセル１２５のうちの１つから、それの近傍にＵＥ  １１５があるという指示が、フェムトセルゲートウェイ５４０において受信される。ＵＥ  １１５がそれの近傍にあることを示すフェムトセル１２５は、成功したフェムトセルと呼ばれ得る。これは、「受付け」フラグを有するハンドオーバ応答、または「受付け」および「ＯＯＢインジケータ」のフラグを有するハンドオーバ応答、などを伴う登録メッセージであり得る。
【０１６７】
ブロック１３３０で、フェムトセルゲートウェイ５４０は、指定されたＵＥ  １１５に、ブロック１２１０、１３０５、１２１５、および／または１３１０から判断された、指定された（登録）フェムトセル１２５にハンドオーバされるように指示し得る。そうでない場合、１２１０で、指定されたＵＥ  １１５に対する事前登録がなかった場合、フェムトセルゲートウェイ５４０は、指定されたＵＥ  １２５に、ブロック１２１０、１３１５、１３２０、および／または１３２５から判断された、指定されたフェムトセル１２５にハンドオーバされるように指示し得る。
【０１６８】
いくつかの実施形態では、フェムトセルゲートウェイ５４０は、候補フェムトセル１２５のセットに、それの近傍にＵＥ  １１５があるかどうかを検出するように指示した後の経過時間を監視し得る。候補フェムトセル１２５のうちの１つからの、それの近傍にＵＥ  １１５があるという指示が、経過時間が所定の制限時間内にある間に受信されたかどうかを、フェムトセルゲートウェイ５４０が判断し得る。候補フェムトセル１２５のうちの１つからの、それの近傍にＵＥ  １１５があるという指示が所定の制限時間内に受信されたとき、フェムトセルゲートウェイ５４０はハンドオーバ要求を指定されたフェムトセル１２５に通信し得る。
【０１６９】
図１３Ｂを参照すると、様々な実施形態による、フェムトセルゲートウェイにおいてフェムトセル支援のアクティブハンドインを処理するための方法１３００−ｂの流れ図が示されている。方法１３００−ｂは、例えば、図５、図６Ａまたは図６Ｂのフェムトセルゲートウェイ５４０によって実行され得る。方法１３００−ｂは、この図に示していないブロック１２０５など、図１３Ａの方法１３００−ａの態様を利用し得る。さらなる明快のために、図１３Ｂのコンテキストにおいて図１３Ａからの対応するブロックの可能な例示的な実装形態または変形を示すために、図１３Ａからの参照番号が小文字「ａ」を追加して使用され得る。
【０１７０】
方法１３００−ｂは、ブロック１２１０−ａで、ハンドオーバ要求を受信する前に複数のフェムトセル１２５のいずれもＵＥ  １１５を登録しなかったと判断することを含み得る。ブロック１３１５−ａで、複数のフェムトセルからの候補フェムトセル１２５のセットが判断され得る。いくつかの実施形態では、候補フェムトセルのセットは、少なくとも第１のフェムトセル識別子によって識別され得る。ブロック１３３５で、候補フェムトセル１２５の各々は、それの近傍にＵＥ  １１５があるかどうかを検出するように、ハンドオーバ要求の中のＯＯＢハンドイン原因値によって指示され得る。ＯＯＢハンドイン原因値は、いくつかのフェムトセル１２５によって認識不能であり得るが、ＯＯＢ機能を有するいくつかのフェムトセル１２５は、ＯＯＢハンドイン原因値を認識し得る。ダミー識別子はまた、場合によっては送信され得る。ブロック１３３５は、「第１のティア」のハンドオーバ要求と呼ばれ得る。
【０１７１】
ブロック１３４０で、候補フェムトセル１２５のうちの１つからのＯＯＢ受付けメッセージが受信されたかどうかが判断され得る。ＯＯＢ受付けメッセージは、候補フェムトセル１２５のうちの１つがそれの近傍にＵＥ  １１５を検出したことを示し得る。ＯＯＢ受付けメッセージが受信されたと判断された場合、ＯＯＢ受付けメッセージに関連付けられた候補フェムトセル１２５が、指定されたフェムトセル１２５として識別され得る。
【０１７２】
ＯＯＢ受付けメッセージが受信されない場合、候補フェムトセルのうちの１つまたは複数からのＯＯＢ拒絶メッセージ、および／または候補フェムトセルのうちの１つまたは複数からのエラー指示メッセージだけが、ブロック１３５０で受信され得ることがあり得る。結果として「第２のティア」のハンドオーバ要求がなされ得る。ブロック１３５５で、正常原因値を有するハンドオーバ要求が、候補フェムトセル１２５のセットの各々に送信され得る。正常原因値は、通例、候補フェムトセル１２５によって認識可能であり得る。ダミー識別子はまた、場合によっては送信され得る。フェムトセル１２５は、ブラインド受付けまたはブラインド拒絶のフラグを有するハンドオーバ応答など、レガシー技法を使用して応答し得る。ブロック１３６０で、候補フェムトセル１２５のうちの１つまたは複数から、少なくともブラインド受付けかまたはブラインド拒絶が受信され得る。ブロック１３６５で、ブラインド受付けに関連付けられた候補フェムトセル１２５が、指定されたフェムトセルとして識別され得る。
【０１７３】
ブロック１３３０−ａで、指定されたＵＥ  １１５は、それの現在接続されているマクロセル１０５から指定されたフェムトセル１２５にハンドインするように指示され得る。
【０１７４】
図１１の方法１１００、図１２の方法１２００および／または図１３Ａの方法１３００−ａによるアクティブハンドインをそれぞれ示す例示的なコールフロー図１４００−ａを図１４Ａに、また１４００−ｂを図１４Ｂに示す。コールフロー図１４００は、図９のコールフロー図９００と同様であり、図９で使用したものと同じ参照番号によって同様のメッセージングが説明される。メッセージングは同様であるが、異なるコールフローの状況によって同じでないことがあることが諒解されよう。特に、図９では事前登録シナリオについて説明したが、図１４Ａおよび図１４Ｂでは事後登録シナリオについて説明する。図１４Ａでは、事後登録のシナリオが示され、そこにおいて、ＯＯＢ近傍検出が、ＵＥ登録メッセージと「受付け」フラグを有するハンドオーバ要求との組合せによって、フェムトセル１２５からフェムトセルゲートウェイ５４０に通信され得る。図１４Ｂでは、事後登録のシナリオが示され、そこにおいて、ＯＯＢ近傍検出が、「受付け」およびＯＯＢインジケータのフラグを有するハンドオーバ要求によって、フェムトセル１２５からフェムトセルゲートウェイ５４０に通信され得る。
【０１７５】
図９におけるように、コールフロー図１４００は、ＵＥ  １１５と、現在接続されている（ソース）マクロセル１０５および／またはＲＮＣ  １２０と、ソースＳＧＳＮ  ６５０と、ターゲットフェムトセルゲートウェイ５４０と、２つの潜在的ターゲットフェムトセル１２５−ａおよび１２５−ｂとの間の通信を示す。過度の詳細を避けるために、ソースマクロセル基地局は、マクロＲＮＣ  １２０と通信しているソースマクロセル１０５を含み得、これらの要素の間のシグナリングは図示していない。コールフロー図１４００では、潜在的なターゲットフェムトセル１２５は共通のセル識別子を有する（例えば、それらは同じＰＳＣを有する）と仮定する。従って、アクティブハンドインの成功を保証するために、潜在的なターゲットフェムトセル１２５のうちの適切な１つを確実に判断することが必要であり得る。
【０１７６】
コールフロー図１４００は、ブロック９０４で、ソースマクロセル１０５および／またはＲＮＣ  １２０を介してソースＳＧＳＮ  ６５０によって可能にされる、ボイス呼またはデータ呼のような、アクティブマクロ通信に現在関与しているＵＥ  １１５で開始し得る。ある時間に、ＵＥ  １１５は、フェムトセル１２５のフェムトカバレージエリアに移動し、フェムトセル１２５を検出し、ブロック９１６において、測定報告をソースマクロセル１０５および／またはＲＮＣ  １２０に送ることができる。測定報告は、ＵＥ  １１５によって観測されたフェムトセル１２５のパイロット強度とフェムトセル１２５のＰＳＣとを含み得る。ソースマクロセル１０５および／またはＲＮＣ  １２０は、測定報告によってハンドオーバが必要とされると判断し、ブロック９２０でソースＳＧＳＮ  ６５０にリロケーション必要メッセージを通信する。ブロック９２４で、リロケーション必要メッセージは、ソースＳＧＳＮ  ６５０からターゲットフェムトセルゲートウェイ５４０に（例えば、コアネットワーク上でリロケーション要求メッセージとして）通信され得る。
【０１７７】
図１４Ａおよび図１４Ｂで、ブロックにおいて、フェムトセルゲートウェイ５４０によってリロケーション要求９２４が受信されたとき、ＵＥ  １１５は、未だ識別子を共有するフェムトセル１２５によって登録されておらず、これにより複数のフェムトセル１２５が、ハンドインに対する候補ターゲットフェムトセル１２５であり得る。場合によっては、ブロック１４０２で、フェムトセルゲートウェイ５４０は、「ダミーＩＤ」を有するハンドオーバ要求を候補フェムトセル１２５に送り得る。ブロック１４０４で、潜在的ターゲットフェムトセル１２５−ａの第１のものと関連付けられたＯＯＢ周波数モジュール２４０（例えば、ＯＯＢ周波数モジュール２４０および帯域内周波数モジュールが、第１の潜在的ターゲットフェムトセル１２５−ａに統合され得る）が、それの近傍にあるＵＥ  １１５を検出する。
【０１７８】
図１４Ａでは、潜在的ターゲットフェムトセル１２５−ａの第１のものによってＵＥ  １１５が検出されると、フェムトセル１２５−ａは、ブロック１４０８で指定されたＵＥ  １１５に対する登録メッセージと、ブロック９３２で「受付け」フラグを有するハンドオーバ応答とを送ることによって、ＯＯＢ近傍検出をターゲットフェムトセルゲートウェイ５４０に送り得る。ＯＯＢ近傍検出およびハンドオーバ要求を受信すると、ターゲットフェムトセルゲートウェイ５４０は、指定されたフェムトセル１２５−ａを判断し得る。フェムトセル１２５−ｂはまた、ブロック１４０２でハンドオーバ要求を受信し得、ブロック１４１０でブラインドオフに基づいたハンドオーバ応答によって、ターゲットフェムトセルゲートウェイ５４０に返答し得ることに留意されたい。上記のように、ターゲットフェムトセルゲートウェイ５４０は、ＯＯＢ検出に基づいてハンドオーバ応答を、ブラインドオフに基づいた応答と区別し得、これにより、指定されたフェムトセル１２５−ａを判断し得る。
【０１７９】
図１４Ｂでは、ブロック１４０４でのＯＯＢ検出の後、フェムトセル１２５は、ブロック１４１０でハンドオーバ応答メッセージを送り得る。複数の潜在的ターゲットフェムトセル１２５がハンドオーバ応答メッセージを送り得るが、ターゲットフェムトセル１２５−ａ（すなわち、それの近傍にあるＵＥ  １１５を検出したもの）だけが、そのハンドオーバ応答とともに（例えば、ブロック１４０６で「受付け」およびＯＯＢインジケータのフラグを送ることによって）ＯＯＢ近傍検出をフェムトセルゲートウェイ５４０に通信する。
【０１８０】
図１４Ａまたは図１４ＢにおけるＯＯＢ近傍検出またはＯＯＢ近傍インジケータが使用されるかどうかにかかわらず、ハンドオーバは、次いで、コアネットワークおよびマクロネットワーク１００を介してＵＥ  １１５に通信され得る。特に、本明細書では、いくつかの事例において簡単のために「ハンドオーバ要求」と一般的に呼ばれるが、関係する各メッセージは、実際は、異なる形態および／または目的であってよい。例えば、図示のように、ブロック９３６で、リロケーション応答メッセージとして、ターゲットフェムトセルゲートウェイ５４０からソースＳＧＳＮ  ６５０にハンドオーバ応答が通信され得、ブロック９４０で、リロケーションコマンドが、ソースＳＧＳＮ  ６５０からソースマクロセル１０５および／またはＲＮＣ  １２０に通信され得、かつ／またはブロック９４４で、物理的チャネル構成メッセージとしてリロケーションコマンドが、ソースマクロセル１０５および／またはＲＮＣからＵＥ  １１５に通信され得る。
【０１８１】
ブロック９４８で、ＵＥ  １１５は、ソースマクロセル１０５および／またはＲＮＣ  １２０に、肯定応答メッセージ、物理的チャネル再構成メッセージを通信し得る。ブロック９５２で、ＵＥは、第１の潜在的フェムトセル１２５−ａを検出し、同期をとることを試み得る。ブロック９５６で、ＵＥ  １１５は、ハンドオーバ完了メッセージを第１の潜在的ターゲットフェムトセル１２５−ａに通信し得、ブロック９６０で、第１の潜在的ターゲットフェムトセル１２５−ａは、ハンドオーバ完了メッセージをターゲットフェムトセルゲートウェイ５４０に通信することができる。図示しないが、ＵＥ  １１５に対する無線リンクセットアップが削除され得るように、ハンドオーバ完了メッセージは、ソースマクロセル１０５および／またはＲＮＣ  １２０に中継され得る。ハンドインを完了すると、ブロック９６４で、ソースマクロセル１０５および／またはＲＮＣ  １２０によるのではなく、適切に識別されたターゲットフェムトセル１２５（すなわち、前に第１の潜在的なターゲットフェムトセル１２５−ａ）によって可能にされた、ＵＥ  １１５のアクティブマクロ通信（例えば、ボイス呼）が続く。
【０１８２】
事後登録のシナリオにおいてアクティブハンドインを可能にするための他の実施形態は、段階的アプローチを含み得る。この方法によって、フェムトセルゲートウェイ５４０は、ＯＯＢ可能でないフェムトセル１２５からの応答に対して、ＯＯＢ可能なフェムトセル１２５（例えば、検出のためにＯＯＢリンクを使用するＯＯＢ周波数モジュール２４０を有するフェムトセル）からのハンドオーバ応答を優先し得る。ＯＯＢ検出に基づく応答は、ハンドオーバ要求の「ブラインド」受付けまたはブラインド拒絶を一般的に伴うフェムトセルにおけるデフォルト応答構成よりも信頼性が高いので、この優先度付けは望ましくなり得る。
【０１８３】
これらの実施形態では、フェムトセルゲートウェイ５４０は、ＯＯＢ可能なフェムトセル１２５だけをターゲットにした第１のティアのハンドオーバ要求を送ることによって、ＯＯＢ検出に基づいたハンドオーバ応答を最初に取得することを試み得る。「受付け」フラグを有するハンドオーバ応答がフェムトセルゲートウェイ５４０によって受信されない場合、フェムトセルゲートウェイ５４０は、「第２のティア」のハンドオーバ要求メッセージをすべての候補フェムトセル１２５に送り得る。「段階的アプローチ」は、ハンドオーバ要求の中に新しい「原因値」フィールドを定義し、それにより、フェムトセルゲートウェイ５４０などによってサポートされたフェムトセル１２５について、図１のコアネットワーク１３０から「ＯＯＢ可能性認識（capability awareness）」を取得することによって、実装され得る。「原因値」フィールドは、一般に、ハンドオーバ要求に対する理由をフェムトセル１２５に通信するために、配備されたネットワークにおいてハンドオーバ要求の中で使用され得る。
【０１８４】
図１５Ａおよび図１５Ｂでは、「原因値」が事後登録の検出のための「段階的アプローチ」において使用される実施形態に対するコールフローについて論じる。図１５Ａおよび／または図１５Ｂは、図１３Ｂの方法１３００−ｂによるアクティブハンドインを示し得る。図１５Ａおよび／または図１５Ｂは、図１３Ｂの方法１３００−ｂの態様として実装され得る態様を示す。図１５Ａは、ＯＯＢ検出が成功した場合のシナリオを示し、図１５Ｂは、ＯＯＢ検出が成功しなかった場合のシナリオを示す。図９、図１４Ａ、および／または図１４Ｂでは、コールフロー図１５００−ａおよび１５００−ｂは、ＵＥ  １１５と、現在接続中の（ソース）マクロセル１０５および／またはＲＮＣ  １２０と、ソースＳＧＳＮ  ６５０と、ターゲットフェムトセルゲートウェイ５４０と、２つの潜在的ターゲットフェムトセル１２５との間の通信を示す。過度の詳細を避けるために、ソースマクロセル基地局は、マクロＲＮＣ  １２０と通信している（ソースマクロノードＢであり得る）ソースマクロセル１０５を含み得、それらの要素間のシグナリングは図示していない。コールフロー図１５００では、潜在的なターゲットフェムトセル１２５は共通のセル識別子を有する（例えば、それらは同じＰＳＣを有する）と仮定する。従って、アクティブハンドインの成功を保証するために、潜在的なターゲットフェムトセル１２５のうちの適切な１つを確実に判断することが必要であり得る。
【０１８５】
コールフロー図１５００は、ブロック９０４で、ソースマクロセル１０５および／またはＲＮＣ  １２０を介してソースＳＧＳＮ  ６５０によって可能にされる、ボイス呼またはデータ呼のような、アクティブマクロ通信に現在関与しているＵＥ  １１５で開始する。ある時間に、ＵＥ  １１５は、フェムトセル１２５のフェムトカバレージエリアに移動し、フェムトセル１２５を検出し、ブロック９１６で、測定報告をソースマクロセル１０５および／またはＲＮＣ  １２０に送ることができる。測定報告は、ＵＥ  １１５によって観測されたフェムトセル１２５のパイロット強度とフェムトセル１２５のＰＳＣとを含み得る。ソースマクロセル１０５および／またはＲＮＣ  １２０は、測定報告によってハンドオーバが必要とされると判断し得、ブロック９２０でソースＳＧＳＮ  ６５０にリロケーション必要メッセージを通信する。ブロック９２４で、リロケーション必要メッセージは、ソースＳＧＳＮ  ６５０からターゲットフェムトセルゲートウェイ５４０に（例えば、コアネットワーク上でリロケーション要求メッセージとして）通信される。
【０１８６】
図１５Ａで、ブロックにおいて、フェムトセルゲートウェイ５４０によってリロケーション要求９２４が受信され得るとき、ＵＥ  １１５は、未だ識別子を共有するフェムトセル１２５によって登録されておらず、これにより複数のフェムトセル１２５が、ハンドインに対する候補ターゲットフェムトセル１２５であることが仮定される。その結果、フェムトセルゲートウェイ５４０は、「ダミーＩＤ」を有する「第１のティア」のハンドオーバ要求と未承認の「原因値」１５０２（例えば、「ＯＯＢハンドイン」）を候補フェムトセル１２５に送り得る。ブロック１５０４で、ＯＯＢ可能性を有しないフェムトセル１２５（例えば、フェムトセル１２５−ｂとして示す）が、ハンドオーバ応答の中で「エラー指示」とともに返答する。ブロック１５０５で、ＯＯＢ可能なフェムトセル１２５（例えば、ＯＯＢ周波数モジュール２４０に統合されるものと仮定される、第１の潜在的ターゲットフェムトセル１２５−ａとして示す）が、それの近傍にあるＵＥ  １１５を検出し得、ブロック１５０６で、「受付け」フラグを有するハンドオーバ応答をフェムトセルゲートウェイ５４０に送り得る。
【０１８７】
次いで、ハンドオーバはコアネットワークとマクロネットワーク１００とを介してＵＥ  １１５に通信され得る。特に、本明細書では、いくつかの事例において簡単のために「ハンドオーバ要求」と一般的に呼ばれるが、関係する各メッセージは、実際は、異なる形態および／または目的であってよい。例えば、図示のように、ブロック９３６で、ターゲットフェムトセルゲートウェイ５４０からソースＳＧＳＮ  ６５０にハンドオーバ応答がリロケーション応答メッセージとして通信され得、ブロック９４０で、ソースＳＧＳＮ  ６５０からソースマクロセル１０５および／またはＲＮＣ  １２０にリロケーションコマンドが通信され得、ブロック９４４で、ソースマクロセル１０５および／またはＲＮＣ  １２０からＵＥ  １１５にリロケーションコマンドが物理的チャネル構成メッセージとして通信され得る。
【０１８８】
ブロック９４８で、ＵＥ  １１５は、ソースマクロセル１０５および／またはＲＮＣ  １２０に、肯定応答メッセージ、物理的チャネル再構成メッセージを通信し得る。ブロック９５２で、ＵＥ  １１５は、第１の潜在的フェムトセル１２５−ａを検出し、同期をとることを試み得；ブロック９５６で、ＵＥ  １１５は、ハンドオーバ完了メッセージを第１の潜在的ターゲットフェムトセル１２５−ａに通信し得；ブロック９６０で、第１の潜在的ターゲットフェムトセル１２５−ａは、ハンドオーバ完了メッセージをターゲットフェムトセルゲートウェイ５４０に通信し得る。図示しないが、ＵＥ  １１５に対する無線リンクセットアップが削除され得るように、ハンドオーバ完了メッセージは、ソースマクロセル１０５および／またはＲＮＣ  １２０に中継され得る。ハンドインを完了すると、ブロック９６４で、ソースマクロセル１０５および／またはＲＮＣ  １２０によるのではなく、適切に識別されたターゲットフェムトセル１２５（すなわち、前に第１の潜在的なターゲットフェムトセル１２５−ａ）によって可能にされた、ＵＥ  １１５のアクティブマクロ通信（例えば、ボイス呼）が続き得る。
【０１８９】
図１５Ｂで、ブロックにおいて、フェムトセルゲートウェイ５４０によってリロケーション要求９２４が受信されたとき、ＵＥ  １１５は、未だ識別子を共有するフェムトセル１２５によって登録されておらず、これにより複数のフェムトセル１２５が、ハンドインに対する候補フェムトセル１２５であり得ることが仮定される。その結果、フェムトセルゲートウェイ５４０は、「ダミーＩＤ」を有する「第１のティア」のハンドオーバ要求と未承認の「原因値」１５０２（例えば、「ＯＯＢハンドイン」）とを、ＯＯＢ可能性を有しない候補フェムトセル１２５−ｂに送り得る。ブロック１５０４で、ＯＯＢ可能性を有しないフェムトセル１２５（例えば、フェムトセル１２５−ｂ）が、ハンドオーバ応答の中で「エラー指示」とともにフェムトセルゲートウェイ５４０に返答し得る。ブロック１５０８で、ＯＯＢ可能な潜在的ターゲットフェムトセル１２５（例えば、フェムトセル１２５−ａ）が「原因値」を認識し得、ＵＥ  １１５を検出することを試みるが、検出は不成功となる。それゆえ、すべてのそのようなフェムトセル１２５−ａは、「拒絶」フラグを有するハンドオーバ応答１５１０をフェムトセルゲートウェイ５４０に送り得る。
【０１９０】
フェムトセルゲートウェイ５４０が、すべての応答を収集して、「受付け」フラグを有するハンドオーバ応答をまったく受信しなかった後、フェムトセルゲートウェイ５４０は、次いで、「ダミーＩＤ」を有する「第２のティア」のハンドオーバ要求１５１２と、すべての候補フェムトセル１２５によって認識され得る「原因値」とを送り得る。ＯＯＢ可能性を有するフェムトセル１２５−ａは、ＯＯＢ検出を使用し得ないが、代わりに、すべてのフェムトセル１２５が、ブラインド「受付け」またはブラインド「拒絶」のフラグを有するハンドオーバ応答など、レガシー技法を使用してハンドオーバ要求１５１２に応答する。フェムトセルゲートウェイ５４０が、ハンドオーバ応答１５１４を受信した後、ハンドインの実装において、レガシーアクティブハンドインサポート（一般に、ＯＯＢ検出を使用するより信頼性が低い）を使用し得る。このレガシーサポートは、フェムトセルゲートウェイ５４０が、指定されたフェムトセル１２５として１つのフェムトセル１２５を無作為に選択することか、または最良の「フェムトセル」１２５を選択するために、他の規準（例えば、信号強度）を、そのような情報がフェムトセルゲートウェイ５４０において利用可能である場合に使用することを必要とする。
【０１９１】
どのフェムトセル１２５がＯＯＢ可能であるかの事前知識（ＯＯＢ可能性認識）を、フェムトセルゲートウェイ５４０が有する場合、図１５Ａおよび図１５Ｂにおける「第１のティア」のハンドオーバ要求１５０２は、フェムトセル１２５−ａだけに送られ得、すべての候補フェムトセル１２５に送られるわけではない。このことが、アクティブハンドインプロセスに関与するシグナリングを低減し得る。
【０１９２】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術に使用され得る。
【０１９３】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【０１９４】
説明した様々な例示的な論理ブロック、モジュール、および回路は、汎用プロセッサ、デジタル信号プロセッサ（ＤＳＰ）、ＡＳＩＣ、フィールドプログラマブルゲートアレイ信号（ＦＰＧＡ）、または他のプログラマブル論理デバイス（ＰＬＤ）、個別ゲート、またはトランジスタ論理、個別ハードウェア構成要素、あるいは本明細書で説明した機能を実行するように設計されたそれらの任意の組合せを用いて実装または実行され得る。汎用プロセッサはマイクロプロセッサとすることができるが、代替形態では、プロセッサは、市販されているプロセッサ、コントローラ、マイクロコントローラ、または状態機械とすることができる。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１９５】
本開示に関連して説明した方法またはアルゴリズムのステップは、直接ハードウェアか、プロセッサによって実行されるソフトウェアモジュールか、またはその２つの組合せで実施できる。ソフトウェアモジュールは、任意の形態の有形記憶媒体中に常駐し得る。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。記憶媒体は、プロセッサがその記憶媒体から情報を読み取ることができ、その記憶媒体に情報を書き込むことができるように、プロセッサに結合できる。代替として、記憶媒体はプロセッサに一体化し得る。ソフトウェアモジュールは、単一の命令、または多数の命令であり得、いくつかの異なるコードセグメント上で、異なるプログラム間で、および複数の記憶媒体にわたって分散され得る。
【０１９６】
本明細書で開示する方法は、説明した方法を達成するための１つまたは複数のアクションを備える。本方法および／またはアクションは、特許請求の範囲から逸脱することなく互いに交換され得る。言い換えれば、アクションの特定の順序が指定されない限り、特定のアクションの順序および／または使用は特許請求の範囲から逸脱することなく変更され得る。
【０１９７】
説明した機能は、ハードウェア、ソフトウェア、ファームウェア、またはそれらの組合せで実装され得る。ソフトウェアで実装する場合、機能は１つまたは複数の命令として有形コンピュータ可読媒体に記憶され得る。記憶媒体は、コンピュータによってアクセスされ得る任意の利用可能な有形媒体であり得る。限定ではなく、例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の有形媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【０１９８】
従って、コンピュータプログラム製品は、本明細書で提示した動作を実行し得る。例えば、そのようなコンピュータプログラム製品は、本明細書で説明した動作を実行するために１つまたは複数のプロセッサによって実行可能である命令を有形に記憶（および／または符号化）したコンピュータ可読有形媒体であり得る。コンピュータプログラム製品はパッケージング材料を含み得る。
【０１９９】
ソフトウェアまたは命令はまた、送信媒体を介して送信され得る。例えば、ソフトウェアは、同軸ケーブル、光ファイバケーブル、ツイストペア、デジタル加入者回線（ＤＳＬ）などの伝送媒体、あるいは赤外線、無線、またはマイクロ波などのワイヤレス技術を使用して、ウェブサイト、サーバ、または他のリモートソースから送信され得る。
【０２００】
さらに、本明細書で説明した方法および技法を実行するためのモジュールおよび／または他の適切な手段は、適用可能な場合にユーザ端末および／または基地局によってダウンロードおよび／または他の方法で取得され得る。例えば、本明細書で説明した方法を実行するための手段の転送を可能にするために、そのようなデバイスがサーバに結合され得る。代替的に、本明細書で説明した様々な方法を記憶手段（例えば、ＲＡＭ、ＲＯＭ、ＣＤまたはフロッピーディスクなどの物理的記憶媒体など）によって提供することができ、これにより、ユーザ端末および／または基地局は、その記憶手段をデバイスに結合または供給すると、それらの様々な方法を取得することができるようになる。その上、本明細書で説明する方法および技法をデバイスに与えるための任意の他の適切な技法を利用することができる。
【０２０１】
他の例および実装形態は、本開示および添付の特許請求の範囲の範囲および趣旨内に入る。例えば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。さらに、「例示的」という用語は、説明する例が他の例よりも好適であるかまたは良いことを意味しない。
【０２０２】
本明細書で説明した技法の様々な変更、置換、および改変は、添付の特許請求の範囲によって定義された教示の技術から逸脱することなく行われ得る。その上、本開示および特許請求の範囲は、上記で説明したプロセス、機械、製造、組成物、手段、方法、およびアクションの特定の態様に限定されない。本明細書で説明した対応する態様と実質的に同じ機能を実行するか、または実質的に同じ結果を達成する、現存するかまたは後で開発される、プロセス、機械、製造、組成物、手段、方法、またはアクションが利用され得る。従って、添付の特許請求の範囲は、それらの範囲内にそのようなプロセス、機械、製造、組成物、手段、方法、またはアクションを含む。
【図１】
2015008503.tif 000003
【図２Ａ】
2015008503.tif 000004
【図２Ｂ】
2015008503.tif 000005
【図３】
2015008503.tif 000006
【図４】
2015008503.tif 000007
【図５】
2015008503.tif 000008
【図６Ａ】
2015008503.tif 000009
【図６Ｂ】
2015008503.tif 000010
【図７Ａ】
2015008503.tif 000011
【図７Ｂ】
2015008503.tif 000012
【図８】
2015008503.tif 000013
【図９】
2015008503.tif 000014
【図１０】
2015008503.tif 000015
【図１１】
2015008503.tif 000016
【図１２】
2015008503.tif 000017
【図１３Ａ】
2015008503.tif 000018
【図１３Ｂ】
2015008503.tif 000019
【図１４Ａ】
2015008503.tif 000020
【図１４Ｂ】
2015008503.tif 000021
【図１５Ａ】
2015008503.tif 000022
【図１５Ｂ】
2015008503.tif 000023
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
マクロセル対フェムトセルハンドインのための方法であって、
帯域外（ＯＯＢ）通信リンクを使用してフェムトセルの近傍にあるユーザ機器を検出することと、
前記ＯＯＢ通信リンクを使用して前記フェムトセルの近傍で検出された前記ユーザ機器に対応するユーザ機器識別子を識別することと、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録することと
を備える、方法。
【手続補正２】
【補正対象書類名】明細書
【補正対象項目名】０２０２
【補正方法】変更
【補正の内容】
【０２０２】
本明細書で説明した技法の様々な変更、置換、および改変は、添付の特許請求の範囲によって定義された教示の技術から逸脱することなく行われ得る。その上、本開示および特許請求の範囲は、上記で説明したプロセス、機械、製造、組成物、手段、方法、およびアクションの特定の態様に限定されない。本明細書で説明した対応する態様と実質的に同じ機能を実行するか、または実質的に同じ結果を達成する、現存するかまたは後で開発される、プロセス、機械、製造、組成物、手段、方法、またはアクションが利用され得る。従って、添付の特許請求の範囲は、それらの範囲内にそのようなプロセス、機械、製造、組成物、手段、方法、またはアクションを含む。
以下に、本願出願の当初の特許請求の範囲に記載された発明を付記する。
［１］  マクロセル対フェムトセルハンドインのための方法であって、
帯域外（ＯＯＢ）通信リンクを使用してフェムトセルの近傍にあるユーザ機器を検出することと、
前記ＯＯＢ通信リンクを使用して前記フェムトセルの近傍で検出された前記ユーザ機器に対応するユーザ機器識別子を識別することと、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録することと
を備える、方法。
［２］  前記ユーザ機器識別子を識別することが、前記ＯＯＢ通信リンクを介して前記ユーザ機器識別子と関連付けられたＯＯＢ識別子を受信することを備える、［１］に記載の方法。
［３］  前記ユーザ機器識別子を識別することが、前記ＯＯＢ通信リンクを介して前記ユーザ機器識別子と関連付けられたマクロ識別子を受信することを備える、［１］に記載の方法。
［４］  前記マクロセルから前記フェムトセルにハンドインするための前記ユーザ機器を登録することが、前記フェムトセルから前記フェムトセルゲートウェイに登録メッセージを送信することを備える、［１］に記載の方法。
［５］  前記マクロセルから前記フェムトセルにハンドインするための前記ユーザ機器を登録することが、前記フェムトセルから前記フェムトセルゲートウェイにＯＯＢ指示メッセージを送信することを備える、［１］に記載の方法。
［６］  前記ユーザ機器識別子を判断するために、前記ユーザ機器のマクロ識別子と前記ＯＯＢ識別子との間のユーザ機器マッピングを利用することをさらに備える、［２］に記載の方法。
［７］  前記フェムトセルの近傍にある前記ユーザ機器を検出することが、
前記ＯＯＢ通信リンクを介して前記ユーザ機器をページングすることと、
前記ＯＯＢ通信リンクを介して前記ユーザ機器からの前記ページングへの応答を検出することとを備え、前記応答が前記ユーザ機器の前記ＯＯＢ識別子を備える、［２］に記載の方法。
［８］  前記フェムトセルゲートウェイから前記フェムトセルにおける前記ユーザ機器に対するハンドオーバ要求を受信することをさらに備え、前記ハンドオーバ要求が、マクロネットワークとのアクティブ通信を前記マクロセルから前記フェムトセルにハンドオフするように前記ユーザ機器に指示するように構成される、［１］に記載の方法。
［９］  前記ハンドオーバ要求が、前記マクロセルから前記フェムトセルにハンドインするための前記ユーザ機器を登録した後に受信される、［８］に記載の方法。
［１０］  前記ハンドオーバ要求が、前記マクロセルから前記フェムトセルにハンドインするための前記ユーザ機器を登録する前に受信され、
前記ユーザ機器を検出することが、前記ハンドオーバ要求を受信したことに応答して前記ユーザ機器を検出することを備える、［８］に記載の方法。
［１１］  前記ハンドオーバ要求を受信したことに応答して前記ユーザ機器を検出することが、
前記ユーザ機器のＯＯＢ識別子を利用して前記ＯＯＢ通信リンクを介して前記ユーザ機器を検出することを備える、［１０］に記載の方法。
［１２］  前記ユーザ機器と前記フェムトセルとの間の前記ＯＯＢ通信リンクの損失を検出することと、
前記ＯＯＢ通信リンクの前記損失を検出したことに従って前記ユーザ機器を登録解除することとをさらに備える、［１］に記載の方法。
［１３］  前記ユーザ機器を登録することが、前記ハンドオーバ要求を受け付けるハンドオーバ応答を送信することをさらに備える、［１０］に記載の方法。
［１４］  前記フェムトセルが、マクロネットワーク上の複数のフェムトセルのうちの１つであり、各フェムトセルが、その識別子に従って前記フェムトセルが前記マクロネットワークによって非一意にアドレス指定可能である第１のフェムトセル識別子と、その識別子に従って前記フェムトセルが前記フェムトセルゲートウェイによって一意にアドレス指定可能である第２のフェムトセル識別子とを有する、［１］に記載の方法。
［１５］  前記ＯＯＢ通信リンクがＢｌｕｅｔｏｏｔｈリンクを備える、［１］に記載の方法。
［１６］  各該当フェムトセルの前記第１のフェムトセル識別子が、前記該当フェムトセルのプライマリスクランブリングコード（ＰＳＣ）を備える、［１４］に記載の方法。
［１７］  前記ユーザ機器識別子が、前記ユーザ機器と関連付けられたマクロ識別子を備える、［１］に記載の方法。
［１８］  前記マクロ識別子が、前記ユーザ機器と関連付けられた国際モバイル加入者識別情報（ＩＭＳＩ）を備える、［１７］に記載の方法。
［１９］  フェムトセルゲートウェイを介してマクロネットワークに通信可能に結合され、ユーザ機器へのセルラーネットワークアクセスを与えるように構成された、帯域内周波数モジュールと、
前記帯域内周波数モジュールに通信可能に結合され、ＯＯＢ通信リンクを介して前記ユーザ機器と通信するように構成された、帯域外（ＯＯＢ）周波数モジュールと、
前記帯域内周波数モジュールと前記ＯＯＢ周波数モジュールとに通信可能に結合された通信管理サブシステムであって、
帯域外（ＯＯＢ）通信リンクを使用してフェムトセルの近傍にあるユーザ機器を検出し、
前記ＯＯＢ通信リンクを使用して前記フェムトセルの近傍で検出された前記ユーザ機器に対応するユーザ機器識別子を識別し、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録する
ように構成された、通信管理サブシステムとを備える、フェムトセル。
［２０］  前記ユーザ機器識別子を識別するように構成された前記通信管理サブシステムが、前記ＯＯＢ通信リンクを介して前記ユーザ機器識別子と関連付けられたマクロ識別子を受信するための構成を備える、［１９］に記載のフェムトセル。
［２１］  前記ユーザ機器識別子を識別するように構成された前記通信管理サブシステムが、前記ＯＯＢ通信リンクを介して前記ユーザ機器識別子と関連付けられたＯＯＢ識別子を受信するための構成を備える、［１９］に記載のフェムトセル。
［２２］  前記ユーザ機器を登録するように構成された前記通信管理サブシステムが、前記フェムトセルから前記フェムトセルゲートウェイに登録メッセージを送信するための構成を備える、［１９］に記載のフェムトセル。
［２３］  前記ユーザ機器を登録するように構成された前記通信管理サブシステムが、前記フェムトセルから前記フェムトセルゲートウェイにＯＯＢ指示メッセージを送信するための構成を備える、［１９］に記載のフェムトセル。
［２４］  前記通信管理サブシステムが、
前記ユーザ機器識別子を判断するために、前記ユーザ機器のマクロ識別子と前記ＯＯＢ識別子との間のユーザ機器マッピングを利用するようにさらに構成される、［２１］に記載のフェムトセル。
［２５］  前記フェムトセルの近傍にある前記ユーザ機器を検出するように構成された前記通信管理サブシステムが、
前記ＯＯＢ通信リンクを介して前記ユーザ機器をページングし、
前記ＯＯＢ通信リンクを介して前記ユーザ機器からの前記ページングへの応答を検出するようにさらに構成され、前記応答が前記ユーザ機器の前記マクロ識別子を備える、［２０］に記載のフェムトセル。
［２６］  前記通信管理サブシステムが、
前記フェムトセルゲートウェイから前記フェムトセルにおける前記ユーザ機器に対するハンドオーバ要求を受信するようにさらに構成され、前記ハンドオーバ要求が、前記マクロネットワークとのアクティブ通信を前記マクロセルから前記フェムトセルにハンドオフするように前記ユーザ機器に指示するように構成される、［１９］に記載のフェムトセル。
［２７］  前記ハンドオーバ要求が、前記マクロセルから前記フェムトセルにハンドインするための前記ユーザ機器を登録した後に受信される、［２６］に記載のフェムトセル。
［２８］  前記ハンドオーバ要求が、前記マクロセルから前記フェムトセルにハンドインするための前記ユーザ機器を登録する前に受信され、
前記ユーザ機器を検出するように構成された前記通信管理サブシステムが、前記ハンドオーバ要求を受信したことに応答して前記ユーザ機器を検出することを備える、［２６］に記載のフェムトセル。
［２９］  前記ハンドオーバ要求を受信したことに応答して前記ユーザ機器を検出するように構成された前記通信管理サブシステムが、
前記ユーザ機器のＯＯＢ識別子を利用して前記ＯＯＢ通信リンクを介して前記ユーザ機器を検出するための構成を備える、［２８］に記載のフェムトセル。
［３０］  前記通信管理サブシステムが、
前記ユーザ機器と前記フェムトセルとの間の前記ＯＯＢ通信リンクの損失を検出し、
前記ＯＯＢ通信リンクの前記損失を検出したことに従って前記ユーザ機器を登録解除するようにさらに構成される、［１９］に記載のフェムトセル。
［３１］  前記通信管理サブシステムが、
前記ユーザ機器を登録することの一部として前記ハンドオーバ要求を受け付けることのハンドオーバ応答を送信するようにさらに構成される、［２８］に記載のフェムトセル。
［３２］  前記フェムトセルが、セルラーネットワーク上の複数のフェムトセルのうちの１つであり、各フェムトセルが、その識別子に従って前記フェムトセルが前記マクロネットワークによって非一意にアドレス指定可能である第１のフェムトセル識別子と、その識別子に従って前記フェムトセルがフェムトゲートウェイによって一意にアドレス指定可能である第２のフェムトセル識別子とを有する、［１９］に記載のフェムトセル。
［３３］  マクロセル対フェムトセルハンドインのためのプロセッサであって、
帯域外（ＯＯＢ）通信リンクを使用して前記フェムトセルの近傍にあるユーザ機器を検出し、
前記ＯＯＢ通信リンクを使用して前記フェムトセルの近傍で検出された前記ユーザ機器に対応するユーザ機器識別子を識別し、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録する
ように構成された、通信管理コントローラとを備える、プロセッサ。
［３４］  プロセッサ可読媒体上に常駐し、プロセッサ可読命令を備える、マクロセル対フェムトセルハンドインのためのコンピュータプログラム製品であって、前記命令が実行されると、プロセッサに、
帯域外（ＯＯＢ）通信リンクを使用してフェムトセルの近傍にあるユーザ機器を検出するステップと、
前記ＯＯＢ通信リンクを使用して前記フェムトセルの近傍で検出された前記ユーザ機器に対応するユーザ機器識別子を識別するステップと、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録するステップと
を備えるステップを実行させる、コンピュータプログラム製品。
［３５］  マクロセル対フェムトセルハンドインのためのシステムであって、
帯域外（ＯＯＢ）通信リンクを使用して前記フェムトセルの近傍にあるユーザ機器を検出するための手段と、
前記ＯＯＢ通信リンクを使用して前記フェムトセルの近傍で検出された前記ユーザ機器に対応するユーザ機器識別子を識別するための手段と、
前記ユーザ機器識別子を前記フェムトセルからフェムトセルゲートウェイに通信して、前記フェムトセルにおいて前記ユーザ機器のＯＯＢ近傍検出を示すことによって、マクロセルから前記フェムトセルにハンドインするための前記ユーザ機器を登録するための手段と
を備える、システム。
［３６］  マクロセル対フェムトセルハンドインのための方法であって、
マクロネットワークとのアクティブ通信をマクロセルから、第１のフェムトセル識別子を有する指定されたフェムトセルにハンドオフするようにユーザ機器に指示するように構成されたハンドオーバ要求を、フェムトセルゲートウェイにおいて前記マクロネットワークから受信することと、
前記フェムトセルゲートウェイにおいて、前記ハンドオーバ要求を受信する前に複数のフェムトセルのいずれかが前記ユーザ機器を前記フェムトセルゲートウェイに登録したかどうかを判断することと、
前記フェムトセルゲートウェイから、前記ハンドオーバ要求を前記指定されたフェムトセルに通信することとを備える、方法。
［３７］  前記フェムトセルゲートウェイにおいて、前記ハンドオーバ要求を受信する前に前記複数のフェムトセルのいずれかが前記ユーザ機器を前記フェムトセルゲートウェイに登録したかどうかを判断することが、
前記ハンドオーバ要求を受信する前に、前記複数のフェムトセルから、前記ユーザ機器を登録した１つの登録フェムトセルを判断することと、
前記登録フェムトセルが、前記第１のフェムトセル識別子を有する前記指定されたフェムトセルであると判断することとを備える、［３６］に記載の方法。
［３８］  前記登録フェムトセルから肯定応答メッセージを受信することをさらに備える、［３７］に記載の方法。
［３９］  前記フェムトセルゲートウェイにおいて、前記リロケーション要求を受信する前に前記複数のフェムトセルのいずれかが前記ユーザ機器を前記フェムトセルゲートウェイに登録したかどうかを判断することが、
前記ハンドオーバ要求を受信する前に前記複数のフェムトセルのいずれも前記ユーザ機器を登録しなかったと判断することを備える、［３６］に記載の方法。
［４０］  前記フェムトゲートウェイにおいて登録された前記複数のフェムトセルから、少なくとも前記第１のフェムトセル識別子によって識別された候補フェムトセルのセットを判断することと、
前記候補フェムトセルのセットの各々に、それの近傍に前記ユーザ機器があるかどうかを検出するように指示することと、
前記候補フェムトセルのうちの成功したフェムトセルから、それの近傍に前記ユーザ機器があるという指示を受信することと、
前記成功したフェムトセルが前記指定されたフェムトセルであると判断することとをさらに備える、［３９］に記載の方法。
［４１］  前記候補フェムトセルのセットに、それの近傍に前記ユーザ機器があるかどうかを検出するように指示した後の経過時間を監視することと、
前記候補フェムトセルのうちの１つからの、それの近傍に前記ユーザ機器があるという前記指示が、前記経過時間が所定の制限時間内にある間に受信されたかどうかを判断することとをさらに備える、［４０］に記載の方法。
［４２］  前記フェムトセルゲートウェイにおいて、前記ハンドオーバ要求を受信する前に前記複数のフェムトセルのいずれかが前記ユーザ機器を登録したかどうかを判断することが、
前記ハンドオーバ要求を受信する前に前記複数のフェムトセルのいずれかからＯＯＢ近傍指示が受信されたかどうかを判断することを備え、前記ＯＯＢ近傍指示が前記ユーザ機器のマクロ識別子を備える、［３６］に記載の方法。
［４３］  前記フェムトセルゲートウェイにおいて、前記ハンドオーバ要求を受信する前に前記複数のフェムトセルのいずれかが前記ユーザ機器を登録したかどうかを判断することが、
前記ハンドオーバ要求を受信する前に前記複数のフェムトセルのいずれかから、前記ユーザ機器のＯＯＢ識別子を備えるＯＯＢ近傍指示が受信されたかどうかを判断することと、
前記ユーザ機器の前記ＯＯＢ識別子に対応する前記ユーザ機器のマクロ識別子を判断することとを備える、［３６］に記載の方法。
［４４］  前記第１のフェムトセル識別子に従って前記フェムトセルゲートウェイによって、前記指定されたフェムトセルが一意にアドレス指定可能であるかどうかを判断することをさらに備え、
前記フェムトセルゲートウェイから、前記ハンドオーバ要求を指定されたフェムトセルに通信することが、前記第１のフェムトセル識別子を利用する、［３６］に記載の方法。
［４５］  前記フェムトセルゲートウェイにおいて、前記ハンドオーバ要求を受信する前に前記複数のフェムトセルのいずれかが前記ユーザ機器を登録したかどうかを判断することが、
前記第１のフェムトセル識別子に従って前記フェムトセルゲートウェイによって前記複数のフェムトセルのうちの２つ以上のフェムトセルがアドレス指定可能であるかどうかを判断することと、
第２のフェムトセル識別子を使用して、前記指定されたフェムトセルが、前記第１のフェムトセル識別子に従ってアドレス指定可能な前記２つ以上のフェムトセルのうちの１つであるかどうかを判断することとを備える、［３６］に記載の方法。
［４６］  前記複数のフェムトセルから候補フェムトセルのセットを判断することと、
前記ハンドオーバ要求の中のＯＯＢハンドイン原因値を使用して、前記候補フェムトセルのセットの各々に、それの近傍に前記ユーザ機器があるかどうかを検出するように指示することとをさらに備える、［３９］に記載の方法。
［４７］  前記候補フェムトセルのうちの１つから、それの近傍にある前記ユーザ機器を前記候補フェムトセルのうちの前記１つが検出したことを示すＯＯＢ受付けメッセージを受信することと、
前記ＯＯＢ受付けメッセージと関連付けられた前記候補セルのうちの１つを前記指定されたフェムトセルとして識別することとをさらに備える、［４６］に記載の方法。
［４８］  少なくとも前記候補フェムトセルのうちの１つまたは複数からのＯＯＢ拒絶メッセージ、または前記候補フェムトセルのうちの１つまたは複数からのエラー指示メッセージを受信し、かつＯＯＢ受付けメッセージを受信しないことと、
正常原因値を有するハンドオーバ要求を、前記候補フェムトセルの各々に送信することとをさらに備える、［４６］に記載の方法。
［４９］  前記候補フェムトセルのうちの１つまたは複数から、少なくともブラインド受付けまたはブラインド拒絶を受信することと、
ブラインド受付けと関連付けられた前記候補フェムトセルのうちの１つを前記指定されたフェムトセルとして識別することとをさらに備える、［４８］に記載の方法。
［５０］  マクロネットワークのコアノードと通信するように構成され、前記マクロネットワークから通信を受信するように構成されたマクロネットワークインターフェースサブシステムと、
複数のフェムトセルと通信するように構成されたフェムトセルインターフェースサブシステムと、
前記マクロネットワークインターフェースサブシステムと前記フェムトセルインターフェースサブシステムとに通信可能に結合された通信管理サブシステムであって、
前記マクロネットワークとのアクティブ通信をマクロセルから、第１のフェムトセル識別子を有する指定されたフェムトセルにハンドオフするようにユーザ機器に指示するように構成されたハンドオーバ要求を前記マクロネットワークから受信し、
前記ハンドオーバ要求を受信する前に前記複数のフェムトセルのいずれかが前記ユーザ機器を前記フェムトセルゲートウェイに登録したかどうかを判断し、
前記ハンドオーバ要求を指定されたフェムトセルに通信する
ように構成された、通信管理サブシステムとを備える、フェムトセルゲートウェイ。
［５１］  前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルから前記ユーザ機器を登録した１つの登録フェムトセルを判断し、
前記登録フェムトセルが、前記第１のフェムトセル識別子を有する前記指定されたフェムトセルであると判断するように構成される、［５０］に記載のフェムトセルゲートウェイ。
［５２］  前記通信管理サブシステムが、
前記登録フェムトセルから肯定応答メッセージを受信するようにさらに構成される、［５１］に記載のフェムトセルゲートウェイ。
［５３］  前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルのいずれも前記ユーザ機器を登録しなかったと判断するように構成される、［５０］に記載のフェムトセルゲートウェイ。
［５４］  前記通信管理サブシステムが、
前記複数のフェムトセルから、少なくとも前記第１のフェムトセル識別子によって識別された候補フェムトセルのセットを判断し、
前記候補フェムトセルの各々に、それの近傍に前記ユーザ機器があるかどうかを検出するように指示し、
前記候補フェムトセルのうちの成功したフェムトセルから、それの近傍に前記ユーザ機器があるという指示を受信し、
前記成功したフェムトセルが前記指定したフェムトセルであると判断するようにさらに構成される、［５３］に記載のフェムトセルゲートウェイ。
［５５］  前記通信管理サブシステムが、
前記候補フェムトセルのセットに、それの近傍に前記ユーザ機器があるかどうかを検出するように指示した後の経過時間を監視し、
前記候補フェムトセルのうちの１つからの、それの近傍に前記ユーザ機器があるという前記指示が、前記経過時間が所定の制限時間内にある間に受信されたかどうかを判断するようにさらに構成される、［５４］に記載のフェムトセルゲートウェイ。
［５６］  前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルのいずれかからＯＯＢ近傍指示が受信されたかどうかを判断するようにさらに構成され、前記ＯＯＢ近傍指示が前記ユーザ機器のマクロ識別子を備える、［５０］に記載のフェムトセルゲートウェイ。
［５７］  前記ハンドオーバ要求を受信する前に前記複数のフェムトセルのいずれかが前記ユーザ機器を前記フェムトセルゲートウェイに登録したかどうかを判断するために、前記通信管理サブシステムが、
前記ハンドオーバ要求を受信する前に前記複数のフェムトセルのいずれかから、前記ユーザ機器のＯＯＢ識別子を備えるＯＯＢ近傍指示が受信されたかどうかを判断し、
前記ユーザ機器の前記ＯＯＢ識別子に対応する前記ユーザ機器のマクロ識別子を判断するようにさらに構成される、［５０］に記載のフェムトセルゲートウェイ。
［５８］  前記通信管理サブシステムが、
前記第１のフェムトセル識別子に従って前記フェムトセルゲートウェイによって、前記指定されたフェムトセルが一意にアドレス指定可能であるかどうかを判断するようにさらに構成され、
前記ハンドオーバ要求を指定されたフェムトセルに通信することが、前記第１のフェムトセル識別子を利用する、［５０］に記載のフェムトセルゲートウェイ。
［５９］  前記ハンドオーバ要求を受信する前に前記複数のフェムトセルのいずれかが前記ユーザ機器を登録したかどうかを判断するように構成された前記通信管理サブシステムが、
前記第１のフェムトセル識別子に従って前記フェムトセルゲートウェイによって前記複数のフェムトセルのうちの２つ以上のフェムトセルがアドレス指定可能であるかどうかを判断し、
第２のフェムトセル識別子を使用して、前記指定されたフェムトセルが、前記第１のフェムトセル識別子に従ってアドレス指定可能な前記２つ以上のフェムトセルのうちの１つであるかどうかを判断するための構成を備える、［５０］に記載のフェムトセルゲートウェイ。
［６０］  前記通信管理サブシステムが、
前記複数のフェムトセルから候補フェムトセルのセットを判断し、
前記ハンドオーバ要求の中のＯＯＢハンドイン原因値を使用して、前記候補フェムトセルの各々に、それの近傍に前記ユーザ機器があるかどうかを検出するように指示するようにさらに構成される、［５３］に記載のフェムトセルゲートウェイ。
［６１］  前記通信管理サブシステムが、
前記候補フェムトセルのうちの１つから、それの近傍にある前記ユーザ機器を前記候補フェムトセルのうちの前記１つが検出したことを示すＯＯＢ受付けメッセージを受信し、
前記候補フェムトセルのうちの前記１つを前記指定されたフェムトセルとして識別するようにさらに構成される、［６０］に記載のフェムトセルゲートウェイ。
［６２］  前記通信管理サブシステムが、
少なくとも前記候補フェムトセルのうちの１つもしくは複数からのＯＯＢ拒絶メッセージ、または前記候補フェムトセルのうちの１つもしくは複数からのエラー指示メッセージを受信し、かつＯＯＢ受付けメッセージを受信せず、
正常原因値を有するハンドオーバ要求を、前記候補フェムトセルの各々に送信するようにさらに構成される、［６０］に記載のフェムトセルゲートウェイ。
［６３］  前記通信管理サブシステムが、
前記候補フェムトセルのうちの１つまたは複数から、少なくともブラインド受付けまたはブラインド拒絶を受信し、
ブラインド受付けと関連付けられた前記候補フェムトセルのうちの１つを前記指定されたフェムトセルとして識別するようにさらに構成される、［６２］に記載のフェムトセルゲートウェイ。
［６４］  フェムトセルゲートウェイ内のマクロセル対フェムトセルハンドインのためのプロセッサであって、
マクロネットワークとのアクティブ通信をマクロセルから、第１のフェムトセル識別子を有する指定されたフェムトセルにハンドオフするようにユーザ機器に指示するように構成されたハンドオーバ要求を前記マクロネットワークから受信し、
前記ハンドオーバ要求を受信する前に複数のフェムトセルのいずれかが前記ユーザ機器を前記フェムトセルゲートウェイに登録したかどうかを判断し、
前記ハンドオーバ要求を前記指定されたフェムトセルに通信する
ように構成された通信管理コントローラを備える、プロセッサ。
［６５］  フェムトセルゲートウェイに配設されたプロセッサ可読媒体上に常駐し、プロセッサ可読命令を備える、マクロセル対フェムトセルハンドインのためのコンピュータプログラム製品であって、命令が実行されると、プロセッサに、
マクロネットワークとのアクティブ通信をマクロセルから、第１のフェムトセル識別子を有する指定されたフェムトセルにハンドオフするようにユーザ機器に指示するように構成されたハンドオーバ要求を前記マクロネットワークから受信するステップと、
前記ハンドオーバ要求を受信する前に複数のフェムトセルのいずれかが前記ユーザ機器を前記フェムトセルゲートウェイに登録したかどうかを判断するステップと、
前記ハンドオーバ要求を前記指定されたフェムトセルに通信するステップと
を備えるステップを実行させる、コンピュータプログラム製品。
［６６］  マクロセル対フェムトセルハンドインのためのシステムであって、
マクロネットワークとのアクティブ通信をマクロセルから、第１のフェムトセル識別子を有する指定されたフェムトセルにハンドオフするようにユーザ機器に指示するように構成されたハンドオーバ要求をマクロネットワークから受信するための手段と、
前記ハンドオーバ要求を受信する前に複数のフェムトセルのいずれかが前記ユーザ機器を前記フェムトセルゲートウェイに登録したかどうかを判断するための手段と、
前記ハンドオーバ要求を前記指定されたフェムトセルに通信するための手段と
を備える、システム。
【外国語明細書】
2015008503000001.pdf